(57)【要約】【課題】本発明は、ランダムアクセス（ＲＡ）プロセスに対するパラメータを決定するために、ユーザ装置（ＵＥ）及び基地局が相互に通信するときに方法及び装置を提供する。【解決手段】基地局は、ＵＥによるＲＡプリアンブル伝送のための複数のリソースセットをシステム情報ブロック（ＳＩＢ）を通じてＵＥに通知する。各リソースセットは、ＲＡプリアンブル伝送に対する反復回数、最大ＲＡプリアンブル伝送回数、及び基地局がＲＡプリアンブル受信に対して応答を送信した反復回数に関連する。また、ＳＩＢは、経路損失値の範囲とＲＡプリアンブル反復の回数との間の関連性を通知する。ＵＥは、その経路損失測定から第１のＲＡプリアンブル伝送のための反復回数を決定する。【選択図】図１０Ａ
2019146261.tif 000002
【特許請求の範囲】
【請求項１】
ユーザ装置の動作方法であって、
参照信号受信電力（reference signal received power：ＲＳＲＰ）に関連した情報を基地局から受信するステップと、
ＲＳＲＰを測定するステップと、
前記測定されたＲＳＲＰが前記ＲＳＲＰに関連した情報より小さいか同一である場合、第１の周波数リソースを通してＰＲＡＣＨ（physical random access channel）を伝送するステップと、及び
前記測定されたＲＳＲＰが前記ＲＳＲＰに関連した情報より大きい場合、第２の周波数リソースを通して前記ＰＲＡＣＨを伝送するステップと、を含み、
前記第１の周波数リソースは、カバレッジ改善のためのリソースを指示することを特徴とする方法。
【請求項２】
前記ＲＳＲＰに関連した情報は、システム情報ブロックから獲得されることを特徴とする請求項１に記載の方法。
【請求項３】
前記ＲＳＲＰに関連した情報は、前記ＲＳＲＰの基準値を含むことを特徴とする請求項１に記載の方法。
【請求項４】
前記測定されたＲＳＲＰに基づいてランダムアクセスプリアンブルを選択するステップをさらに含むことを特徴とする請求項１に記載の方法。
【請求項５】
前記選択されたランダムアクセスプリアンブルは、前記第１の周波数リソース又は前記第２の周波数リソースを通して伝送されることを特徴とする請求項４に記載の方法。
【請求項６】
前記ＰＲＡＣＨの伝送のための電力ランピング（power ramping）を実行するステップをさらに含むことを特徴とする請求項１に記載の方法。
【請求項７】
ユーザ装置であって、
送受信器と、
前記送受信器に接続された制御部と、を含み、
前記制御部は、
参照信号受信電力（reference signal received power：ＲＳＲＰ）に関連した情報を基地局から受信し、
ＲＳＲＰを測定し、
前記測定されたＲＳＲＰが前記ＲＳＲＰに関連した情報より小さいか同一である場合、第１の周波数リソースを通してＰＲＡＣＨ（physical random access channel）を伝送し、
前記測定されたＲＳＲＰが前記ＲＳＲＰに関連した情報より大きい場合、第２の周波数リソースを通して前記ＰＲＡＣＨを伝送し、
前記第１の周波数リソースは、カバレッジ改善のためのリソースを指示することを特徴とするユーザ装置。
【請求項８】
前記ＲＳＲＰに関連した情報は、システム情報ブロックから獲得されることを特徴とする請求項７に記載のユーザ装置。
【請求項９】
前記ＲＳＲＰに関連した情報は、前記ＲＳＲＰの基準値を含むことを特徴とする請求項７に記載のユーザ装置。
【請求項１０】
前記制御部は、前記測定されたＲＳＲＰに基づいてランダムアクセスプリアンブルを選択することを特徴とする請求項７に記載のユーザ装置。
【請求項１１】
前記選択されたランダムアクセスプリアンブルは、前記第１の周波数リソース又は前記第２の周波数リソースを通して伝送されることを特徴とする請求項１０に記載のユーザ装置。
【請求項１２】
前記制御部は、前記ＰＲＡＣＨの伝送のための電力ランピング（power ramping）を実行することを特徴とする請求項７に記載のユーザ装置。
【発明の詳細な説明】
【技術分野】
【０００１】
本発明は、一般的に無線通信に関し、より具体的にはカバレッジ限定されたユーザ装置のためのランダムアクセスプロセスに関する。
【背景技術】
【０００２】
無線通信は、近代史の最も成功的な革新のうち一つであった。最近では、無線通信サービスの加入者数は、五十億を超え、継続して急速に成長している。スマートフォン及びタブレット、“ノートパッド”コンピュータ、ネットブック、及び電子書籍リーダのような他のモバイルデータ装置の消費者と事業者との間での増加する人気により、無線データトラフィックに対する需要が急速に増加している。モバイルデータトラフィックの高い増加に対処し、新たなアプリケーション及び配置をサポートするために、無線インターフェース効率性及びカバレッジにおける改善が最も重要である。
【先行技術文献】
【特許文献】
【０００３】
【特許文献１】特表２０１３−５２６１６２号公報
【特許文献２】特表２０１０−５２２４７１号公報
【特許文献３】国際公開第２００８／０８１５３１号
【特許文献４】特表２０１２−５２５０８３号公報
【発明の概要】
【発明が解決しようとする課題】
【０００４】
したがって、上記した従来技術の問題点を解決するために、本発明の目的は、ランダムアクセスプロセスに対するカバレッジ改善をサポートする方法及び装置を提供することにある。
【課題を解決するための手段】
【０００５】
上記のような目的を達成するために、本発明の一態様によれば、ユーザ装置（ＵＥ）により、リソースセットからのリソース内のランダムアクセス（ＲＡ）プリアンブル伝送のための複数のリソースセットを通知するシステム情報ブロック（ＳＩＢ）を提供する信号を基地局から受信するステップと、ＵＥにより、ＲＡプリアンブルを、第１のリソースセットからのリソースで第１の反復回数で、ＵＥが第１の反復回数でＲＡプリアンブル伝送の間に応答を受信するまで、又は第１のＲＡプリアンブル最大伝送回数に到達するまで送信し、第１のＲＡプリアンブル最大伝送回数に到達した後に、ＲＡプリアンブルを、第２のリソースセットからのリソースで第２の反復回数で送信するステップとを有する。各リソースセットは、時間、周波数、及びコードリソースを含み、ＲＡプリアンブル伝送に対する反復回数及びＲＡプリアンブル伝送の最大回数に関連される。ＵＥがＳＩＢを受信する場合、ＵＥは、ＲＡプリアンブル伝送に対する第１の反復回数、対応する第１のリソースセット、及び対応する第１の最大伝送回数及びＲＡプリアンブル伝送に対する第２の反復回数、対応する第２のリソースセット、及び対応する第２の最大伝送回数を決定する、第２の反復回数は、第１の反復回数より大きい。
【０００６】
本発明の他の態様によれば、ユーザ装置（ＵＥ）により、リソースセットからのリソースでランダムアクセス（ＲＡ）プリアンブル伝送のための複数のリソースセットを通知するシステム情報ブロック（ＳＩＢ）を提供する信号を基地局から受信するステップと、ＵＥにより、ＲＡプリアンブル伝送に対する反復回数及び対応するリソースセットを決定するステップと、ＵＥにより、リソースセットからのリソースで反復回数の間にＲＡプリアンブルを送信するステップと、ＵＥにより、ＲＡプリアンブル伝送に対する応答を基地局から受信するステップとを有する。各リソースセットは、時間、周波数、及びコードリソースを含み、ＲＡプリアンブル伝送に対する反復回数及びＲＡプリアンブル伝送の最大回数に関連される。ＵＥは、システム情報ブロック内でＲＡプリアンブル伝送に対する反復回数に関連した最大反復回数の間に応答を受信する。
【０００７】
また、本発明の他の態様によれば、リソースセットからのリソースでランダムアクセス（ＲＡ）プリアンブル伝送のための複数のリソースセットを知らせるシステム情報ブロック（ＳＩＢ）を提供する信号を 基地局から受信するように構成される受信器と、ＲＡプリアンブル伝送に対する第１の反復回数、対応する第１のリソースセット、及び対応する第１の最大伝送回数を決定し、ＲＡプリアンブル伝送に対する第２の反復回数、対応する第２のリソースセット、及び対応する第２の最大伝送回数を決定するように構成される制御器と、第１のリソースセットからのリソースで、第１の反復回数で、ユーザ装置が第１の反復回数でＲＡプリアンブル伝送に対する応答を受信するまで、又は第１のＲＡプリアンブルの最大伝送回数に到達するまでＲＡプリアンブルを基地局に送信し、第１のＲＡプリアンブル最大伝送回数に到達した後に、第２のリソースセットからのリソースで第２の反復回数でＲＡプリアンブルを基地局に送信するように構成される送信器とを含む。各リソースセットは、時間、周波数、及びコードリソースを含み、ＲＡプリアンブル伝送に対する反復回数及びＲＡプリアンブル伝送の最大回数に関連される。第２の反復回数は、第１の反復回数より大きい。
【０００８】
さらに、本発明の他の態様によれば、ランダムアクセス（ＲＡ）プリアンブル伝送のための複数のリソースセットを通知するシステム情報ブロック（ＳＩＢ）を提供する信号及びＲＡプリアンブル伝送に対する応答を基地局から受信するように構成される受信器と、ＲＡプリアンブルの伝送に対する反復回数及び対応するリソースセットを決定するように構成される制御器と、リソースセットからのリソースで反復回数のＲＡプリアンブルを送信するように構成される送信器とを含む。各リソースセットは、リソースセットからのリソースでＲＡプリアンブル伝送の反復回数及びＲＡプリアンブル伝送に対する応答の反復回数に関連される。応答は、システム情報ブロックのＲＡプリアンブル伝送の反復回数に関連する最大反復回数で受信される。
【発明の効果】
【０００９】
ＵＥは、ｅＮＢにより送信されたＲＳに基づいてチャンネル測定を実行し、そのチャンネル測定をｅＮＢに報告する。チャンネル測定報告に基づき、ｅＮＢは、ＵＥに対するカバレッジモードをスイッチングするか否かを判定し、カバレッジモードは、正常カバレッジモード及びＣＥモードを含むことができる。あるいは、上述したように、ｅＮＢは、他の測定又は統計に基づいてＵＥに対するカバレッジモードを決定することができる。ｅＮＢは、ＵＥに、例えば、ＲＲＣシグナリングにより、モード再設定をシグナリングすることができる。また、このシグナリングは、新たなカバレッジモードに対する有効時間を含むこともできる。ＵＥは、この有効時間に新たなカバレッジモードで動作する。
【００１０】
本発明のより完全な理解及びそれに従う利点は、添付された図面とともに考慮すれば、後述する詳細な説明を参照してより容易に理解できる。また上記図面で同一の参照番号は同一の構成要素を示す。
【図面の簡単な説明】
【００１１】
【図１】本発明による無線通信ネットワークの一例を示す図である。
【図２】本発明によるユーザ装置（ＵＥ）の一例を示す図である。
【図３】本発明によるｅＮＢ（Enhanced NodeB）の一例を示す図である。
【図４】本発明によるｅＮＢで使用するためのダウンリンク制御情報（ＤＣＩ）フォーマットに対する符号化プロセスの一例を示す図である。
【図５】本発明によるＵＥで使用されるためのＤＣＩフォーマットに対する復号化プロセスの一例を示す図である。
【図６】本発明によるランダムアクセス手順を示す図である。
【図７】本発明によるＲＡプリアンブルフォーマットを示す図である。
【図８】本発明によるＵＥからのＲＡプリアンブル伝送の一例を示す図である。
【図９】本発明によるｅＮＢでのＲＡプリアンブル検出の一例を示す図である。
【図１０Ａ】本発明により、ＵＥがＰＲＡＣＨリソースを決定するためのプロセスの一例を示す図である。
【図１０Ｂ】本発明により、ＵＥがＰＲＡＣＨ反復の回数を決定するためのプロセスの一例を示す図である。
【図１０Ｃ】本発明により、ＵＥがＳＩＢ反復を決定するためのプロセスの一例を示す図である。
【図１１Ａ】本発明により、ｅＮＢがＰＲＡＣＨリソース設定をＵＥに搬送するための動作の一例を示す図である。
【図１１Ｂ】本発明により、ｅＮＢがＰＲＡＣＨリソース設定をＵＥに搬送するための動作の一例を示す図である。
【図１１Ｃ】本発明により、ｅＮＢがＰＲＡＣＨリソース設定をＵＥに搬送するための動作の一例を示す図である。
【図１２】本発明により、ＰＲＡＣＨリソースを決定するためのＵＥプロセスの一例を示す図である。
【図１３Ａ】本発明により、ＲＡプリアンブル伝送のためのＲ回の反復に対するオプションの一例を示す図である。
【図１３Ｂ】本発明により、ＲＡプリアンブル伝送のためのＲ回の反復に対するオプションの一例を示す図である。
【図１３Ｃ】本発明により、ＲＡプリアンブル伝送のためのＲ回の反復に対するオプションの一例を示す図である。
【図１３Ｄ】本発明により、ＲＡプリアンブル伝送のためのＲ回の反復に対するオプションの一例を示す図である。
【図１３Ｅ】本発明により、ＲＡプリアンブル伝送のためのＲ回の反復に対するオプションの一例を示す図である。
【図１４】本発明により、すべての反復に対して同一のプリアンブルフォーマットを用いてＲ回の反復を有するＲＡプリアンブル伝送のためのプロセスの一例を示す図である。
【図１５】本発明により、すべての反復に対して異なるプリアンブルフォーマットの組み合わせを用いてＲ回の反復を有するＲＡプリアンブル伝送のためのプロセスの一例を示す図である。
【図１６】本発明により、ＲＡプリアンブルがすべての反復に対して同一のフォーマットで伝送される、ｅＮＢでのＲＡプリアンブル検出に対するプロセスの一例を示す図である。
【図１７】本発明により、ＲＡプリアンブルがすべての反復に対して異なるフォーマットの組み合わせで伝送される、ｅＮＢでのＲＡプリアンブル検出に対するプロセスの一例を示す図である。
【図１８】本発明により、システム情報を取得するための第１の方法に対するＲＡプリアンブルの初期伝送及び再伝送のためのＵＥに対するプロセスを示す図である。
【図１９Ａ】本発明により、システム情報を取得するための第２の方法に対するＲＡプリアンブルの初期伝送及び再伝送のためのＵＥに対するプロセスを示す図である。
【図１９Ｂ】タイマによってＵＥが初期カバレッジ改善レベルを決定するための手順プロセスを示す図である。
【図１９Ｃ】後続アクセスのための初期ＣＥレベルによってＵＥがアクセスを実行するためのプロセスを示す図である。
【図１９Ｄ】本発明により、ＵＥによるＲＡプリアンブルの初期伝送及び再伝送のためのプロセスを示す図である。
【図２０】本発明により、ＣＥ ＵＥがＲＡＲを取得するためのプロセスの一例を示す図である。
【図２１】本発明により、ＲＡプリアンブルの再伝送が存在する場合に、ＵＥがＲＡＲを取得するためのプロセスの一例を示す図である。
【図２２】本発明により、ＵＥがＭｓｇ３に対する伝送設定を決定するための動作の一例を示す図である。
【図２３】本発明により、ｅＮＢがＭｓｇ３に対する伝送設定を決定するためのプロセスの一例を示す図である。
【図２４】本発明により、ＵＥがシグナリングを含むチャンネル測定報告後に伝送設定を決定するためのプロセスの一例を示す図である。
【図２５】本発明により、ｅＮＢがＵＥからシグナリングを含むチャンネル測定報告を受信した後に、伝送設定を決定するためのプロセスの一例を示す図である。
【図２６】本発明によるＵＥのカバレッジモードスイッチングに対するプロセスの一例を示す図である。
【発明を実施するための形態】
【００１２】
以下、本発明の望ましい実施形態を添付の図面を参照して詳細に説明する。
【００１３】
本発明の詳細な説明に先立って、本明細書の全般にわたって使用される特定の単語及び語句の定義を説明することが好ましい。“接続（結合）する(couple)”という語句とその派生語は、２個以上の構成要素の間で、相互に物理的な接触状態にあるか否か、それら間の任意の直接的又は間接的通信を称する。“送信する(transmit)”、“受信する(receive)”、及び“通信する(communicate)”という用語だけでなく、その派生語は、直接及び間接的な通信の両方ともを含む 。“含む（include）”及び “備える（comprise）”という語句だけではなく、その派生語（derivatives thereof）は、限定ではなく、含みを意味する。“又は（or）”という用語は、“及び/又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。“制御部(controller)”は、少なくとも一つの動作を制御する装置、システム又はその部分を意味するもので、ハードウェア、ファームウェア、ソフトウェア、又は、それらのうちの２つ以上の組合せで実現することができる。ある特定の制御器に関連した機能性は、ローカルでも遠隔でも、集中するか又は分散することができることに留意しなければならない。“少なくとも一つの(at least one of)”という語句は、項目のリストとともに使用される時に、リストされた項目のうち一つ以上の異なる組み合せが使用され、そのリスト内の一つの項目のみが必要とされることができることを意味する。例えば、“Ａ、Ｂ、及びＣのうち少なくとも一つ”は、次のような組み合せのうちいずれか一つを含む：Ａ、Ｂ、Ｃ、Ａ及びＢ、Ａ及びＣ、Ｂ及びＣ、及びＡとＢとＣ。
【００１４】
さらに、以下に記述される様々な機能は、一つ以上のコンピュータプログラムにより具現されるか又はサポートされ、そのプログラムの各々は、コンピュータ読み取り可能なプログラムコードで構成され、コンピュータ読み取り可能な媒体で実施される。“アプリケーション”及び“プログラム”という用語は、一つ以上のコンピュータプログラム、ソフトウェアコンポーネント、命令語セット、手順、関数、オブジェクト、クラス、インスタンス、関連データ、又は適したコンピュータ読み取り可能なプログラムコードの実現に適合したそれらの一部を称する。“コンピュータ読み取り可能なプログラムコード”という語句は、ソースコード、オブジェクトコード、及び実行コードを含むすべてのタイプのコンピュータコードを含む。“コンピュータ読み取り可能な媒体”という語句は、ＲＯＭ（Read Only Memory）、ＲＡＭ（Random Access Memory）、ハードディスクドライブ、ＣＤ（Compact Disc）、ＤＶＤ（Digital Video Disc）、又は任意の他のタイプのメモリのように、コンピュータによりアクセス可能なすべてのタイプの媒体を含む。“非一時的(non-transitory)”なコンピュータ読み取り可能な媒体は、一時的な電気又は他の信号を転送する有線、無線、光学、又は他の通信リンクを除外する。非一時的なコンピュータ読み取り可能な媒体は、データが永久的に記憶されることができる媒体、及び再記録可能な光学ディスクや削除可能なメモリ装置のようにデータが記憶され、後でオーバーライティングされ得る媒体を含む。
【００１５】
他の所定の単語及び語句に対する定義がこの特許文書の全体にわたって提供される。当業者は、大部分の場合ではなくても多い場合に、そのような定義がそのように定義された単語及び語句の前だけでなく後の使用にも適用されることがわかる。
【００１６】
以下に論議される図１乃至図２６、及び本特許文献において本発明の開示原則を説明するために使用される様々な実施形態は、例示としてのみ提供され、開示の範囲を限定するいかなる方法として理解されてはならない。当業者であれば、本発明の開示原則が任意の適切に配置された無線通信システムで実現できることは明らかである。
【００１７】
以下の文書及び標準説明が本明細書に全体的に記述されるように本開示に含まれる：３ＧＰＰ ＴＳ ３６.２１１ ｖ１２.１.０、“Ｅ-ＵＴＲＡ、物理的チャンネル及び変調”（ＲＥＦ１）；３ＧＰＰ ＴＳ ３６.２１２ ｖ１２.１.０、“Ｅ-ＵＴＲＡ、多重化及びチャンネル符号化”（ＲＥＦ２）；３ＧＰＰ ＴＳ ３６.２１３ ｖ１２.１.０、“Ｅ-ＵＴＲＡ、物理的レイヤ手順”（ＲＥＦ３）；３ＧＰＰ ＴＳ ３６.２１４ ｖ１１.１.０、“Ｅ-ＵＴＲＡ、物理的レイヤ測定”（ＲＥＦ４）；３ＧＰＰ ＴＳ ３６.３３１ ｖ１２.１.０、“Ｅ-ＵＴＲＡ、無線リソース制御（ＲＲＣ）プロトコル詳細”（ＲＥＦ５）；及び３ＧＰＰ ＴＳ ３６.１０１ ｖ.１１.１.０“Ｅ-ＵＴＲＡ、ユーザ装置（ＵＥ）無線送信及び受信”（ＲＥＦ６）
【００１８】
本発明は、ＤＬ又はＵＬカバレッジ限定されたユーザ装置（ＵＥ）に対するランダムアクセスプロセスに関する。無線通信ネットワークは伝送ポイント、例えば、基地局又はｅＮＢ（enhanced  NodeB）からＵＥに信号を伝達するダウンリンク（ＤＬ）を含む。また、無線通信ネットワークは、ＵＥから受信ポイント、例えば、ｅＮＢに信号を伝達するアップリンク（ＵＬ）を含む。
【００１９】
図１は、本発明による無線ネットワーク１００の一例を示す。図１に示す無線ネットワーク１００の実施形態は、単に例示のためのものである。無線ネットワーク１００の他の実施形態は、本発明の範囲から逸脱することなく使用され得る。
【００２０】
図１に示すように、無線ネットワーク１００は、ｅＮＢ１０１、ｅＮＢ１０２、及びｅＮＢ１０３を含む。ｅＮＢ１０１は、ｅＮＢ１０２及びｅＮＢ１０３と通信する。また、
ｅＮＢ１０１は、インターネット、独自のインターネットプロトコル(ＩＰ)ネットワーク、又は他のデータネットワークのような少なくとも一つのＩＰネットワーク１３０と通信する。
【００２１】
ネットワークタイプに従って、“ｅＮｏｄｅＢ”又は“ｅＮＢ”の代わりに、“基地局”又は“アクセスポイント”のように他のよく知られている用語が使用され得る。説明の便宜のために、“ｅＮｏｄｅＢ”及び“ｅＮＢ”という用語は、遠隔端末に対する無線アクセスを提供するネットワークインフラ構成要素を称するためにこの特許文書内で使用される。また、ネットワークタイプに基づき、“ユーザ装置”又は“ＵＥ”の代わりに、 “移動局”、“加入者局”、“遠隔端末”、“無線端末”、又は“ユーザ装置”のような他の公知の用語が使用され得る。説明の便宜のために、“ユーザ装置”及び“ＵＥ”という用語は、本特許文書において、ＵＥが（移動電話又はスマートフォンのような）移動装置であるか、あるいは（デスクトップコンピュータ又はベンディングマシンのような）一般的に固定装置と見なされるか、無線でｅＮＢをアクセスする遠隔無線装置を称するために使用される。
【００２２】
ｅＮＢ１０２は、ｅＮＢ１０２のカバレッジ領域１２０内の第１の複数のＵＥ用ネットワーク１３０に無線広帯域アクセスを提供する。第１の複数のＵＥは、スモールビジネス（ＳＢ）に位置されるＵＥ１１１、企業（Ｅ）に位置されるＵＥ１１２、ＷｉＦｉホットスポット（ＨＳ）に位置されるＵＥ１１３、第１のレジダンス（Ｒ）に位置されるＵＥ１１４、第２のレジダンス（Ｒ）に位置されるＵＥ１１５、及びセルフォン、無線ラップトップ、無線ＰＤＡのようなモバイル装置（Ｍ）であるＵＥ１１６を含む。ｅＮＢ１０３は、ｅＮＢ１０３のカバレッジ領域１２５内の第２の複数のＵＥ用ネットワーク１３０に無線広帯域アクセスを提供する。第２の複数のＵＥは、ＵＥ１１５及びＵＥ１１６を含む。一部の実施形態において、ｅＮＢ１０１乃至１０３のうち一つ以上は、５Ｇ、ＬＴＥ、ＬＴＥ-Ａ、ＷｉＭＡＸ、又は他の進歩した無線通信技術を用いて、相互に及びＵＥ１１１乃至１１６と通信できる。
【００２３】
点線は、但し例示及び説明のために、ほぼ円形として示されるカバレッジ領域１２０及び１２５の概略的な範囲を示す。カバレッジ領域１２０及び１２５のように、ｅＮＢと関連したカバレッジ領域は、自然的及び人為的な障害物に関連した無線環境内の変動及びｅＮＢの構成により、不規則的な形態を含む他の形状を有することを明確に理解すべきである。
【００２４】
以下により詳細に説明するように、ネットワーク１００の様々な構成要素（例えば、ｅＮＢ１０１乃至１０３及び/又はＵＥ１１１乃至１１６）は、ネットワーク１００の通信方向の適応をサポートし、それらのＰＲＡＣＨプロセスに対するカバレッジ改善を提供できる。
【００２５】
図１は無線ネットワーク１００の一例を示すが、図１に対して多様な変更が可能である。例えば、無線ネットワーク１００は、任意の個数のｅＮＢ及び任意の個数のＵＥを任意の適切な配置を通じて含む。また、ｅＮＢ１０１は、任意の個数のＵＥと直接に通信することにより、それらＵＥにネットワーク１３０に対する無線広帯域アクセスを提供できる。同様に、それぞれのｅＮＢ１０２及び１０３は、ネットワーク１３０と直接に通信することにより、ネットワーク１３０に対する直接無線広帯域アクセスをＵＥに提供してもよい。さらに、ｅＮＢ１０１、１０２、及び/又は１０３は、外部電話網又は他のタイプのデータネットワークのような、他の、又は追加の外部ネットワークへのアクセスを提供できる。
【００２６】
図２は、本発明によるＵＥ１１４の一例を示す。図２に示すＵＥ１１４の実施形態は、例示のためのものであるだけで、図１の他のＵＥと同一であるか又は類似した構成を有する。しかしながら、ＵＥは、広範囲な構成で現れ、図２は、本発明の範囲をＵＥの任意の特定の実現例に限定されない。
【００２７】
図２に示すように、ＵＥ１１４は、アンテナ２０５、無線周波数（ＲＦ）送受信器２１０、送信（ＴＸ）処理回路２１５、マイクロフォン２２０、及び受信（ＲＸ）処理回路２２５を含む。また、ＵＥ１１４は、スピーカ２３０、メインプロセッサ２４０、入力/出力（Ｉ/Ｏ）インターフェース（ＩＦ）２４５、キーパッド２５０、ディスプレイ２５５、及びメモリ２６０を含む。メモリ２６０は、基本オペレーティングシステム（ＯＳ）プログラム２６１及び一つ以上のアプリケーション２６２を含む。
【００２８】
ＲＦ送受信器２１０は、アンテナ２０５から、ｅＮＢ又は他のＵＥにより送信される入力ＲＦ信号を受信する。ＲＦ送受信器２１０は、入力ＲＦ信号をダウンコンバートして中間周波数（ＩＦ）又はベースバンド信号を生成する。ＩＦ又はベースバンド信号は、ＲＸ処理回路２２５に送信され、ＲＸ処理回路２２５は、ベースバンド又はＩＦ信号のフィルタリング、復号化、及び/又はデジタル化により処理されたベースバンド信号を生成する。ＲＸ処理回路２２５は、処理されたベースバンド信号を（音声データの場合に）スピーカ２３０に送信し、あるいは（Ｗｅｂブラウジングデータのような）追加処理のためにメインプロセッサ２４０に送信する。
【００２９】
ＴＸ処理回路２１５は、マイクロフォン２２０からアナログ又はデジタル音声データ、あるいはメインプロセッサ２４０から他の送信(outgoing)ベースバンドデータ（例えば、Ｗｅｂデータ、電子メール、又は双方向ビデオゲームデータ）を受信する。ＴＸ処理回路２１５は、送信ベースバンドデータの符号化、多重化、及び/又はデジタル化することによって、処理されたベースバンド又はＩＦ信号を生成する。ＲＦ送受信器２１０は、処理された送信ベースバンド又はＩＦ信号をＴＸ処理回路２１５から受信し、アンテナ２０５を通じて送信されるベースバンド又はＩＦ信号をＲＦ信号にアップコンバートする。
【００３０】
メインプロセッサ２４０は、一つ以上のプロセッサ又は他の処理装置を含み、ＵＥ１１４の全般的な動作を制御するためにメモリ２６０に格納されている基本ＯＳプログラム２６１を実行することができる。例えば、メインプロセッサ２４０は、公知の原理に従って、ＲＦ送受信器２１０、ＲＸ処理回路２２５、及びＴＸ処理回路２１５により順方向チャンネル信号の受信及び逆方向チャンネル信号の送信を制御できる。一部の実施形態において、メインプロセッサ２４０は、少なくとも一つのマイクロプロセッサ又はマイクロコントローラを含む。
【００３１】
また、メインプロセッサ２４０は、メモリ２６０に常駐している他のプロセス及びプログラムを実行できる。メインプロセッサ２４０は、実行プロセスにより要請されるときに、メモリ２６０へ、又はメモリ２６０からデータを移動させることができる。一部の実施形態において、メインプロセッサ２４０は、ＯＳプログラム２６１に基づき、あるいはｅＮＢ、他のＵＥ、又はオペレータから受信された信号に応じてアプリケーション２６２を実行するように構成される。また、メインプロセッサ２４０は、ラップトップコンピュータ及びハンドヘルドコンピュータのような他の装置に接続できる機能を有するＵＥ１１４に提供するＩ/Ｏインターフェース２４５に結合される。Ｉ/Ｏインターフェース２４５は、これらのアクセサリとメインプロセッサ２４０との間の通信経路である。
【００３２】
また、メインプロセッサ２４０は、キーパッド２５０及びディスプレイ部２５５に結合される。ＵＥ１１４のオペレータは、キーパッド２５０を使用してデータをＵＥ１１４に入力する。ディスプレイ２５５は、液晶ディスプレイ又はＷｅｂサイトからテキスト及び/又は少なくとも限定されたグラフィックをレンダリングできる他のディスプレイであり得る。ディスプレイ２５５は、タッチスクリーンを示すことができる。
【００３３】
メモリ２６０は、メインプロセッサ２４０に結合される。メモリ２６０の一部は、ランダムアクセスメモリ（ＲＡＭ）を含み、メモリ２６０の他の部分は、フラッシュメモリ又は他の読み出し専用メモリ（ＲＯＭ）を含むことができる。
【００３４】
以下でより詳細に説明するように、（ＲＦ送受信器２１０、ＴＸ処理回路２１５、及び/又はＲＸ処理回路２２５を用いて実現される）ＵＥ１１４の送受信経路は、ノーマルモード又はカバレッジ改善モードでＰＲＡＣＨプロセスをサポートする。
【００３５】
図２は、ＵＥ１１４の一例を示すが、図２に対して様々な変形がなされる。例えば、図２の多様な構成要素は、結合、さらに細分化、又は省略され、特定の必要性に応じて追加の構成要素が付加され得る。特定の例として、メインプロセッサ２４０は、一つ以上の中央処理ユニット（ＣＰＵ）及び一つ以上のグラフィック処理ユニット（ＧＰＵ）のような複数のプロセッサに分割される。また、図２が携帯電話又はスマートフォンとして構成されるＵＥ１１４を示すが、ＵＥは、他のタイプのモバイル又は固定装置として動作するように構成される。また、図２の多様な構成要素は、異なるＲＦ構成要素がｅＮＢ１０１乃至１０３及び他のＵＥと通信するために使用される場合に複製され得る。
【００３６】
図３は、本発明によるｅＮＢ１０２の一例を示す。図３に示すｅＮＢ１０２の実施形態では、単に例示するためのものであって、図１の他のｅＮＢは、同一又は類似の構成を有することができる。しかしながら、ｅＮＢは、多様な構成からなり、図３は、本発明の範囲をｅＮＢの任意の特定の実現例に限定するものではない。
【００３７】
図３に示すように、ｅＮＢ１０２は、複数のアンテナ３０５ａ乃至３０５ｎ、複数のＲＦ送受信器３１０ａ乃至３１０ｎ、送信（ＴＸ）処理回路３１５、及び受信（ＲＸ）処理回路３２０を含む。また、ｅＮＢ１０２は、制御器/プロセッサ３２５、メモリ３３０、及びバックホール又はネットワークインターフェース３３５を含む。
【００３８】
ＲＦ送受信器３１０ａ乃至３１０ｎは、アンテナ３０５ａ乃至３０５ｎからＵＥ又は他のｅＮＢにより送信される信号のような入力ＲＦ信号を受信する。ＲＦ送受信器３１０ａ乃至３１０ｎは、入力ＲＦ信号をダウンコンバートすることによりＩＦ又はベースバンド信号を生成する。ＩＦ又はベースバンド信号は、ＲＸ処理回路３２０に送信され、この回路は、ベースバンド又はＩＦ信号をフィルタリング、復号化、及び/又はデジタル化することにより、処理されたベースバンド信号を生成する。ＲＸ処理回路３２０は、処理されたベースバンド信号をさらに処理するために制御器/プロセッサ３２５に送信する。
【００３９】
ＴＸ処理回路３１５は、制御器/プロセッサ３２５からアナログ又はデジタルデータ（例えば、音声データ、Ｗｅｂデータ、電子メール、双方向ビデオゲームデータなど）を受信する。ＴＸ処理回路３１５は、送信ベースバンドデータの符号化、多重化、及び/又はデジタル化することにより処理されたベースバンド又はＩＦ信号を生成する。ＲＦ送受信器３１０ａ乃至３１０ｎは、送信処理されたベースバンド又はＩＦ信号をＴＸ処理回路３１５から受信し、アンテナ３０５ａ乃至３０５ｎを通じて送信されるベースバンド又はＩＦ信号をＲＦ信号にアップコンバートする。
【００４０】
制御器/プロセッサ３２５は、ｅＮＢ１０２の全般的な動作を制御する一つ以上のプロセッサ又は他の処理装置を含む。例えば、制御器/プロセッサ３２５は、よく知られている原理により、ＲＦ送受信器３１０ａ乃至３１０ｎ、ＲＸ処理回路３２０、及びＴＸ処理回路３１５により順方向チャンネル信号の受信及び逆方向チャンネル信号の送信を制御する。制御器/プロセッサ３２５は、より進歩した無線通信機能のような追加機能もサポートできる。例えば、制御器/プロセッサ３２５は、複数のアンテナ３０５ａ乃至３０５ｎから送信信号が所望する方向に送信信号を効果的に方向操縦するように異なって加重処理されるビーム形成又は指向性ルーティング動作をサポートする。任意の非常に多様な他の機能は、制御器/プロセッサ３２５によりｅＮＢ１０２でサポートされる。一部の実施形態において、制御器/プロセッサ３２５は、少なくとも一つのマイクロプロセッサ又はマイクロコントローラを含む。
【００４１】
また、制御器/プロセッサ３２５は、 基本ＯＳのように、メモリ３３０に常駐するプログラム及び他のプロセスを実行することもできる。制御器/プロセッサ３２５は、実行プロセスにより要請されるように、データをメモリ３３０の内部又は外部に移動できる。
【００４２】
制御器/プロセッサ３２５は、バックホール又はネットワークインターフェース３３５にも結合される。バックホール又はネットワークインターフェース３３５は、ｅＮＢ１０２がバックホール接続又はネットワークを介して他の装置又はシステムと通信可能にする。インターフェース３３５は、適切な有線又は無線接続を通じて通信をサポートできる。例えば、ｅＮＢ１０２がセルラー通信システム（例えば、５Ｇ、ＬＴＥ、又はＬＴＥ-Ａをサポートするもの）の一部として実現されるときに、インターフェース３３５は、ｅＮＢ１０２が有線又は無線バックホール接続を通じて他のｅＮＢと通信可能にする。ｅＮＢ１０２がアクセスポイントとして実現される場合に、インターフェース３３５は、ｅＮＢ１０２が有線又は無線ローカル領域ネットワーク又は有線又は無線接続を通じてより大きいネットワーク(例えば、インターネット)で通信可能にする。インターフェース３３５は、有線又は無線接続を通じて通信をサポートする任意の適切な構造、例えばイーサネット（登録商標）又はＲＦ送受信器を含む。
【００４３】
メモリ３３０は、制御器/プロセッサ３２５に結合される。メモリ３３０の一部は、ＲＡＭを含み、メモリ３３０の他の一部は、フラッシュメモリ又は他のＲＯＭを含んでもよい。
【００４４】
以下により詳細に説明するように、（ＲＦ送受信器３１０ａ乃至３１０ｎ、ＴＸ処理回路３１５、及び/又はＲＸ処理回路３２０を用いて実現される）ｅＮＢ１０２の送受信経路は、 ノーマルモード又はカバレッジ改善されたモードでのＰＲＡＣＨプロセスをサポートできる。
【００４５】
図３はｅＮＢ１０２の一例を示すが、図３に対する多様な変更がなされ得る。例えば、ｅＮＢ１０２は、図３に示す任意の個数の各構成要素を含む。特定の例として、アクセスポイントは、複数のインターフェース３３５を含み、制御器/プロセッサ３２５は、異なるネットワークアドレスの間でデータをルーティングするルーティング機能をサポートできる。他の特定例として、一つのインスタンスのＴＸ処理回路３１５及び一つのインスタンスのＲＸ処理回路３２０を含むものを示すが、ｅＮＢ１０２は、各々の複数のインスタンス（例えば、ＲＦ送受信器当たり一つ）を含んでもよい。
【００４６】
一部の無線ネットワークにおいて、ＤＬ信号は、情報コンテンツを搬送するデータ信号、ＤＬ制御情報（ＤＣＩ）を搬送する制御信号、及びパイロット信号とも知られている基準信号（ＲＳ）を含む。ｅＮＢ、例えば、ｅＮＢ１０２は、データ情報又はＤＣＩを各々物理ＤＬ共有チャンネル（ＰＤＳＣＨ）又は物理ＤＬ制御チャンネル（ＰＤＣＣＨ）を介して送信できる。ｅＮＢ、例えばｅＮＢ１０２は、ＵＥ-ＣＲＳ(Common RS)、チャンネル状態情報ＲＳ（ＣＲＩ-ＲＳ）、及び復調ＲＳ（ＤＭＲＳ）を含む複数タイプのＲＳのうち一つ以上を送信する。ＣＲＳは、ＤＬシステム帯域幅（ＢＷ）を通して送信され、ＵＥにより使用され、データ又は制御信号を復調するか、あるいは測定を実行することができる。ＣＲＳオーバーヘッドを減少させるために、ｅＮＢ１０２は、ＣＲＳより時間又は周波数ドメインで小さい密度を有するＣＳＩ-ＲＳを送信できる。干渉測定（ＩＭ）のために、ゼロ電力ＣＳＩ-ＲＳ(ＺＰ  ＣＳＩ-ＲＳ)に関連したＣＳＩ-ＩＭリソースが使用され得る。ＵＥ、例えばＵＥ１１４は、ｅＮＢ、例えばｅＮＢ１０２からより高いレイヤシグナリングを通じてＣＳＩ-ＲＳ伝送パラメータを決定できる。ＤＭＲＳは、各々のＰＤＳＣＨ又はＰＤＣＣＨのＢＷのみに伝送され、ＵＥ１１４は、ＤＭＲＳを用いてＰＤＳＣＨ又はＰＤＣＣＨ内の情報を復調できる。また、ｅＮＢ１０２は、１０個の連続するサブフレーム(ＳＦ)の各区間でＤＬ  ＳＦがマルチキャスト-ブロードキャスト単一周波数ネットワーク(ＭＢＳＦＮ)ＳＦとして設定されることを、ＵＥのグループに送信されたシステム情報ブロック(ＳＩＢ)を通じてＵＥ１１４に指示し、この場合、ＵＥ１１４は、ＣＲＳが単にＳＦの最初の１個又は２個のシンボルのみで送信されると予想できる。
【００４７】
一部の無線ネットワークにおいて、ＵＬ信号は、情報コンテンツを搬送するデータ信号、ＵＬ制御情報（ＵＣＩ）を搬送する制御信号、ＲＳ、及びネットワークへの接続を確立するＵＥ１１４に関連したシグナリングを含む。ＵＥ１１４は、データ情報又はＵＣＩをそれぞれの物理的ＵＬ共有チャンネル（ＰＵＳＣＨ）又は物理的ＵＬ制御チャンネル（ＰＵＣＣＨ）を介して伝送できる。ＵＥ１１４がデータ情報及びＵＣＩを同時に伝送する場合、ＵＥ１１４は、両方ともをＰＵＳＣＨで多重化できる。ＵＣＩは、ＰＤＳＣＨでのデータ転送ブロック(ＴＢ)の正しい、あるいは正しくない検出を示すハイブリッド自動再送要求確認(ＨＡＲＱ-ＡＣＫ)情報、ＵＥ１１４がそのバッファにデータを有するか否かを示すスケジューリング要請(ＳＲ)情報、及びＵＥ１１４へのＰＤＳＣＨ伝送に適したパラメータをｅＮＢ１０２が選択可能にするチャンネル状態情報(ＣＳＩ)を含むことができる。ＨＡＲＱ-ＡＣＫ情報は、正しいＰＤＣＣＨ又はデータＴＢ検出に応答して肯定応答(ＡＣＫ)、正しくないデータＴＢ検出に応答して否定応答(ＮＡＣＫ)、及び暗示的又は明示的なことができるＰＤＣＣＨ検出(ＤＴＸ)の不在を含むことができる。ＵＥ１１４がＨＡＲＱ-ＡＣＫ信号を送信しない場合、ＤＴＸは、暗示的であり得る。ＵＬ  ＲＳは、ＤＭＲＳ及びＳＲＳ(Sounding RS)を含むことができる。(ＲＥＦ３を参照)
【００４８】
各々のＰＤＣＣＨでのＤＣＩフォーマットは、各々ＵＥへ又はＵＥからデータ情報を搬送するＰＤＳＣＨ又はＰＵＳＣＨ伝送をスケジューリングできる。一部の実現形態において、ＵＥ、例えば、ＵＥ１１４は、ＰＤＳＣＨスケジューリングのためにＤＣＩフォーマット１Ａ、及びＰＵＳＣＨスケジューリングのためにＤＣＩフォーマット０をモニタリングする。これら２個のＤＣＩフォーマットは、同一のサイズを有するように設計され、共同でＤＣＩフォーマット０/１Ａと称される。それぞれのＰＤＣＣＨでの他のＤＣＩフォーマット、ＤＣＩフォーマット１Ｃは、ネットワーク設定パラメータ、又はＵＥによるランダムアクセス（ＲＡ）に対する応答、又はＵＥのグループへのページング情報に対して、システム情報ブロック（ＳＩＢ）をＵＥのグループに提供するＰＤＳＣＨをスケジューリングできる。他のＤＣＩフォーマット、ＤＣＩフォーマット３又はＤＣＩフォーマット３Ａ（合わせて、ＤＣＩフォーマット３/３Ａと称される）は、それぞれのＰＵＳＣＨ又はＰＵＣＣＨの伝送に対して送信電力制御（ＴＰＣ）命令をＵＥのグループに提供できる。
【００４９】
ＤＣＩフォーマットは、ＵＥ、例えば、ＵＥ１１４が正しい検出を確認するために、一般的にＣＲＣ（Cyclic Redundancy Check）ビットを含む。ＤＣＩフォーマットタイプは、ＣＲＣビットをスクランブリングするＲＮＴＩ（Radio Network Temporary Identifier）により識別される。単一ＵＥ、例えばＵＥ１１４へのＰＤＳＣＨ又はＰＵＳＣＨをスケジューリングするＤＣＩフォーマットにおいて、ＲＮＴＩは、セルＲＮＴＩ（Ｃ-ＲＮＴＩ）であり、ＵＥ識別子として役割する。ＵＥのグループにシステム情報（ＳＩ）を搬送するＰＤＳＣＨをスケジューリングするＤＣＩフォーマットにおいて、ＲＮＴＩは、ＳＩ-ＲＮＴＩであり得る。ＵＥのグループからＲＡに対する応答を提供するＰＤＳＣＨをスケジューリングするＤＣＩフォーマットにおいて、ＲＮＴＩは、ＲＡ-ＲＮＴＩであり得る。ＵＥのグループをページングするＰＤＳＣＨをスケジューリングするＤＣＩフォーマットにおいて、ＲＮＴＩは、Ｐ-ＲＮＴＩであり得る。ＵＥのグループにＴＰＣ命令を提供するＤＣＩフォーマットにおいて、ＲＮＴＩは、ＴＰＣ-ＲＮＴＩであり得る。各ＲＮＴＩタイプは、より高いレイヤシグナリング、例えば、ＲＲＣシグナリングを通じてＵＥ１１４に設定され得る（そして、Ｃ-ＲＮＴＩは各ＵＥにユニークである）。
【００５０】
図４は、本発明により、ｅＮＢで使用するためのＤＣＩフォーマットに対する符号化プロセスの一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【００５１】
図４に示すように、ｅＮＢ１０２は、それぞれのＰＤＣＣＨで各ＤＣＩフォーマットを別々に符号化及び伝送する。ＤＣＩフォーマットが意図された、ＵＥ１１４に対するＲＮＴＩは、特定ＤＣＩフォーマットがＵＥ１１４に対して意図されたことをＵＥ１１４が確認可能にするために、ＤＣＩフォーマットコードワードのＣＲＣをマスキングする。（符号化されない）ＤＣＩフォーマットビット４１０のＣＲＣは、ＣＲＣ計算動作４２０を用いて決定され、ＣＲＣは、ＣＲＣビットとＲＮＴＩビット４４０との間の排他的ＯＲ（ＸＯＲ）演算４３０を用いてマスキングされる。ＸＯＲ演算４３０は、ＸＯＲ（０，０）＝０、ＸＯＲ（０，１）＝１、ＸＯＲ(１，０)＝１、ＸＯＲ(１，１)＝０と定義される。マスキングされたＣＲＣビットは、ＣＲＣ加算演算４５０を用いてＤＣＩフォーマット情報ビットに加算される。チャンネル符号化は、チャンネル符号化４６０（例えば、畳み込み符号化）により実行され、次に割り当てられたリソースに適用されるレートマッチング４７０が実行される。インターリビング及び変調４８０が実行され、出力制御信号４９０が送信される。本実施形態で、ＣＲＣ及びＲＮＴＩは１６ビットを含むが、ＣＲＣ及びＲＮＴＩの両方又はいずれか一つは、１６ビットより多く又は少ないビットを含んでもよいことは理解されるはずである。
【００５２】
図５は、本発明により、ＵＥで使用するためのＤＣＩフォーマットに対する復号化プロセスの一例を示す。このフローチャートは、一連の順次的なステップを示すが、明示的に言及されない限り、このようなシーケンスから、実行、ステップやその一部の連続的な実行順序について同時発生的であるか、重複的な方式、介在又は中間ステップの発生なしに説明された連続実行ではないいかなる推論も導出されてはならない。説明された例に図示されたプロセスは、例えば、ＵＥ内の送信器チェーンにより具現される。
【００５３】
図５に示すように、ＵＥ１１４は、ｅＮＢ送信器の逆方向動作を実行し、ＵＥ１１４がＤＬ ＳＦ内のＤＣＩフォーマット割り当てを有するか否かを判定する。受信した制御信号５１０が復調され、それによるビットは、ステップ５２０でデインターリビングされる。ｅＮＢ送信器で適用されるレートマッチングは、ステップ５３０で復旧され、データがステップ５４０で復号化される。データの復号化後に、ＤＣＩフォーマット情報ビット５６０は、ＣＲＣビットを抽出した(５５０)後に獲得される。ＤＣＩフォーマット情報ビットは、ＵＥ  ＲＮＴＩとＸＯＲ演算を適用し(５８０)、それによってデマスキングされる(５７０)。ＵＥ１１４は、ＣＲＣテスト５９０を実行する。ＣＲＣテストを通過すると、ＵＥ１１４は、受信された制御信号５１０に対応するＤＣＩフォーマットが有効であると判定し、信号受信又は信号送信に対するパラメータを決定する。ＣＲＣテストが通過されない場合、ＵＥ１１４は、推定されたＤＣＩフォーマットを無視する。
【００５４】
ＰＤＣＣＨ伝送は、ＰＤＳＣＨ伝送と時分割多重化（ＴＤＭ）又は周波数分割多重化（ＦＤＭ）され得る。説明の便宜のために、本明細書ではＴＤＭのケースが考慮される。しかしながら、本発明の実施形態は、他の多重化方法にも適用可能である。第１のＵＥ、例えば、ＵＥ１１４へのＰＤＣＣＨ伝送を避けるために、第２のＵＥ、例えば、ＵＥ１１５へのＰＤＣＣＨ伝送を遮断するとき、ＤＬ制御領域の時間-周波数ドメインでの各ＰＤＣＣＨ伝送の位置は固有でない。そのため、各ＵＥは、複数の復号化動作を実行し、ＤＬ ＳＦ内にＵＥ１１４に対して意図したＰＤＣＣＨが存在するか否かを判定する。各ＰＤＣＣＨを搬送するリソースは、論理的ドメイン内で制御チャンネル要素（ＣＣＥ）にグループ化できる。所定数のＤＣＩフォーマットビットにおいて、それぞれのＰＤＣＣＨに対するＣＣＥの個数は、チャンネル符号化レートに依存する（ＱＰＳＫ（Quadrature Phase Shift Keying）が変調方式として仮定される）。ｅＮＢ１０２は、高いＤＬ信号対干渉及び雑音比（ＳＩＮＲ）を経験するＵＥよりは、低いＤＬ  ＳＩＮＲを経験するＵＥへのＰＤＣＣＨ伝送のために、より低いチャンネル符号化レート及びより多いＣＣＥを使用できる。ＣＣＥアグリゲーションレベルは、例えば、１、２、４、及び８個のＣＣＥを含むことができる。
【００５５】
複数のＵＥに情報を搬送するＤＣＩフォーマット、例えば、ＤＣＩフォーマット１Ｃ又はＤＣＩフォーマット３/３Ａは、ＵＥ共通探索空間（ＣＳＳ）で送信される。複数のＵＥに情報を搬送するＤＣＩフォーマットの伝送後に、十分なＣＣＥが残っている場合、ＣＳＳは、各々のＰＤＳＣＨ又はＰＵＳＣＨをスケジューリングするためのＤＣＩフォーマット０/１Ａを個別のＵＥに搬送できる。単一ＵＥにＰＤＳＣＨ受信又はＰＵＳＣＨ伝送のためのスケジューリング情報を搬送するＤＣＩフォーマット、例えば、ＤＣＩフォーマット０/１Ａは、ＵＥ専用探索空間（ＵＥ-ＤＳＳ）で送信できる。例えば、ＣＳＳは１６個のＣＣＥを含み、８個のＣＣＥで２個のＤＣＩフォーマットをサポートし、４個のＣＣＥで４個のＤＣＩフォーマットをサポートし、あるいは８個のＣＣＥで１個のＤＣＩフォーマットをサポートし、４個のＣＣＥで２個のＤＣＩフォーマットをサポートすることができる。ＣＳＳに対するＣＣＥは、（ＣＣＥインターリビング以前に）論理的ドメインにまず配置される。
【００５６】
通信システム動作における基本的な要件の一つは、ＵＥ１１４が接続セットアップを要請する能力である。このような要請は、一般的にランダムアクセスと称される。ランダムアクセスは、いくつかの目的のために使用され、この目的は、無線リンクを確立するときの初期アクセス、無線リンク失敗以後の無線リンク再確立、ＵＬ同期化が新たなセルに確立される必要があるときのハンドオーバー、ＵＬ同期化、ＵＬ測定に基づいたＵＥポジショニング、及びいかなる専用ＳＲリソースもＰＵＣＣＨに設定されていない場合のＳＲを含む。サービングｅＮＢ１０２でのアップリンクタイミングの取得は、ランダムアクセスの主目的のうち一つである。初期無線リンクを確立するとき、ランダムアクセスプロセスは、セル無線ネットワーク臨時識別子（Ｃ-ＲＮＴＩ）と呼ばれる固有なアイデンティティをＵＥ１１４に割り当てる役割もする。（複数のＵＥが同一のリソースを使用する）競合ベース方式又は(専用リソースがＵＥにより使用される）無競合方式 が使用され得る。
【００５７】
図６は、本発明による、ランダムアクセス手順６００を示す。シグナリングは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の基地局内の送信器チェーンにより実現される。
【００５８】
図６に示すように、ステップ１で、ＵＥ１１４は、物理的ランダムアクセスチャンネル（ＰＲＡＣＨ）リソース６１０の情報をｅＮＢ１０２から取得する。ＵＥ１１４は、ランダムアクセス（ＲＡ）プリアンブル伝送６２０（ＰＲＡＣＨプリアンブルとも称される）に対するリソースを決定し、ＲＡプリアンブルをｅＮＢ１０２に伝送する。ステップ２で、ＵＥ１１４は、ランダムアクセス応答６３０をｅＮＢ１０２から受信する。ステップ３で、ＵＥ１１４は、メッセージ３（Ｍｓｇ３）６４０と称されるものをｅＮＢ１０２に送信する。ステップ４で、ｅＮＢ１０２及びＵＥ１１４は、競合解決６５０を実行する。また、競合解決６５０のメッセージは、メッセージ４（Ｍｓｇ４）と称される。
【００５９】
特定の実施形態では、ステップ１で、ＵＥ１１４は、ＰＲＡＣＨリソース６１０及びＲＡプリアンブルフォーマットに関する情報を搬送するＳＩＢを取得する（この実施形態は図７を参照して以下に説明される）。ＰＲＡＣＨリソース６１０は、次のようなセットで構成される。ＰＲＡＣＨ伝送が発生されるＳＦ、ＰＲＡＣＨが周波数ドメインで伝送されるＲＢ、及びそれからＵＥ１１４がＰＲＡＣＨ伝送を生成するための使用に選択される（６４-Ｎｃｆ）Ｚａｄｏｆｆ-Ｃｈｕ(ＺＣ）シーケンスの数（Ｎｃｆは無競合ＰＲＡＣＨ伝送に使用するためにｅＮＢ１０２により予備されたＺＣシーケンスの数）。ＵＥ１１４は、ＰＲＡＣＨリソース６１０及びＲＡプリアンブルフォーマットを識別し、決定されたＰＲＡＣＨリソース上でＲＡプリアンブル６２０を送信し、これによってｅＮＢ１０２は、ＵＥに対する伝送タイミングを推定可能にする。ＵＥがｅＮＢに対する他のＵＬシグナリングを適合に伝送できないので、ＵＬ同期化が必要である。
【００６０】
ステップ２で、ＵＥ１１４から伝送されたＲＡプリアンブル６２０を検出する場合、ｅＮＢ１０２は、タイミングアドバンス（ＴＡ）命令を含むランダムアクセス応答（ＲＡＲ）６３０を送信し、ＵＥ１１４が自身の伝送タイミングを調整するようにし、ｅＮＢ１０２が検出したＲＡプリアンブル、ランダムアクセスプロセスのメッセージ３（Ｍｓｇ３）をＵＥ１１４が送信するようにＵＬリソースを割り当てるＵＬ承認、及び臨時Ｃ-ＲＮＴＩ（ＴＣ-ＲＮＴＩ）も伝送する。ｅＮＢ１０２により設定されたＲＡＲ時間ウィンドウ内のＲＡＲで伝送されたＲＡプリアンブルを検出することが失敗する場合、ＵＥ１１４は、新たなＲＡプリアンブルを再伝送する（すなわち、第１のステップを反復する）。また、ＵＥ１１４は、ＵＥ１１４の送信電力を調整するために電力ランピング（power ramping）を実行することができる。
【００６１】
ステップ３で、ＵＥ１１４は、Ｍｓｇ３ ６４０がＴＣ-ＲＮＴＩを含むＰＵＳＣＨでＭｓｇ３ ６４０を伝送する。Ｍｓｇ３の正確なコンテンツは、特に、ＵＥ１１４が以前にｅＮＢ１０２に接続されたか否かに関係なく、ＵＥ１１４の状態に因る。
【００６２】
ステップ４で、ｅＮＢ１０２は、ＵＥ１１４に対する競合解決メッセージ６５０をＰＤＳＣＨで伝送する。また、ステップ４は、複数のＵＥが同一のＲＡプリアンブルを用いてネットワークにアクセスしようとする場合に発生可能な任意の競合問題を解決する。
【００６３】
一旦ランダムアクセスプロセスが成功した場合、ＴＣ-ＲＮＴＩは、Ｃ-ＲＮＴＩに変換される。ステップ１は、ランダムアクセスプロセスのために特定に設計された物理レイヤプロセシングを使用する。後続する３個のステップは、ＵＥ１１４がｅＮＢ１０２との通信を確立した後にＰＤＳＣＨ又はＰＵＳＣＨ伝送において同一の物理レイヤプロセシングを使用し、この場合、ステップ２はＨＡＲＱ再伝送を使用しないが、ステップ３及びステップ４はＨＡＲＱ再伝送を使用する。
【００６４】
無競合ランダムアクセスは、ＤＬデータ到達、ハンドオーバー、及びポジショニングの際にＵＬ同期化を再確立するためにのみ使用される。無競合方式では、競合解決に対する必要性が存在しないため、前述したランダムアクセスプロセスのうちのステップ１及びステップ２のみが使用され、この場合にステップ２はＴＣ-ＲＮＴＩの代わりにＣ-ＲＮＴＩを配信できる。
【００６５】
図７は、本発明により、ＲＡプリアンブルフォーマットの４個の例を示す。図７に示すＲＡプリアンブルフォーマットの実施形態は、単に例示のためのものである。他の実施形態が本発明の範囲を逸脱せずに使用され得る。
【００６６】
図７に示すように、各ＲＡプリアンブルフォーマットは、サイクリックプレフィックス（ＣＰ）７０１、プリアンブルシーケンス７０２、及びガードタイム（ＧＴ）７０３を含む。各プリアンブルシーケンス７０２は、長さ０.８ミリ秒（ｍｓ）を有する。フォーマット７１０で、ＣＰ７０１ａ及びＧＴ７０３ａは、およそ０.１ｍｓと同一である。フォーマット１  ７２０で、ＣＰ７０１ｂは０.６８ｍｓであり、ＧＴ７０３ｂは０.５２ｍｓである。フォーマット２  ７３０及びフォーマット３  ７４０で、プリアンブルシーケンス７０２は、一回反復され、エネルギー利得を提供する。フォーマット２で、ＣＰ７０１ｃ及びＧＴ７０３ｃは、およそ０.２ｍｓと同一である。フォーマット３で、ＣＰ７０１ｄは０.６８ｍｓであり、ＧＴ７０３ｄは０.７２ｍｓである。
【００６７】
図８は、本発明により、ＵＥからのＲＡプリアンブル伝送のための例を示す。図８に示すＲＡプリアンブル伝送の実施形態は、単に例示のためのものである。他の実施形態が本発明の範囲を逸脱しない範囲で使用され得る。
【００６８】
図８に示すように、長さＮＺＣを有するＲＡプリアンブル８１０は、ＩＦＦＴ（Inverse Fast Fourier Transform）８２０により処理される。ＲＡプリアンブル８１０は、プリアンブルフォーマットがフォーマット２又はフォーマット３である場合、プリアンブルフォーマット８３０に基づいて反復される。プリアンブルフォーマット０又はフォーマット１に対して、ＲＡプリアンブル８１０は反復されない。ＣＰはＲＡプリアンブル８１０以前に挿入され（８４０）、アップサンプリング（８５０）は次に適用される。最後に、時間ドメイン周波数シフト８６０が適用され、ＵＥ１１４の無線周波数（ＲＦ）８７０の処理回路によって信号が伝送される。
【００６９】
図９は、本発明によるｅＮＢにおけるＲＡプリアンブル検出に対する例を示す。図９に示すＲＡプリアンブル検出の実施形態は、単に例示のためのものである。他の実施形態が本発明の範囲を逸脱することなく使用され得る。
【００７０】
図９に示すように、受信された信号９０５は、まずＣＰ除去ユニット９１０により処理され、次にＤＦＴ（Discrete Fourier Transform）がＤＦＴユニット９１５により適用される。ＤＦＴユニット９１５の出力は、ユニット９２０内のサブキャリアデマッピング部により処理され、ＲＡプリアンブル伝送のサブキャリアを獲得する。次に、ＺＣルートシーケンス９２５のＤＦＴ９３０と共役であるＲＡプリアンブルの複製との相関が相関器９４０により適用され、ここで、ＺＣシーケンス９２５は、競合ベースのＰＲＡＣＨ伝送のための競合ベースのランダムアクセスに対して使用可能なシーケンスの各々であり得る。ゼロパディング（padding）９４５が相関器出力に適用される。ゼロパディング９４５の結果は、ＩＤＦＴ（Inverse DFT）によりプロセシングされる。ＩＤＦＴ出力のエネルギーが獲得され(９５５)、最終にシーケンス検出ユニット９６０は、それぞれのシーケンスに対して検出されたエネルギーに基づいてＲＡプリアンブルが送信されるか否かを判定し、この場合、例えば、最大エネルギー、又はしきい値を超えるエネルギーを引き起こすシーケンス９２５が検出されると見なされる。複数の受信器アンテナが存在する場合、各々の受信された信号は、シーケンス検出９６０以前に結合され得る（９５５）。
【００７１】
物理レイヤＬ１の側面から見ると、ランダムアクセスプロセスは、ＲＡプリアンブル及びＲＡＲの伝送を含む。残りのメッセージは、ＰＤＳＣＨ又はＰＵＳＣＨで上位レイヤによる伝送のためにスケジューリングされ、Ｌ１ランダムアクセスプロセスの一部として見なされない。ＰＲＡＣＨは、ＲＡプリアンブル伝送のために予備された連続的なＳＦのセット又はＳＦ内で６個のＲＢを占める。ｅＮＢ１０２は、ＲＡプリアンブル伝送のために予備されたＲＢ内のデータをスケジューリングすることが許可される。次のステップが、Ｌ１ランダムアクセスプロセスで要求される：
【００７２】
１．上位レイヤによるプリアンブル伝送の要請時にトリガされるＬ１ ＲＥプロセス。  ２．ＲＡプリアンブルインデックス、ターゲットＲＡプリアンブル受信された電力（ＰＲＥＡＭＢＬＥ_ＲＥＣＥＩＶＥＤ_ＴＡＲＧＥＴ_ＰＯＷＥＲ）、対応するＲＡ-ＲＮＴＩ及び要請の一部として上位レイヤにより表示されるＰＲＡＣＨリソース。プリアンブル送信電力ＰＰＲＡＣＨは、＜数式１＞として決定される。
【００７３】
【数１】
2019146261.tif 000003
【００７４】
ここで、ＰCMAX,c（ｉ）は、サービングセルｃのＳＦｉに対して設定されたＵＥ送信電力であり（ＲＥＦ６を参照）及びＰＬｃは、サービングセルｃに対してＵＥで計算されたＤＬ経路損失推定値である（ＲＥＦ４を参照）。
【００７５】
３．プリアンブルインデックスを用いてプリアンブルシーケンスセットから選択されたプリアンブルシーケンス。
４．表示されたＰＲＡＣＨリソース上で送信電力ＰPRACHで選択されたプリアンブルシーケンスを用いて伝送された単一プリアンブル。
５.上位レイヤにより制御されるウィンドウの間に試みられるＲＡ-ＲＮＴＩ表示があるＰＤＣＣＨの検出。検出された場合、対応する伝送ブロックは、上位レイヤに送られ、このレイヤは伝送ブロックをパーシングし、物理的レイヤに対するアップリンク承認(grant)を表示する。これはＲＡＲ承認と称される。Ｌ１ランダムアクセスプロセスにおいて、ランダムアクセスプリアンブル伝送以後のＵＥに対するＵＬ伝送タイミングは、次のようである。
【００７６】
ａ.関連したＲＡ-ＲＮＴＩを有するＰＤＣＣＨがＳＦｎで検出され、ＰＤＳＣＨ内の対応伝送ブロックが、伝送されたプリアンブルシーケンスに対する応答を含む場合、ＵＥは、この応答内の情報により、ＲＡＲ内のＵＬ遅延フィールドがゼロに設定されると、第１のＳＦｎ＋ｋ１、ｋ１≧６でＰＵＳＣＨで伝送ブロックを送信し、ここで、ｎ＋ｋ１は、ＰＵＳＣＨ伝送において第１の使用可能なＵＬ ＳＦである。ＵＥは、ＵＬ遅延フィールドが１に設定されると、ｎ＋ｋ１以後に次の使用可能なＵＬに対するＰＵＳＣＨ伝送を延期する。
【００７７】
ｂ.ＲＡＲがＳＦｎで受信され、ＰＤＳＣＨ内の対応伝送ブロックが、転送されたプリアンブルシーケンスに対する応答を含まない場合に、ＵＥは、上位レイヤにより要請されると、遅くともＳＦｎ＋５までは新たなプリアンブルシーケンスを伝送する。
【００７８】
ｃ．いかなるＲＡＲもＳＦｎで受信されない場合（ここで、ＳＦｎは、ＲＡＲウィンドウの最終ＳＦ）、ＵＥは、上位レイヤにより要請されると、遅くともＳＦｎ＋４までは新たなプリアンブルシーケンスを伝送する。
【００７９】
ランダムアクセス手順がＳＦｎで“ＰＤＣＣＨオーダー（order）”（ＲＥＦ３を参照）により開始される場合、ＵＥ１１４は、上位レイヤにより要請される場合、第１のＳＦｎ＋ｋ２、ｋ２≧６でランダムアクセスプリアンブルを伝送し、このとき、ＰＲＡＣＨリソースが使用可能である。ＵＥ１１４が複数のＴＡグループ（ＴＡＧ）により設定される場合、及びＵＥ１１４が意図されたサービングセルを識別するようにＰＤＣＣＨにより搬送されるＤＣＩフォーマット内に含まれたキャリアインジケータフィールドにより設定される場合、ＵＥ１１４は、検出された“ＰＤＣＣＨオーダー”からキャリアインジケータフィールド値を使用して、対応するランダムアクセスプリアンブル伝送のためのサービングセルを決定する。
【００８０】
ＲＡプリアンブルが伝送されると、可能な測定ギャップの発生に関係なく、ＵＥ１１４は、ＲＡＲに対するＰＤＣＣＨをモニタリングする。ＲＡＲに対するＰＤＣＣＨは、３個のＳＦに加えてＲＡプリアンブル伝送の端部を含むＳＦで始まり、長さｒａ-ＲｅｓｐｏｎｓｅＷｉｎｄｏｗＳｉｚｅ  ＳＦを有するＲＡＲウィンドウ内のＲＡ-ＲＮＴＩにより識別される。ＲＡプリアンブルが伝送されるＰＲＡＣＨに関連したＲＡ-ＲＮＴＩは、＜数式２＞により計算される。
【００８１】
【数２】
2019146261.tif 000004
【００８２】
ここで、ｔ_ｉｄは、特定ＰＲＡＣＨ（０≦ｔ_ｉｄ＜１０）の第１のＳＦのインデックスであり、ｆ_ｉｄは、周波数ドメイン（０≦ｆ_ｉｄ＜６）の昇順（ascending order）に存在する該当ＳＦ内の特定ＰＲＡＣＨのインデックスである。ＵＥ１１４は、伝送されたＲＡプリアンブルとマッチングするＲＡプリアンブル識別子を含むＲＡＲの成功的な受信以後にＲＡＲに対するモニタリングを中断できる。
【００８３】
マシンタイプ通信（ＭＴＣ）ＵＥにおいて、既に配置された無線アクセス技術を使用し、スケールの経済性を活用してコストを制御することが、ＭＴＣ ＵＥに対する特定の新たな無線アクセス技術を生成するよりは効率的である。したがって、ＬＴＥがＭＴＣ ＵＥに対する無線アクセス技術になるようにすることは重要である。ＭＴＣ ＵＥは、一般的に低い動作電力消耗を要求しつつ、頻繁でない小さいバースト伝送と通信すると予想される。また、建物内側に深く配置されているＭＴＣ ＵＥに対する大きな市場が存在し、これは、従来のＬＴＥセルカバレッジフットプリントに比べて相当なカバレッジ改善（ＣＥ）を要求できる。
【００８４】
ＭＴＣ ＵＥは、住居用建物の地下、又は一般的には、通常のＵＥより相当に大きい侵入損失（penetration  losses）を経験する位置に設置され得る。極端なカバレッジシナリオでは、ＭＴＣ ＵＥが、例えば、非常に低いデータレート、より大きい遅延耐性（delay  tolerance）、及び非移動性のような特性を有することができ、それによって、潜在
的には一部メッセージ/チャンネルがなくても動作できる。改善されたカバレッジ動作モードで、ＭＴＣ ＵＥに対して要求されるシステム機能は、同期化、セル探索、電力制御、ランダムアクセスプロセス、チャンネル推定、測定報告、及びＤＬ/ＵＬデータ伝送（ＤＬ/ＵＬリソース割り当てを含み）を含むと仮定される。すべてのＭＴＣ ＵＥがＣＥを要求することでなく、又は同一の量のＣＥを要求することではない。したがって、物理チャンネルに対するＣＥが追加リソースを消耗し、それによってより低いスペクトル効率をもたらすため、このようなＣＥを要求するＭＴＣ ＵＥに対してのみ関連技術を実現しなければならない。
【００８５】
ＣＥは、ＦＤＤ及びＴＤＤシステムの両方でサポートされる必要がある。ＴＤＤシステムにおいて、１０個のＳＦを含むフレーム内の一部ＳＦでの通信方向はＤＬであり、一部の他のＳＦではＵＬである。＜表１＞は、１フレーム期間で表示的ＴＤＤ ＵＬ/ＤＬ設定をリストする。＜表１＞において、“Ｄ”はＤＬ ＳＦを示し、“Ｕ”はＵＬ ＳＦを示し、“Ｓ”はＤｗＰＴＳと称されるＤＬ伝送フィールド、ＧＰ（Guard Period）、及びＵｐＰＴＳと称されるＵＬ伝送フィールドを含む特別なＳＦを示す［ＲＥＦ１を参照］。総持続時間が１ＳＦ(１ｍｓ)である条件が適用される特別なＳＦ内の各フィールドの持続時間に対して、いくつかの組み合わせが存在する。
【００８６】
【表１】
2019146261.tif 000005
【００８７】
既存のＬＴＥ設計は、例えば、１５ｄＢのような高いＣＥが要求されるため、すべての配置シナリオに対して要求されるＣＥを満足させることができなかった。また、他の配置シナリオでは、要求されたＣＥが異なるｅＮＢに対して、例えば、ｅＮＢ送信電力、関連したセルサイズ、又は個数又は受信器アンテナに従って異なることができる。さらに、要求されたＣＥは、異なるＵＥに対して、例えば、ＵＥの位置に従って異なることがある。
【００８８】
本発明の実施形態は、ＵＥに対して要求されるＣＥレベルによるランダムアクセスプロセスのために、スケール可能な（scalable）ＣＥをサポートするメカニズムを提供する。本発明の実施形態では、ＵＥが、測定又は他の統計に基づいて、又はｅＮＢによる設定に基づいて、初期ＣＥレベルに対する推定に関連したＲＡプリアンブル伝送のための初期の反復回数を決定し、ＵＥが推定された初期ＣＥレベルに対応するＲＡプリアンブル送に対する応答をｅＮＢから受信しない場合には、より高いＣＥレベルに関連したＲＡプリアンブル伝送のための後続の反復回数を決定するメカニズムを提供する。また、本発明の実施形態では、ＵＥがＲＡプリアンブル伝送に対する応答のための反復回数を決定するメカニズムを提供する。また、本発明の実施形態では、ＵＥがＲＡプリアンブル伝送に対する応答をｅＮＢから受信した後に、ｅＮＢへのＭｓｇ３伝送のための反復回数を決定するメカニズムを提供する。
ＵＥによるＰＲＡＣＨリソースの決定及びＲＡプリアンブルの伝送
【００８９】
特定の実施形態で、ＵＥ１１４は、信号、例えばＣＲＳ又はＣＳＩ-ＲＳからサービン
グセルｃに対する経路損失ＰＬｃを決定する。次に、ＵＥ１１４は、＜数式３＞でＲＡプリアンブル送信電力ＰＰＲＡＣＨを決定する。
【００９０】
【数３】
2019146261.tif 000006
【００９１】
ここで、ＰCMAX,CはサービングセルｃでＳＦに対して設定された最大ＵＥ送信電力である（ＰCMAX,CはＳＦ特定であるが、各々のインデックスは、簡略化のために省略される）。
【００９２】
ＰＬｔｈを経路損失しきい値として示し（例えば、ＰＬｔｈは、参照ＳＦに対してＰＰＲＡＣＨ＝ＰCMAX,ｃを引き起こし）、単純化のためにｅＮＢ１０２は、追加電力オフセットを設定しないと仮定する場合、ＰＬｃがＰＬｔｈより大きくない場合には、ＵＥ１１４が通常の方法を使用してＲＡプリアンブルを伝送する。これとは異なり、ＰＬｃ＞ＰＬｔｈである場合には、ＵＥ１１４は、より多くのＰＲＡＣＨリソース、例えば、時間ドメインでのより多くのリソースを用いてＲＡプリアンブルを伝送できる。例えば、ＲＡプリアンブルは、異なるＳＦで反復を用いて伝送され得る。マッピングは、ＲＡプリアンブル伝送用のそれぞれのリソースのセットで経路損失範囲のセットを連結する上位レイヤシグナリング、例えば、ＳＩＢでのシグナリングを通じて、詳細により又はｅＮＢ１０２によりＵＥ１１４に提供され得る。例えば、後述するように、マッピングは、経路損失範囲からＲＡプリアンブル反復の回数へのマッピングであり、各反復の回数は、関連したＰＲＡＣＨリソース設定を有することができる。次に、このマッピングに基づいて、ＵＥ１１４は、ＵＥ１１４が計算した経路損失に基づいてＰＲＡＣＨリソースのセットを決定できる。
【００９３】
図１０Ａは、本発明により、ＵＥがＰＲＡＣＨリソースを決定する動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【００９４】
図１０Ａに示すように、ＵＥ１１４は、ステップ１０１０で経路損失を測定する。ステップ１０２０で、ＵＥ１１４は、測定された経路損失を含む経路損失範囲に対応するＰＲＡＣＨ設定のマッピングをＳＩＢから取得する。ＵＥ１１４は、次にステップ１０３０で、取得したマッピングからＰＲＡＣＨリソース設定を決定する。
【００９５】
一般的に、ＵＥ１１４がＲＡプリアンブル伝送のためのリソースを調整するための２個の寸法、すなわち、時間、周波数、又はプリアンブル（コード）ドメインのうち一つ以上でリソースにマッピングされるＲＡプリアンブルの反復回数及び送信電力が存在する。２個の上記した寸法でのリソースの任意の組み合わせが適用できる。例えば、まずＵＥ１１４は、例えば、＜数式３＞のように、初期送信電力でＲＡプリアンブルを伝送し、ＵＥ１１４がそれぞれの時間ウィンドウ内でＲＡＲの受信に失敗する場合、ＵＥ１１４は、送信電力がＰCMAX,Cより大きくない限り、より高い送信電力でＲＡプリアンブルを再伝送する（電力ランピング）。
【００９６】
ＵＥ１１４は、後続ＲＡＲを受信しない場合に、ＲＡプリアンブル送信電力を増加させるように、電力ランピングステップδstepで、上位レイヤシグナリングにより設定される。ＵＥ１１４が反復してＲＡプリアンブルを伝送する場合、電力ランピングステップは、反復なしにＵＥ１１４がＲＡプリアンブルを伝送する場合と同一であり、又はＵＥ１１４は、ＣＥレベルに対応する各ＲＡプリアンブル反復レベルに対して別に設定され、又はＵＥ１１４は、ＣＥレベルでのＲＡプリアンブル伝送試みの回数（この回数は、各ＣＥレベルに対して個別的に通知され、あるいはすべてのＣＥレベルに対して同一）によって暗示的に決定できる。
【００９７】
電力ランピングは、異なる経路損失しきい値（ＣＥレベル）に関連する。例えば、δ1,2ｄＢだけ異なる第１のＣＥレベル及び第２のＣＥレベルにおいて、ＵＥ１１４がＲＡＲを受信しない場合、第２のＣＥレベルに対するＲＡプリアンブル伝送を続ける以前にＵＥ１１４が実行する、第１のＣＥレベルに対するＲＡプリアンブル伝送の回数Ｎ１（ここで、各ＲＡプリアンブル伝送は第１の反復回数Ｒ１を含み）は、
【００９８】
【数４】
2019146261.tif 000007
【００９９】
又は
【０１００】
【数５】
2019146261.tif 000008
【０１０１】
であり、ここで、
【０１０２】
【数６】
2019146261.tif 000009
【０１０３】
は、各々δ1,2及びδstepの線形値である。δstepが非ＣＥ動作に比べて、ＣＥレベルに対してＵＥ１１４に個別的に設定される場合、（ＵＥがＲＡＲを受信しないと）ＣＥレベルｋ＋１に継続する以前に、Ｎｋ個の伝送各々に対するＲｋ個の反復で、ＵＥ１１４がＣＥレベルｋで実行するプリアンブル伝送の回数Ｎｋは
【０１０４】
【数７】
2019146261.tif 000010
【０１０５】
である。ここで、
【０１０６】
【数８】
2019146261.tif 000011
【０１０７】
はδk,k+1δstep,kの線形値であり、δk,k+1は、ＣＥレベルｋ及びｋ＋１のｄＢ差であり、δstep,k はＣＥレベルｋで設定された電力ランピングステップ値である。次に、ＵＥ１１４がＰCMAX,ｃで伝送するか、あるいはＣＥレベルｋに対する回数Ｎｋより小さい伝送の回数以後に、ＰCMAX,cに到達し、ＵＥ１１４がＲＡＲを受信しない場合でも、ＵＥ１１４は、ＣＥレベルｋに対するＲＡプリアンブル伝送を継続し、ＲＡＲを受信せずにＣＥレベルｋでＮｋ回のＲＡプリアンブル伝送を使い果たす以前には、ＣＥレベルｋ＋１に対するＲＡプリアンブル伝送を継続しない。あるいは、ＣＥレベルｋでＲＡプリアンブル伝送の回数Ｎｋが設定され、電力ランピングステップδstep,k はδk,k+1と独立的であり得る。電力ランピングが可能であり、ＵＥ１１４がＲＡＲ受信することなくＣＥレベルｋでＮｋＲＡプリアンブル伝送を使い果たす以前にＰCMAX,ｃに到達する場合、ＵＥ１１４は、ＰCMAX,ｃを用いてＣＥレベルｋで残りのＲＡプリアンブル伝送を継続する。
【０１０８】
次に、反復レベルＲｋを有する所定の回数ＮｋのＲＡプリアンブル伝送以後に、ＵＥ１１４が各々の時間ウィンドウ内でＲＡＲの受信に失敗する場合、ＵＥ１１４は、Ｒｋ＋１＞Ｒｋ反復を含み、異なる経路損失しきい値に対応する次のより高く設定された反復レベルでＲＡプリアンブルを伝送する。伝送ごとにＲｋ＋１反復を有する所定の回数Ｎｋ＋１のＲＡプリアンブル伝送以後にもＵＥ１１４がＲＡＲを受信しない場合、ＵＥ１１４は、Ｒｋ＋２＞Ｒｋ＋１反復を含む次のより高く設定された反復レベルを使用するＲＡプリアンブル再伝送を継続し、これは、最大ＣＥレベルに到達するまで継続される。各レベルでのＲＡプリアンブルに対する反復の回数と同様に、各レベルでの総ＲＡプリアンブル伝送の回数が、システム情報によりＵＥ１１４に提供できる。次に、ＣＥレベルｋに関するＲＡプリアンブル反復の回数Ｒｋ及び総ＲＡプリアンブル伝送（各々はＲｋ反復を有する）の回数Ｎｋが、すべて、システム情報によりＵＥ１１４に提供される。あるいは、伝送の回数がすべての反復レベルに対して同一であり、システム情報により提供される。
【０１０９】
ＤＬカバレッジ限定されたＵＥが反復なしにＲＡプリアンブルを伝送する場合（ＵＥは、ＵＬカバレッジ限定されない）、それぞれのリソースは、ＤＬカバレッジ限定されたＵＥに対して意図的システム情報内に含まれ得る。したがって、ＤＬカバレッジＵＥに対するシステム情報は、少なくともＲＡプリアンブル伝送に対しては、ＵＬカバレッジ限定されたＵＥ及びＵＬカバレッジ限定されないＵＥの両方ともに関する情報を含むことができる。ＤＬカバレッジ限定されないが、ＵＬカバレッジ限定されるＵＥ１１４は、ＲＡプリアンブル反復に関する、一般的にはＰＲＡＣＨプロセスに関する情報を、ＤＬカバレッジ限定されたＵＥに関するシステム情報から獲得できる。同様に、ＤＬカバレッジ限定されないＵＥに関するシステム情報も、ＵＬカバレッジ限定されたＵＥに対するＰＲＡＣＨプロセスの情報を含むことができる。
【０１１０】
上記手順の変形において、ＵＥ１１４がそれぞれＳＩＢを搬送するそれぞれのＰＤＳＣＨの反復により、又はＭＩＢを搬送するそれぞれの物理的ブロードキャストチャンネル（Ｐ-ＢＣＨ）の反復により定義されるＣＥモードでマスタ情報ブロック（ＭＩＢ）又はＳＩＢを検出する場合、ＵＥ１１４は、ＵＥ１１４が（それの計算された経路損失に基づいて）決定した初期ＲＡプリアンブル送信電力がＰCMAX,ｃより大きいか小さいかに関係なく、すなわち、ＵＥ１１４がＵＬカバレッジ限定されるか否かに関係なく、ＲＡプリアンブル伝送に対してＣＥモードで動作する（すなわち、ＵＥ１１４がＤＬカバレッジ限定される場合、ＵＥ１１４は、ＵＥがそうでない場合でもＵＥ１１４がＵＬカバレッジ限定されるように動作する）。このようなアプローチ方式に対する理由は、場合によってＵＥ動作を単純化させ、すべてのこのようなＵＥがＤＬカバレッジ限定される場合に、ＵＬカバレッジ限定されたＵＥとＵＬカバレッジ限定されないＵＥとの間に共通設計を確立しようとするものである。
【０１１１】
ＵＬ  ＣＥモードでのＵＥ１１４の動作において、＜数式３＞のように計算された初期送信電力がＰCMAX,ｃより大きくない場合、ＵＥ１１４は、Ｒ１反復の各々において初期送信電力でＲＡプリアンブルを伝送し、ＵＥ１１４がそれぞれの時間ウィンドウでＲＡＲの受信に失敗する場合、ＵＥ１１４は、次のＲ１反復においてＲＡプリアンブル送信電力を所定のステップδstep,１だけ増加させる。数回のＲＡプリアンブル再伝送以後に、ＲＡプリアンブル送信電力の追加増加がＰCMAX,ｃより大きい値を引き起こす場合、Ｒ１反復を有するＲＡプリアンブルの次の再伝送は（それぞれのＳＦで）ＰCMAX,ｃと同一の電力で行われる。
【０１１２】
ＣＥモードでＵＥが常にＰCMAX,ｃと同一の電力でＲＡプリアンブルを伝送しない理由は、同一の反復レベルに対するＲＡプリアンブルの多重化が、コード（プリアンブル）ドメインで行われ、同一でない受信電力は“遠近（near-far）”効果を招くことによって、他のＲＡプリアンブルより小さい電力で受信されたＲＡプリアンブルの受信信頼性を低下させる可能性があるので、異なるＵＥからのＲＡプリアンブルがｅＮＢから類似した電力で受信されることが望ましいためである。したがって、＜数式３＞のように初期ＲＡプリアンブル送信電力を決定し、ＲＡプリアンブルが反復して伝送される場合にもＰCMAX,ｃを使用しないことが有利であり得る。（相異なるＣＥレベルに対応する）異なる反復レベルを有するＲＡプリアンブル伝送は、異なる周波数の時間リソースを用いて上記した“遠近”効果を避けることができ、その理由は、異なる反復レベルは、例えば異なる経路損失によって、それぞれのＲＡプリアンブル受信された電力が大きく異なる差分に対応し、異なる時間リソースまたは異なる周波数リソースが使用可能であるためである。
【０１１３】
＜表２＞は、送信電力の大きさにおける例示的なＲＡプリアンブルリソース調整を提供する。＜表３＞は、ＲＡプリアンブル伝送において反復の回数による例示的なＲＡプリアンブルリソース（時間、又は周波数、又はプリアンブルドメイン）調整を提供する。＜表２＞で、経路損失は、２個のカテゴリを有し、初期ＲＡプリアンブル送信電力は、各々２個の設定を有する。ＰＬｔｈより大きくない経路損失において、ＵＥ１１４は、ＲＡプリアンブルを伝送するために電力ランピングを有する通常の方法を使用でき、又はＵＥ１１４がＵＬカバレッジ限定されると仮定すると、第１のＣＥレベルを有する（最大設定された伝送回数Ｎ１に対する）連続するＲＡプリアンブル再伝送間の電力ランピングをまた使用しつつ、ＵＥ１１４は、第１の回数Ｒ１のＲＡプリアンブル反復を使用できる。ＰＬｔｈより大きい経路損失において、ＵＥ１１４は、ＵＥ１１４が反復回数を増加させないと、初期ＲＡプリアンブル送信電力としてＰCMAX,ｃを使用できる。
【０１１４】
＜表３＞で、異なるリソース（時間、又は周波数、又はプリアンブルコード）設定がＲＡプリアンブル反復の回数に従ってマッピングされ得る。ＲＡプリアンブル伝送ごとに各ＲＡプリアンブル反復の回数は、各々ＣＥレベルに対応し、それはＲ１＜Ｒ２＜Ｒ３と仮定される。
【０１１５】
【表２】
2019146261.tif 000012
【０１１６】
【表３】
2019146261.tif 000013
【０１１７】
例えば、＜表２＞、＜表３＞、＜表４Ａ＞、＜表４Ｂ＞、＜表４Ｃ＞のように後続する表の一部は、＜表２＞及び＜表３＞の組み合わせに対する特定のケースとして示されることができる。
【０１１８】
＜表４＞は、経路損失δPL1及びδPL2、及び反復回数Ｒ１、Ｒ２、及びＲ３（Ｒ１＜Ｒ２＜Ｒ３）に関するＰＲＡＣＨリソース設定の例を提供し、これらは、例えば、ＳＩＢのようなシステム情報により）設定され、あるいはシステム動作で予め定義され得る。また、ＰＲＡＣＨリソース設定は、（例えば、ＳＩＢのようなシステム情報により）設定され得る。例えば、Ｒ１＝４、Ｒ２＝１６、及びＲ３＝３２でδPL1＝６ｄＢ及びδPL2＝１２ｄＢであり得る。＜表４＞が経路損失範囲に対して４個のカテゴリを示すが、異なる個数のカテゴリ、例えば、２個のカテゴリが＜表２＞のように適用できる。同様に、他の表、例えば＜表３＞、＜表５＞、＜表５Ａ＞に対しても適用可能である。
【０１１９】
【表４】
2019146261.tif 000014
【０１２０】
＜表４＞における情報の一部は、第１のＳＩＢでｅＮＢ１０２によりブロードキャストされ得る。ｅＮＢ１０２は、第１のＳＩＢ（ＳＩＢ１）又は第２のＳＩＢ（ＳＩＢ２）のようなＳＩＢで、所定のＰＲＡＣＨ反復回数のセットからのＰＲＡＣＨ（ＲＡプリアンブル）反復の回数、及び各々の経路損失範囲を含むことができる。異なるｅＮＢは、それぞれのＣＥターゲットにより、異なるＰＲＡＣＨ反復の回数を含むことができる。例えば、第１のｅＮＢ１０２は、ＳＩＢに‘００’値を用いる回数Ｒ１の表示を含み、第２のｅＮＢ１０３は、ＳＩＢに‘０１’値を用いる回数Ｒ２の表示を含むことができる。ＳＲ２がＳＩＢに含まれている場合、それは、Ｒ１及びＲ２が両方ともにサポートされることを示すか、あるいはＲ２のみがサポートされることを示す。ＳＩＢ内のＣＥレベルに対するＰＲＡＣＨ反復の回数に対する表示を受信するＵＥ１１４は、ＣＥレベルに対して表示された反復に従ってＰＲＡＣＨを反復する。あるいは、ＲＡプリアンブル反復に対する回数及びそれぞれの経路損失範囲は、システムオペレーション時に予め定められ得る。
【０１２１】
代案では、ｅＮＢ１０２がＳＩＢ内にそのターゲットとされたＣＥレベルを直接に含むことである。異なるｅＮＢは、異なるそれぞれのターゲットとされたＣＥレベルを含むことができる。例えば、２ビットフィールドが使用され、ここで、‘００’は第１のレベルを表示し、‘０１’は第２のレベルを表示する。ＵＥ１１４が表示されたＣＥレベルをｅＮＢ１０２から受信すると、ＵＥ１１４は、ＰＲＡＣＨの反復の回数又はＰＲＡＣＨの反復のためのリソースまで導出でき（例えば、ＣＥレベルマッピング、又は反復の回数、及び反復のためのリソースが予め定義される場合）、これらは、所定のマッピング表に基づくことができる。例えば、第１のＣＥレベルは、ＵＥ１１４がＲ１回数でＰＲＡＣＨを反復することを意味し、第２のＣＥレベルは、ＵＥ１１４がＲ２回数でＰＲＡＣＨを反復することを意味する。
【０１２２】
本発明の特定の実施形態は、上記した情報をＰ-ＢＣＨで送信したＭＩＢ内に含み、またＵＥ１１４は、次にＳＩＢの伝送のためにｅＮＢ１０２が使用するＣＥレベルを決定することができる。
【０１２３】
図１０Ｂは、本発明によるＵＥがＰＲＡＣＨ反復の回数を決定するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１２４】
図１０Ｂに示すように、ＵＥは、ステップ１０４０で、ＣＥレベルを（例えば、測定された経路損失によって、ＳＩＢ、又はＭＩＢを通じて）決定する。ＵＥは、ステップ１０５０で、ＰＲＡＣＨ反復の回数を決定する（ＵＥは、ＰＲＡＣＨ反復に対するリソースへのＣＥレベルのマッピングが予め定義されている場合、ＰＲＡＣＨ反復に対するリソースを決定できる）。その後、ＵＥは、ステップ１０６０で、決定された反復によってＰＲＡＣＨを伝送する。
【０１２５】
図１０Ｃは、本発明により、ＵＥがＳＩＢ反復を決定する動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１２６】
図１０Ｃに示すように、ステップ１０７０で、ＵＥは、ＭＩＢを通してセルに対するＣＥレベルを受信する。ＵＥは、ステップ１０８０で、ＳＩＢ反復の回数を決定する（ＳＩＢ反復に対するリソースへのＣＥレベルのマッピングが予め定められている場合、ＵＥは、ＳＩＢ反復に対するリソースを決定できる）。その後、ＵＥは、ステップ１０９０で、決定された反復に従ってＳＩＢを受信する。
【０１２７】
ＰＲＡＣＨリソースは、経路損失（ＣＥレベル）の各カテゴリに対して相互に直交できる。例えば、第１のセットのＳＦ又は第１のセットのＲＢが、各々のＰＲＡＣＨ伝送に対していかなる反復も使用せずにＵＥから使用される一方、第２のセットのＳＦ又は第２のセットのＲＢは、ＰＲＡＣＨ伝送に対してＲ３反復を用いてＵＥから使用され得る。
【０１２８】
あるいは、ＰＲＡＣＨリソースは、重なることができ、ｅＮＢ１０２は、次に各可能なＰＲＡＣＨリソースに対して検出されたエネルギーを考慮してＲＡプリアンブル検出を決定できる。例えば、同一のＺＣシーケンスにおいて、ＰＲＡＣＨ伝送の反復なしに対応するＰＲＡＣＨリソースでの第１の検出エネルギーがＰＲＡＣＨ伝送の反復に対応するＰＲＡＣＨリソースで第２の検出エネルギーの第１のしきい値内にあり、第１の検出エネルギー又は第２の検出エネルギーが第２のしきい値より大きい場合、ｅＮＢ１０２は、ＺＣシーケンスの伝送が反復されると仮定する。そうでない場合、ｅＮＢ１０２は、いかなるＰＲＡＣＨ伝送も存在しないと仮定するか（例えば、第１の検出エネルギーが第２のしきい値より低く、第２の検出エネルギーに対する第１のしきい値内にない場合）、あるいはいかなる反復もないと仮定できる（例えば、第１の検出エネルギーが第２のしきい値より高く、第２の検出エネルギーに対する第１のしきい値内にない場合）。
【０１２９】
＜表４＞で、カテゴリ１ＵＥの場合、ＳＩＢ２に表示されたＰＲＡＣＨリソース設定は、カテゴリ１の通常のＵＥに対するＰＲＡＣＨリソース設定と同一であるか、異なることができる。後者の場合、ＵＥ１１４により選択されたＰＲＡＣＨリソース設定は、ＵＥがＵＬカバレッジ限定されるか否かをｅＮＢ１０２に指示できる。
【０１３０】
ｅＮＢ１０２は、次のオプションのうちいずれか一つを用いてＰＲＡＣＨリソース設定をＵＥに配信できる。
【０１３１】
第１のオプションで、ＰＲＡＣＨリソースは、ＣＥ（ＳＩＢ-ＣＥ）を要求するＵＥに対するＳＩＢに表示され得る。ＳＩＢ-ＣＥは、非ＣＥ通常的なＵＥに対するＳＩ-ＲＮＴＩと同一のＳＩ-ＲＮＴＩでスクランブルされたＣＲＣを有するＤＣＩフォーマットを搬送するＰＤＣＣＨによりスケジューリングできるＰＤＳＣＨで伝送される。ＳＩＢ-ＣＥに対するＳＩ-ＲＮＴＩを有するＰＤＣＣＨは、改善された信頼性で所定の設定（例えば、所定のＣＣＥ位置、所定のＤＣＩフォーマット、所定のＣＣＥアグリゲーションレベルなど）とともに伝送でき、この定義された設定によりＵＥはそれを非ＣＥ ＵＥに対するＳＩＢをスケジューリングするＳＩ-ＲＮＴＩを有するＰＤＣＣＨと差別化できる。第１の実施形態では、ＣＣＥの予備されたセットがＳＩＢ-ＣＥをスケジューリングするＰＤＣＣＨの伝送に使用でき、ここで、ＣＣＥの予備されたセットは、非ＣＥ ＵＥに対するＳＩＢをスケジューリングするＰＤＣＣＨの伝送に使用されない。第２の実施形態で、ＳＩＢ-ＣＥをスケジューリングするＰＤＣＣＨは、第１のセットのＳＦで伝送される一方、ＳＩＢ２をスケジューリングするＰＤＣＣＨは、第２のセットのＳＦで伝送され、ここで、第１及び第２のセットのＳＦはいかなる共通ＳＦも有しない。ＵＥ１１４は、所定の伝送設定を仮定しつつ、ＳＩＢ-ＣＥに対するＳＩ-ＲＮＴＩを有するＰＤＣＣＨをモニタリングできる。ＳＩＢ-ＣＥを搬送するＰＤＳＣＨに対する伝送設定は、非ＣＥ ＵＥに対するＳＩＢを搬送するＰＤＳＣＨの伝送設定と異なることができる。例えば、ＳＩＢ-ＣＥに対する伝送設定は、カバレッジを改善するための複数のＳＦでの反復を含み、例えば、ＳＩＢ-ＣＥに対するＳＩ-ＲＮＴＩを有するＰＤＣＣＨにより設定することができる。
【０１３２】
第２のオプションで、ＰＲＡＣＨリソースは、ＣＥ ＵＥ（ＳＩＢ-ＣＥ）に対するＳＩＢに表示することができる。ＳＩＢ-ＣＥは、非ＣＥ ＵＥに対して使用されたＳＩ-ＲＮＴＩと異なるＳＩ-ＣＥ-ＲＮＴＩでスクランブルされたＣＲＣを有するＤＣＩフォーマットを搬送するＰＤＣＣＨによりスケジューリングされるＰＤＳＣＨで伝送される。ＳＩ-ＣＥ-ＲＮＴＩを使用するＰＤＣＣＨは、改善された信頼性で送信され、各々の設定は、予め定義することができる。例えば、ＳＩ-ＣＥ-ＲＮＴＩを使用するＰＤＣＣＨは、所定のＳＦで伝送でき、所定のリソースを用いてＵＥ１１４が複数のこのようなリソースにＰＤＣＣＨを蓄積可能にし、それによって検出信頼性を改善させる。ＳＩＢ-ＣＥ受信のために、ＵＥ１１４は、所定の設定を仮定しつつ、ＳＩ-ＣＥ-ＲＮＴＩでスクランブルされたＣＲＤを有するＤＣＩフォーマットを搬送するＰＤＣＣＨをモニタリングできる。第１のＰＤＳＣＨでのＳＩＢ-ＣＥの伝送は、第２のＰＤＳＣＨでの通常的なＳＩＢ伝送とは異なるパラメータを使用できる。例えば、ＳＩＢ-ＣＥの伝送は、反復を用いて（例えば、ＳＦバンドリングを通じて）カバレッジを改善させ得る。
【０１３３】
第３のオプションで、各々のＣＥレベルに対するＰＲＡＣＨリソースは、ＣＥ ＵＥ（ＳＩＢ-ＣＥ）に対するＳＩＢに表示され、ここで、ＳＩＢ-ＣＥは、ＳＩＢ-ＣＥを搬送するＰＤＳＣＨをスケジューリングするＰＤＣＣＨを使用する代わりに、所定の方式で（例えば、所定の時間及び周波数リソース及び所定の変調及び符号化レートを用いて）伝送され、ＳＩＢ-ＣＥに対するそれぞれの伝送パラメータを明示的に設定する。ＳＩＢ-ＣＥに対する伝送は、反復を用いてカバレッジを改善する。例えば、ＳＩＢ-ＣＥは、ＱＰＳＫ変調及び最低可能なコードレートを用いて、所定個数のＳＦで、ＳＦごとの所定個数のシンボル及び所定のＲＢで搬送されるＰＤＳＣＨで伝送することができる。
【０１３４】
このような３つのオプションにおいて、ｅＮＢ１０２がＰＲＡＣＨリソース設定をＵＥ１１４に搬送するためのいくつかの方法が存在できる。第１の方法は、ＵＥ１１４がＳＩＢ-ＣＥのみを取得し、ＳＩＢ２を取得しないことである。ＳＩＢ-ＣＥに表示されたＰＲＡＣＨリソースは、ＲＡプリアンブルに対する特定反復の回数を有するＰＲＡＣＨに対することであり、例えば、カテゴリ１乃至４に対する＜表４＞の情報であり得る。第２の方法は、ＵＥ１１４がＳＩＢ２又はＳＩＢ-ＣＥを取得することであり、ここで、例えば、＜表４＞でカテゴリ１に関する情報はＳＩＢ２にあり、＜表４＞でカテゴリ２乃至４に関する情報はＳＩＢ-ＣＥに提供され得る。第２の方法で、ＵＥ１１４は、その経路損失がカテゴリ１にある場合に、非ＣＥ ＵＥ（ＳＩＢ２を取得）として動作する。
【０１３５】
図１１Ａ、図１１Ｂ、及び図１１Ｃは、本発明により、上記した３個のオプションの各々に対してｅＮＢがＵＥにＰＲＡＣＨリソース設定を搬送するための動作の一例を示す。図１１Ａ、図１１Ｂ、及び図１１Ｃに示した動作の実施形態は、単に例示のためのものである。他の実施形態は、本発明の範囲を逸脱することなく使用することができる。
【０１３６】
図１１Ａに示すように、ＳＩ-ＲＮＴＩ１１１２でスクランブルされたＣＲＣを有するＤＣＩフォーマットを搬送するＰＤＣＣＨ１１１１は、ＣＥ ＵＥによるＳＩＢ２  １１１３受信のためにリソースを設定できる。ＳＩ-ＲＮＴＩ又はＳＩ-ＣＥ-ＲＮＴＩ１１１５にスクランブルされたＣＲＣを有するＤＣＩフォーマットを搬送するＰＤＣＣＨ１１１４は、ＵＥによるＳＩＢ-ＣＥ１１１６受信のためにリソースを設定できる。
【０１３７】
図１１Ｂに示すように、ＳＩ-ＲＮＴＩ１１２２でスクランブルされたＣＲＣを有するＤＣＩフォーマットを搬送するＰＤＣＣＨ１１２１は、ＵＥによるＳＩＢ２  １１２３受信のためにリソースを設定でき、ＳＩ-ＲＮＴＩ又はＳＩ-ＣＥ-ＲＮＴＩ１１２６でスクランブルされたＣＲＣを有するＤＣＩフォーマットを搬送する第１のＰＤＣＣＨ１１２４、及び第２のＰＤＣＣＨ１１２５は、ＵＥによるＳＩＢ-ＣＥ１１２７及びＳＩＢ-ＣＥ１１２８受信のためにリソースを設定できる。ＰＤＣＣＨ１１２５はＰＤＣＣＨ１１２４の反復であり、ＳＩＢ-ＣＥ１１２８はＳＩＢ-ＣＥ１１２７の反復であり得る。
【０１３８】
図１１Ｃに示すように、ＳＩ-ＲＮＴＩ１１３２でスクランブルされたＣＲＣを有するＤＣＩフォーマットを搬送するＰＤＣＣＨ１１３１は、ＵＥによるＳＩＢ２  １１３３のためにリソースを設定できる一方、ＳＩＢ-ＣＥ１１３４及びＳＩＢ-ＣＥ１１３５は、関連したＰＤＣＣＨ１１３１による各々のスケジューリングなしに所定のリソース上で伝送される。ＳＩＢ-ＣＥ１１３５は、ＳＩＢ-ＣＥ１１３４の反復であり得る。
【０１３９】
ＵＥ１１４は、後述するように、ＲＡプリアンブルグループのセットからＲＡプリアンブルをさらに選択できる。
【０１４０】
ＰＲＡＣＨリソース内での各レベルの反復のために（例えば、＜表４＞で与えられるように）、ＵＥ１１４は、それの推定された経路損失に基づいて、複数のＲＡプリアンブルグループからＲＡプリアンブル及び競合ベースのランダムアクセスに対する他のパラメータを選択できる。選択したＲＡプリアンブルは、ＵＥ１１４がＭｓｇ３に対するＰＵＳＣＨで伝送しようとする（そして、電力観点で行われる）データ量をｅＮＢ１０２に表示できる。ＵＥ１１４が使用するＲＡプリアンブルから、ｅＮＢ１０２は、ＵＬリソースがＵＥ１１４に割り当てる推定値を決定できる。他の実施形態において、すべてのＵＥが常に同一の量のデータをＭｓｇ３で伝送する場合、ＵＥ１１４は、その経路損失に基づいて、又は同様に、その要求されたＣＥに基づいて異なるＲＡプリアンブルグループからＲＡプリアンブルを選択できる。したがって、ＵＥ１１４が使用するＲＡプリアンブルから、ｅＮＢ１０２は、ＵＥ１１４に対するＣＥレベル又は経路損失の推定値を獲得できる。例えば、それぞれの経路損失推定値が＜表４＞のようにカテゴリ２にある場合、ＵＥ１１４は、ＲＡプリアンブル伝送のためにＲ１反復を使用できる。より詳細な経路損失又はＣＥ量は、ＲＡプリアンブルが属するグループを通じて差別化され得る。
【０１４１】
カテゴリ１の経路損失において、ＵＥ１１４がＭｓｇ３を送信しない場合、ＵＥ１１４は、経路損失がＰCMAX,ｃより少ない場合、ランダムアクセスプリアンブルグループＢを選択できる―ｐｒｅａｍｂｌｅＩｎｉｔｉａｌＲｅｃｅｉｖｅｄＴａｒｇｅｔＰｏｗｅｒ−ｄｅｌｔａＰｒｅａｍｂｌｅＭｓｇ３−ｍｅｓｓａｇｅＰｏｗｅｒＯｆｆｓｅｔＧｒｏｕｐＢ、そうでない場合、ＵＥ１１４は、ランダムアクセスプリアンブルグループＡを選択できる。ｐｒｅａｍｂｌｅＩｎｉｔｉａｌＲｅｃｅｉｖｅｄＴａｒｇｅｔＰｏｗｅｒ、ｄｅｌｔａＰｒｅａｍｂｌｅＭｓｇ３、ｍｅｓｓａｇｅＰｏｗｅｒＯｆｆｓｅｔＧｒｏｕｐＢは、例えば、システム情報を用いてｅＮＢ１０２から設定することができる。
【０１４２】
カテゴリｉでの経路損失において（例えば、＜表４＞のように、ｉ＝２，３，４）、ＵＥ１１４がＭｓｇ３を送信しない場合、ＵＥ１１４は、経路損失がＰCMAX,ｃより少ない場合、第１のランダムアクセスプリアンブルグループを選択し−ｐｒｅａｍｂｌｅＩｎｉｔｉａｌＲｅｃｅｉｖｅｄＴａｒｇｅｔＰｏｗｅｒ−ｄｅｌｔａＰｒｅａｍｂｌｅＭｓｇ３−ｍｅｓｓａｇｅＰｏｗｅｒＯｆｆｓｅｔＧｒｏｕｐＢ−ＭＴＣＰｏｗｅｒＯｆｆｓｅｔＣａｔｅｇｏｒｙ-ｉ、そうでない場合、第２のランダムアクセスプリアンブルグループを選択できる。ＭＴＣＰｏｗｅｒＯｆｆｓｅｔＣａｔｅｇｏｒｙ-ｉ（例えば、＜表４＞のように、ｉ＝２，３，４）は、例えば、システム情報を用いてｅＮＢ１０２から設定され得る。
【０１４３】
＜表５＞は、経路損失範囲に対するＰＲＡＣＨリソース設定及びプリアンブルグループの一例を提供する。＜表５＞において、グループＡ、１、１ａ、１ｂは、同一であるか又は異なる。グループＢ、２、２ａ、２ｂは同一であるか又は異なる。グループ化（grouping）が予め定義されることができる。
【０１４４】
【表５】
2019146261.tif 000015
【０１４５】
図１２は、本発明により、ＰＲＡＣＨリソースを決定するためのＵＥ動作の例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１４６】
図１２に示すように、ＵＥは、ステップ１２１０で、経路損失を決定する。その後、ＵＥは、ステップ１２２０で、経路損失範囲カテゴリに対するＰＲＡＣＨリソース設定のマッピングを実行する。ＵＥは、次に、ステップ１２３０で、経路損失に基づいてＰＲＡＣＨリソース設定を決定できる。ＵＥは、ステップ１２４０で、それぞれのプリアンブルグループ内のＲＡプリアンブルをさらに決定する（例えば、表５を参照）。その後に、ＵＥは、ステップ１２５０で、決定されたリソースを用いてＲＡプリアンブルを伝送する。
【０１４７】
ＲＡプリアンブル伝送のためのＲ回の反復を達成するために、第１のオプションは、ＲＡプリアンブルに対するＲ回の反復をサポートする新たなＲＡプリアンブルフォーマットを有するものである。第２のオプションは、Ｒ回の反復が達成される限り、連続的に（例えば、ＦＤＤシステムの場合）又は非連続的に（例えば、ＴＤＤシステムの場合）Ｒ回が反復されるように、既知のフォーマット（例えば、図８のフォーマットのうち一つ又は任意の新たなフォーマット）内にＲＡプリアンブルを有するものである。第３のオプションは、複数のフォーマット（例えば、図８の複数のフォーマット又は任意の新たなフォーマット）を使用してＲＡプリアンブルを伝送し、これらフォーマットを連続的に（例えば、ＦＤＤシステムの場合）又は非連続的に（例えば、ＴＤＤシステムの場合）反復してＲ回の反復を累積方式で達成するものである。
【０１４８】
ＴＤＤシステムに対して、第３のオプションが有利であり得る。例えば、ＲＡプリアンブルフォーマットがフォーマット３である場合、これは、ＲＡプリアンブルの一つの伝送のために連続する３ｍｓを要求する。この要求のため、ＰＲＡＣＨフォーマット３は、ＴＤＤ ＵＬ/ＤＬ設定０、３、６に対してのみサポートでき、その理由は、このような設定のみが１フレーム内で使用可能な３個の連続的なＵＬ ＳＦを有するためである（＜表１＞に表示）。ＲＡプリアンブルの追加反復が、第１のハーフフレーム内に３個の連続的ＵＬ ＳＦを有し、第２のハーフフレーム内に２個の連続的なＵＬ ＳＦを有するＴＤＤ ＵＬ/ＤＬ設定６に必要である場合に、同一のフレームで２個のＰＲＡＣＨフォーマット（第１のハーフフレームに対してフォーマット３であり、第２のハーフフレームに対してフォーマット１又はフォーマット２）は、ＰＲＡＣＨの反復をサポートするために使用される。これは、ＲＡプリアンブル送信待ち時間を短縮させ得る。
【０１４９】
ＴＤＤ ＵＬ/ＤＬ設定がＤＣＩフォーマットによる表示を通してセル内で動的に適応できる場合（ＲＥＦ３を参照）、ＲＡプリアンブル反復（及びＭｓｇ３を伝送）は、ＤＬ-参照ＵＬ/ＤＬ設定に基づき、この設定においては、すべてのＵＬ ＳＦが任意の適応されたＵＬ/ＤＬ設定でＵＬ ＳＦを維持するようになる。
【０１５０】
図１３Ａは、本発明により、ＲＡプリアンブル伝送のためのＲ回の反復に対するオプションの一例を示す。図１３Ａに示すＲＡプリアンブル伝送のためのＲ回の反復の実施形態は、単に例示のためのものである。他の実施形態は、本発明の範囲を逸脱しない範囲で使用することができる。
【０１５１】
図１３Ａに示すように、オプション１ １３１０で、ＲＡプリアンブルシーケンス１３０２は、ＣＰ１３０１とＧＴ１３０３との間でＲ回だけ反復される。オプション２  １３２０では、プリアンブルフォーマット０  １３４０がＲ回反復される。オプション３  １３３０では、プリアンブルフォーマット０  １３４０及びプリアンブルフォーマット２  １３５０がＲ回の反復を達成するために使用される。
【０１５２】
ＲＡプリアンブルフォーマット及びこれら各々のリソース割り当て（例えば、それぞれのＲＡプリアンブルフォーマットと関連したＳＦ）は、ＳＩＢ-ＣＥを用いてｅＮＢ１０２からＵＥ１１４へシグナリングでされ得る。ＵＥ１１４により使用される複数のＲＡプリアンブルフォーマットが存在すると、一つ又は複数のＰＲＡＣＨ設定インデックス（例えば、２個のインデックス、一つは第１のハーフフレームに対するもの及び他の一つは第２のハーフフレームに対するもの）がＳＩＢ-ＣＥ内に含まれ得る。あるいは、第２のＲＡプリアンブルフォーマットが、追加シグナリングなくても、第１のＲＡプリアンブルフォーマットによって固有に決定することができる。ＵＥ１１４は、複数のＲＡプリアンブルフォーマットの組み合わせを用いてＲＡプリアンブルを伝送できる。開始フレームｊがｅＮＢ１０２からシグナリングされ、これは、ナンバーＦを有するフレームであり、これによってＦｍｏｄＪ＝ｊとなる。ここで、ｊ＝０，…，Ｊ-１、ＪはＲ回の反復を達成するためのフレームの個数であり、Ｊ＝Ｒ/ｙである（ここで、ｙは各フレームでの反復回数）。
【０１５３】
フレーム内に複数のプリアンブルフォーマットが存在する場合、Ｒ回の反復を累積するためのフレーム内の開始ポイントが表示できる。例えば、１ビットシグナリングが使用され、ここで、‘０’は開始ポイントが第１のハーフフレーム内にあることを示し、‘１’は開始ポイントが第２のハーフフレーム内にあることを示す。これとは異なり、任意のシグナリングなしに、開始ポイントが常に第１のハーフフレーム内にある場合もある。開始フレーム及び１フレーム内の開始ポイントにおいて、ＵＥ１１４がＰＲＡＣＨ伝送のためのＳＦを決定するためにランダムバックオフ（back-off）を有する場合、ＵＥ１１４は、開始ポイントにより決定された制約が許容するＰＲＡＣＨ伝送のためにその開始ＳＦを調整することができる。代案として、開始フレーム又は開始フレーム内の開始ポイントがシグナリングされない場合、ＵＥ１１４は、複数のプリアンブルフォーマットのうちいずれか一つに対して適合したＰＲＡＣＨ伝送のための開始ＳＦを選択してもよい。その後に、ｅＮＢ１０２は、ブラインド復号化を実行し、開始ポイントを決定し、Ｒ回の反復を累積させることができる。周波数インデックスフィールドが使用され、Ｒ回の反復を有するＲＡプリアンブル伝送のために使用される周波数インデックスをＵＥに表示する。＜表６＞は、Ｒ回の反復をサポートするための一つ又は複数のＲＡプリアンブルフォーマットを有するＲＡプリアンブルリソースを表示するためのＳＩＢ-ＣＥ内の情報フィールドの一例を提供する。
【０１５４】
【表６】
2019146261.tif 000016
【０１５５】
上記の例において、ＰＲＡＣＨ反復が第１のハーフフレーム内に３個の連続的なＵＬ ＳＦを有し、第２のハーフフレーム内に２個の連続するＵＬ ＳＦを有するＴＤＤ ＵＬ/ＤＬ設定６を使用するＵＥ動作のために必要である場合、同一のフレーム内の２個のＰＲＡＣＨフォーマット（第１のハーフフレームに対してはフォーマット３及び第２のハーフフレームに対してはフォーマット１）がＰＲＡＣＨ反復をサポートするために使用され得る。この場合、＜表６＞でのＰＲＡＣＨ設定インデックス１が４３であり（ＲＥＦ１での＜表５.７.１−４＞のように）、ＰＲＡＣＨ設定インデックス２が２である場合（ＲＥＦ１での＜表５.７.１−４＞のように）、第１のハーフフレームで２回の反復が存在し（反復をプリアンブルシーケンス伝送のすべての発生件数としてカウント）、第２のハーフフレームでは１回の反復が存在する。次に、各フレームはｙ＝３反復をサポートできる。Ｒ＝６において、Ｒ回の反復を達成するためのフレームの個数はＪ＝Ｒ/ｙ＝２である。＜表６＞での開始フレームが０であり、開始フレーム内の開始ポイントが‘０’である場合、開始ＳＦは、偶数フレームナンバーを有するフレーム及び第１のハーフフレーム内に存在する。ＵＥ１１４がＰＲＡＣＨ伝送用ＳＦを決定するための他の制約（例えば、測定ギャップ）が存在する場合、開始ＳＦは、ＲＡプリアンブルフォーマットを考慮して次のＰＲＡＣＨ  ＳＦに対して調整され得る。
【０１５６】
上記の例で、＜表６＞でのＰＲＡＣＨ設定インデックス１が４６であり（ＲＥＦ１の＜表５.７.１−４＞のように）、ＰＲＡＣＨ設定インデックス２が２８又は２９である場合（ＲＥＦ１の＜表５.７.１−４＞のように）、ＵＥ１１４は、設定インデックス２８又は２９での第２のハーフフレームに対する設定のみを考慮する（例えば、ＲＥＦ１での＜表５.７.１−４＞では、ＴＤＤ ＵＬ/ＤＬ設定６に対する設定インデックス２８に対して５個の可能事項が存在し、２個の可能事項が第１のハーフフレームに対して存在し、３個の可能事項が第２のハーフフレームに対して存在し、ＵＥは、第２のハーフフレームに対する３個の可能事項のみを考慮する）。＜表６＞でのＰＲＡＣＨ設定インデックス１が４６であり（ＲＥＦ１での＜表５.７.１−４＞のように）、ＰＲＡＣＨ設定インデックス２が２８又は２９である場合には（ＲＥＦ１での＜表５.７.１−４＞のょうに）、第１又は第２のハーフフレームの各々に対して、３個の周波数インデックス０、１、２が存在する。＜表６＞で、周波数インデックスフィールドが値‘００’を有する場合、周波数インデックス１、２がＲＡプリアンブル伝送のＲ回の反復を有するＵＥにより使用される。ＵＥ１１４は、ＲＡプリアンブルシーケンスのすべてのＲ回の反復で同一の周波数インデックスを使用する。＜表６＞で、周波数インデックスフィールドが値‘０１’を有する場合、周波数インデックス２がＲＡプリアンブル伝送のＲ回の反復を有するＵＥにより使用される。
【０１５７】
一つのＲＡプリアンブルフォーマットに対して複数の周波数インデックスが存在する場合（例えば、上記したようなＴＤＤシステムで）、ＲＡプリアンブル伝送の反復内で、ＵＥ１１４は、この同一の周波数インデックスを用いて実現及び処理を単純化させ、ＲＡプリアンブルコヒーレント平均化（coherent  averaging）を実現する。ＵＥ１１４がＲＡプリアンブルのＲ回の反復で異なる周波数インデックスを使用する場合、ｅＮＢ１０２からの追加シグナリングがＵＥ１１４は、異なる周波数インデックスを使用する方式を設定するために必要であり、又は所定のホッピングパターン（hopping  pattern）、例えば同一の６ＲＢでの４個の連続的な伝送以後の異なる６ＲＢでの周波数ホッピングが使用され得る。これは、４個のＳＦでＲＡプリアンブル伝送のコヒーレントな平均化を実現し、次の４個のＳＦにかけて同一のＲＡプリアンブル伝送から周波数ダイバーシティ利得を獲得できる。
【０１５８】
あるいは、以下にさらに説明されるように、ＲＥＦ１の＜表５.７.１−４＞に類似した新たな表を定義し、ＰＲＡＣＨに対する設定インデックス及び対応するリソースを提供するために定義される。
【０１５９】
あるいは、ＲＡプリアンブル伝送の反復を有するＵＥに対するＰＲＡＣＨリソースに対する周波数帯域が、ＲＥＦ１での＜表５.７.１−４＞の周波数リソース（インデックス０、１、２、３、４、５）と異なることがある。
【０１６０】
本明細書で上述したように、ＰＲＡＣＨリソースは、経路損失又はＣＥの各カテゴリに対して相互直交である。ＲＡプリアンブルシーケンスの総セットは、異なるＣＥレベルの間で分割され、このような分割は、ＳＩＢによりＵＥに通知される。例えば、第１のＣＥレベルに関連する第１の個数のＲＢが通知され、第２のＣＥレベルに関連する第２の個数のＲＢが通知でき、このようなもの所定の個数のＣＥレベルからの最終ＣＥレベルまで継続される。異なるＣＥレベルに対するＲＡプリアンブルシーケンスが、同一のＳＦで、同一のセットの周波数リソース（ＲＢ）で又は異なるセットのＳＦで又は異なるセットの周波数リソースで使用され得る。
【０１６１】
異なるカバレッジレベルに対応するＲＡプリアンブルシーケンスの異なるセットが、異なるセットのＳＦ又はＲＢで使用され得る。例えば、第１のカバレッジレベルに対するＲＡプリアンブルシーケンスのＲ１反復が第１のセットのＳＦ又はＲＢ  Ｓ１にあり、第２のカバレッジレベルに対するＲＡプリアンブルシーケンスのＲ２反復が第２のセットのＳＦ又はＲＢ  Ｓ２にあり得る。
【０１６２】
反復を交代にすることが追加発生できる。例えば、第２のカバレッジ範囲に対するＲ２反復に対する第２のセットのＳＦ  Ｓ２が第１のＳ１  ＳＦ以後にあり得る。異なる実施形態が考案され得る。例えば、第２のセットのＳＦ  Ｓ２は、第１のセットのＳＦ  Ｓ１のサブセットと直交するサブセットで設定され、Ｓ２及びＳ１のサブセットはインタレースされる。あるいは、Ｓ１のすべてのサブセットがまず発生し、次にＳ２のすべてのサブセットが発生できる。各ＳＦにおいて、ｅＮＢ１０２は、単一カバレッジ範囲に対応するプリアンブルのみを検出しようとする。
【０１６３】
経路損失又はＣＥレベルの各カテゴリに対して相互直交するＰＲＡＣＨリソースにおいて、周波数ドメインは、時間ドメインとともに又はこれとは別途に追加して考慮され得る。
【０１６４】
図１３Ｂ乃至図１３Ｅは、本発明により、時間/周波数ドメインでのＣＥの異なるカテゴリに対する直交ＰＲＡＣＨリソースのオプションの一例を示す。図１３Ｂ乃至図１３Ｅに示す直交ＰＲＡＣＨリソースに対するオプションの一例は、単に例示のためのものである。他の実施形態は、本発明の範囲を逸脱しない範囲で使用できる。
【０１６５】
ＳＦセットが簡略化のために考慮されるが、類似した原理がＲＢのセットに対しても適用される。図１３Ｂに示すように、ＳＦセットＳ１１３４０がＣＥカテゴリｉに対するＲＡプリアンブル伝送のＲ１反復のために使用され、ＳＦセットＳ２１３４５がＣＥカテゴリｉ＋１に対するＲＡプリアンブル伝送のＲ２反復のために使用され、セットＳ２はセットＳ１以後に発生する。
【０１６６】
図１３Ｃに示すように、ＳＦセットＳ１１３５０（サブセットＳ１-１、２、３で構成）は、ＣＥカテゴリｉに対するＲＡプリアンブル伝送のＲ１反復のために使用され、ＳＦセットＳ２１３５５（サブセットＳ２-１、２で構成）がＣＥカテゴリｉ＋１に対するＲＡプリアンブル伝送のＲ２反復に対して使用され、サブセットは、Ｓ１-１、Ｓ２-１、Ｓ１-２、Ｓ２-２、Ｓ１-３の順序（最も速いものから最も遅いものへの順序）で発生する。
【０１６７】
図１３Ｄに示すように、ＳＦセットＳ１１３６０（サブセットＳ１-１、２、３で構成）がＣＥカテゴリｉに対するＲＡプリアンブル伝送のＲ１反復に使用され、ＳＦセットＳ２１３６５（サブセットＳ２-１、２で構成）がＣＥカテゴリｉ＋１に対するＲＡプリアンブル伝送のＲ２反復に使用され、セットＳ１及びＳ２は、異なる周波数インデックスを有する。セットのサブセットが異なる周波数インデックスを有し、リソース直交性が、セットレベルでなく周波数ドメインのサブセットレベルで存在することも可能である。
【０１６８】
図１３Ｅに示すように、ＳＦセットＳ１１３７０（サブセットＳ１-１、２、３で構成）がＣＥカテゴリｉに対するＲＡプリアンブル伝送のＲ１反復のために使用され、ＳＦセットＳ２１３７５（サブセットＳ２-１、２で構成）は、ＣＥカテゴリｉ＋１に対するＲＡプリアンブル伝送のＲ２反復のために使用される。サブセットＳ１-１、Ｓ２-２、Ｓ１-３は、サブセットＳ２-１、Ｓ１-２と異なる周波数インデックスを使用する。  Ｒ回の反復を有するＲＡプリアンブル伝送及び各々の受信は、以下にさらに説明されるように、通常のものと異なることがある。
【０１６９】
図１４は、本発明により、すべての反復に対して同一のプリアンブルフォーマットを使用するＲ回の反復を有するＲＡプリアンブル伝送のためのプロセスの一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１７０】
図１４に示すように、長さＮＺＣを有するＲＡプリアンブルがＩＦＦＴ１４２０により処理される。ＲＡプリアンブル１４１０は、プリアンブルフォーマットが２又は３である場合、プリアンブルフォーマット１４３０に基づいて一度反復される。プリアンブルフォーマット０又はプリアンブルフォーマット１である場合、ＲＡプリアンブル１４１０は反復されない。ＣＰがＲＡ-プリアンブルの前方に挿入され(１４４０)、アップサンプリング(１４５０)が適用される。次に、この信号が時間ドメイン周波数シフト１４６０により処理された後に、第１の時間インスタンスでｍ１の回数だけ反復され（１４７０）、ｋ番目の時間インスタンスでｍｋの回数だけ反復される(１４７５)。ＦＤＤシステムに対して、一つの時間インスタンスが存在する。ＴＤＤシステムにおいて、複数の時間インスタンスが存在し、ここで、各時間インスタンスは、フレーム内のＵＬ ＳＦ内にある（例えば、プリアンブルフォーマットがＴＤＤ ＵＬ/ＤＬ設定６に対して０である場合、第１の時間インスタンスは第１のハーフフレームに存在し、ｍ１＝３であり、第２の時間インスタンスは第２のハーフフレームにあり、ｍ２＝２である）。各時間インスタンスでの反復後に、信号がＲＦユニット１４８０により伝送される。Ｒ回の反復を達成するために、各ＳＦにＲＡプリアンブル伝送のための一つの周波数インデックスが存在する場合には、プリアンブルフォーマット０又は１において、ｍ１＋，…，＋ｍｋ＝Ｒであり、プリアンブルフォーマット２又は３においては、２（ｍ１＋，…，＋ｍｋ）＝Ｒである。ＳＦにＰＲＡＣＨ伝送に使用される複数の周波数インデックスが存在する場合には、各時間インスタンスにおいて、ＲＡプリアンブル反復は、複数の周波数インデックスを使用することによる反復回数をカウントする（例えば、一つの周波数インデックスに対する各ＲＡプリアンブルシーケンスは、一つの反復としてカウントされる）。
【０１７１】
ＳＩＢ-ＣＥは、各々のＣＥレベルに対してＰＲＡＣＨを送信するために、ＵＥ１１４により使用されるＣＥレベル及びリソースのうちのマッピングのセットに対する表示を含むことができる。所定のマッピングのセットは、それぞれのＣＥレベルと関連したＰＲＡＣＨリソース設定に対するＭ個の可能な組み合わせのうち一つであり得る。複数のシーリング(ｌｏｇ２)ＭビットはＳＩＢ-ＣＥに含まれ、ここで、シーリング(ｘ)は、ｘと同一であり、あるいはこれより大きい最小整数である。
【０１７２】
【表７】
2019146261.tif 000017
【０１７３】
＜表８＞は、各々のＣＥレベルに対するＰＲＡＣＨリソース設定のうち所定のマッピングのセット及びＳＩＢ又はＳＩＢ-ＣＥに含まれたＰＲＡＣＨ設定マッピングインデックスフィールドの値のうち例示的な関係を提供する。所定のマッピングの４個のセットが存在し（Ｍ＝４）、それによって、２ビットＰＲＡＣＨ設定マッピングインデックスは、十分である。所定のマッピングの各セットは、ＰＲＡＣＨリソース設定及び対応するＣＥレベルうちそれぞれの関係により定義される。
【０１７４】
【表８】
2019146261.tif 000018
【０１７５】
＜表９＞は、それぞれのＣＥレベル及びＰＲＡＣＨリソース設定のうち所定のマッピングの第１の例のセットを示し、ＰＲＡＣＨ設定マッピングインデックスフィールドの‘００’値で表示され得る。これは、４個のＣＥレベルを含み、ＰＲＡＣＨリソース設定を各ＣＥレベルに関連させる。
【０１７６】
【表９】
2019146261.tif 000019
【０１７７】
＜表１０＞は、各々のＣＥレベル及びＰＲＡＣＨリソース設定のうち所定のマッピングの第２の例示的なセットを示し、ＰＲＡＣＨ設定マッピングインデックスフィールドの‘０１’値で表示され得る。これは、５個のＣＥレベルを含み、ＰＲＡＣＨリソース設定を各ＣＥレベルに関連させる。第１の代案で、ＵＥ１１４は、例えば、４個の上述したアプローチ方式のうち一つを使用してその要求されるＣＥレベルを決定し、要求されるＣＥレベルと同一であるか、あるいはこれより大きい所定のマッピングの表示されたセットからのＣＥレベルに対応するリソース設定を使用してＰＲＡＣＨを伝送する。第２の代案で、ＵＬカバレッジ限定されたＵＥが第１のＣＥレベルを使用してランダムアクセスプロセスを始め、ランダムアクセスプロセスが失敗する場合、第２のＣＥレベルを用いて継続し、このようなことを最高のＣＥレベルに到達するまで、あるいはランダムアクセスプロセスが成功するまで続ける。
【０１７８】
【表１０】
2019146261.tif 000020
【０１７９】
ＳＩＢ又はＳＩＢ-ＣＥがセル内の最大ＣＥレベルを表示する場合、ＰＲＡＣＨ設定マッピングインデックスフィールドのシーリング（ｌｏｇ２Ｍ）ビットは、最大ＣＥレベルに対して解析できる。例えば、ＰＲＡＣＨ設定マッピングインデックスフィールド値が‘００’である場合、＜表９＞で、Ｅ(１，３)は１５ｄＢであり、Ｅ(１，２)は１０ｄＢであり、Ｅ(１，１)は５ｄＢであり得る。最大表示されたＣＥレベルが１５ｄＢである場合に、＜表５＞でのすべてのＣＥレベル及びすべてのＰＲＡＣＨリソース設定がサポートされる。しかしながら、最大表示されたＣＥレベルが１０ｄＢである場合、＜表９＞で１５ｄＢのＣＥレベルに対応するＰＲＡＣＨリソースが無視されるか、あるいは１０ｄＢに対するものに吸収されるか、あるいは所定の方式で、例えば、５ｄＢ及び１０ｄＢのサポートされたＣＥレベルへの同一の分布で、５ｄＢ及び１０ｄＢに対するものに分布されてもよい。あるいは、それぞれのＣＥレベル及びＰＲＡＣＨリソース設定のうち所定のマッピングの異なるセットが異なる最大ＣＥレベルに対して定義されてもよい。例えば、＜表９＞の代わりに、＜表１１＞が予め定められることができ、ＳＩＢ-ＣＥが１０ｄＢのセル内の最大ＣＥレベルを表示するとき(Ｅ（１，１）＝５ｄＢ、Ｅ(１，２)＝１０ｄＢ)、ＵＥ１１４により使用され得る。
【０１８０】
【表１１】
2019146261.tif 000021
【０１８１】
マッピングは、ＣＥレベルに対する２個以上のＰＲＡＣＨ設定も含む。＜表１２＞は、ＣＥレベルに対するＰＲＡＣＨリソース設定の例を提供する。４個のＣＥレベルが存在し、ここで、各ＣＥレベル１、２、及び３に対して、２個の異なるＰＲＡＣＨリソース設定が存在する。ナンバーＥ１、Ｅ２、及びＥ３（Ｅ１＜＝Ｅ２＜＝Ｅ３）、及び反復回数Ｎ１、Ｎ２、及びＮ３（一般的にＮ１＜＝Ｎ２＜＝Ｎ３）がシステム動作時に予め定められ得る。ＰＲＡＣＨリソース（プリアンブル/時間/周波数）も予め定められ得る。
【０１８２】
【表１２】
2019146261.tif 000022
【０１８３】
本発明の各表での各ＰＲＡＣＨリソース設定において、反復回数は、リソースのセットに関連される（セットにより提供される）。リソースのセットは、開始ＳＦ、ＰＲＡＣＨ伝送/反復に使用される時間（所定フレームのＳＦ）、周波数インデックスを定義できる。その一例が＜表６＞に示される。
【０１８４】
図１５は、本発明により、すべての反復に対して異なるプリアンブルフォーマットの組み合わせを用いるＲ回の反復を有するＲＡプリアンブル伝送のためのプロセスの一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１８５】
図１５に示すように、長さＮＺＣを有するＲＡプリアンブル１５１０がＩＦＦＴユニット１５２０により処理される。第１の時間インスタンスで、プリアンブルフォーマットがフォーマット２又はフォーマット３である場合、ＲＡプリアンブル１５１０は、プリアンブルフォーマット１５３０に基づいて一回反復される。プリアンブルフォーマットが０又はフォーマット１である場合、ＲＡプリアンブル１５１０は反復されない。ｋ番目の時間インスタンスで、プリアンブルフォーマットがフォーマット２又はフォーマット３である場合、ＲＡプリアンブル１５１０は、プリアンブルフォーマット１５３５に基づいて一度反復され、プリアンブルフォーマットが０又はフォーマット１である場合、ＲＡプリアンブル１５１０は反復されない。ＣＰが第１の時間インスタンスのＲＡプリアンブル１５１０の前方に挿入される（１５４０）。ＣＰはｋ番目の時間インスタンスのＲＡプリアンブルの前方に挿入される（１５４５）。フォーマットにより、異なるＣＰ挿入が使用されてもよい。アップサンプリング１５５０は、各伝送時間インスタンスで適用され、その後に、各時間インスタンスの間に時間ドメイン周波数シフト１５６０によってこの信号が処理され、最終的にＲＦユニット１５７０により伝送される。
【０１８６】
図１５で、各時間インスタンスは、特定フォーマットでＲＡプリアンブルを送信するための時間持続期間として定義される。ＦＤＤシステムの場合、一つ又は複数の時間インスタンスが存在できる。ＴＤＤシステムの場合、一つ又は複数の時間インスタンスが存在し、ここで、各時間インスタンスは、１フレームでのＵＬ ＳＦ内にあり得る。例えば、ＴＤＤ ＵＬ/ＤＬ設定６及び一つの周波数インデックスである場合に、ＲＡプリアンブルフォーマット３は、第１のハーフフレームでの第１の時間インスタンスで使用され（したがって、ｍ１＝２）、第２の時間インスタンスはＲＡプリアンブルフォーマット１を有する第２のハーフフレームで使用でき（したがって、ｍ２＝１）、ＲＡプリアンブルフォーマット０が第１のハーフフレームで３個のＵＬ ＳＦで第１/第２/第３の時間インスタンスに使用される場合（したがって、ｍ１＝１、ｍ２＝１、ｍ３＝１）、第４の時間インスタンスは、ＲＡプリアンブルフォーマット２を有する第２のハーフフレームであり得る（したがって、ｍ４＝２）。一つの周波数インデックスの場合に、Ｒ回の反復を達成するためには、ｍ１＋…＋ｍｋ＝Ｒである。ここで、図７に示したフォーマットが使用される場合、ｉ＝１，２，…，ｋに対してｍｉ＝１又はｍｉ＝２である。
【０１８７】
図１６は、本発明により、すべての反復に対して同一のフォーマットでＲＡプリアンブルが伝送される、ｅＮＢでのＲＡプリアンブル検出に対するプロセスの一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１８８】
図１６に示すように、各時間インスタンスで受信した信号、例えば、第１の時間インスタンス１６０５で受信した信号及びｋ番目の時間インスタンス１６０８で受信された信号がＣＰ除去ユニット１６１０、ＤＦＴユニット１６１５によりまず処理され、その後にサブキャリアデマッピング１６２０が後続される。その後、結果的な信号がＺＣルートシーケンス(１６２５)のＤＦＴ（１６３０）を結合(conjugating)することにより獲得されたローカル信号と相関させることによって処理される(１６４０)。ここで、ＺＣシーケンス１６２５は、競合ベースのＰＲＡＣＨ伝送の場合に、競合ベースのランダムアクセスで使用されるシーケンスのうち任意のものであり得る。ゼロパディング１６４５及びＩＤＦＴユニット１６５０による処理後に、それぞれの時間インスタンスでの各結果的な信号に対するエネルギー、例えば、第１の時間インスタンスでエネルギー１６５５及びｋ番目の時間インスタンスでのエネルギー１６５８が獲得される。次に、結果的なエネルギーが結合され、シーケンス検出ユニット１６６０により処理され、例えば、しきい値より高い値に戻るシーケンス１６２５が検出されると見なされる。
【０１８９】
図１７は、本発明により、すべての反復に対して異なるフォーマットの組み合わせとしてＲＡプリアンブルが伝送される、ｅＮＢでのＲＡプリアンブル検出に対するプロセスの一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１９０】
図１７に示すように、第１の時間インスタンス１７０５で受信された信号がＣＰ除去ユニット１７１０により処理され、ｋ番目の時間インスタンス１７０８で受信された信号がＣＰ除去ユニット１７１８により処理される。結果的信号が後続的にＤＦＴユニット１７１５により処理され、次にサブキャリアデマッピング１７２０が適用される。出力信号がＺＣルートシーケンス１７２５のＤＦＴ１７３０の共役(conjugate)として獲得された他の信号と相関又はマッチングさせること(１７４０)により処理され、ここで、ＺＣシーケンス１７２５は、競合ベースのＰＲＡＣＨ伝送の場合に競合ベースのランダムアクセスで使用されるシーケンスのうち任意のことであり得る。ゼロパディング１７４５及びＩＤＦＴユニット１７５０による処理後に、それぞれの時間インスタンスでの各結果的信号に対するエネルギー、例えば第１の時間インスタンスでのエネルギー１７５５及びｋ番目の時間インスタンスでのエネルギー１７５８が獲得される。次に、結果的なエネルギーが結合され、シーケンス検出ユニット１７５５により処理され、例えばしきい値より高い値となるシーケンス１７２５が検出されると見なされる。
【０１９１】
＜表４＞のように、カテゴリｉで推定された経路損失から決定されたＰCMAX,ｃ及び反復パラメータを用いてＲＡプリアンブルを伝送した後に、ＵＥ１１４がｅＮＢ１０２からＲＡＲを成功的に検出するのに失敗する場合には、ＰCMAX,ｃを使用するＲＡプリアンブルの後続伝送のために、ＵＥ１１４は、カテゴリｉでカテゴリｉ＋１に設定を変更できる（例えば、反復の回数を増加させる）。ＵＥ１１４は、ＰＲＡＣＨ再伝送のための新たなＲＡプリアンブルを選択できる。最後のカテゴリでの推定された経路損失を有するＵＥは、初期伝送と同一の設定を使用してＲＡプリアンブル再伝送を実行する。
【０１９２】
ＲＡプリアンブル再伝送において、（＜表５＞のように）プリアンブルグループ選択が推定された経路損失に基づく場合、プリアンブルグループ選択は、初期伝送と同一であり得る。例えば、プリアンブルグループＡ、１、１ａ、１ｂが同一であり、グループＢ、２、２ａ、２ｂも同一であり、それによってｅＮＢ１０２は、初期伝送又は再伝送でのＲＡプリアンブルと関係なく、ＵＥ１１４が必要とするＣＥの量がわかる。
【０１９３】
ＵＥ１１４からのＲＡプリアンブル再伝送は、ｅＮＢ１０２がＰＲＡＣＨリソースの設定をＵＥ１１４に搬送するために使用する方法に依存できる。ＵＥ１１４がＳＩＢ-ＣＥのみを取得し、ＳＩＢ２を取得しない場合、ＳＩＢ-ＣＥに表示されたＰＲＡＣＨリソースは、例えばカテゴリ１-４に対する＜表４＞のように、特定ＲＡプリアンブル伝送反復回数を有するＣＥ  ＰＲＡＣＨに対するものである。第２の方法は、第１のカテゴリのＵＥがＳＩＢ２及びＳＩＢ-ＣＥ両方ともを取得し、あるいはＳＩＢ２のみを取得し、第２のカテゴリのＵＥがＳＩＢ-ＣＥのみを取得するものである。例えば、第１のカテゴリのＵＥは、一般的にカバレッジ限定されず、移動性をサポートするＵＥである一方、第２のカテゴリのＵＥはカバレッジ限定されて移動性をサポートしないＵＥであり得る。
【０１９４】
ＵＥ１１４は、正常カバレッジモードで動作するか、あるいはＣＥモードで動作するかを判定する。例えば、推定された経路損失がしきい値より大きい場合、又はチャンネル測定値、例えば参照信号受信された電力（ＲＳＲＰ）がしきい値より低く、あるいはＰＳＳ/ＳＳＳが所定の回数試み以後にも検出されず、あるいは通常的なＰＢＣＨが所定の回数試み以後にも検出されず、あるいはＳＩＢ又はＳＩＢ-ＣＥが予め定められた又は設定された回数の試みによっても検出されない場合には、ＵＥがカバレッジ限定されると決定できる。
【０１９５】
図１８及び図１９Ａは、本発明により、システム情報を獲得するためのそれぞれの第１の方法及び第２の方法に対するＲＡプリアンブルの初期伝送及び再伝送におけるＵＥに対する動作の例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０１９６】
図１８に示すように、ＵＥ１１４は、ＳＩＢ-ＣＥのみを取得し、ＳＩＢ２を取得しない。ＵＥ１１４は、ＰＲＡＣＨ再伝送のために電力ランピングを実行できる。現在のＣＥレベルに対するＲＡプリアンブル伝送の回数（最大カウント）に到達する場合、ＵＥ１１４は、次のＣＥレベルに対して(例えば、以前に失敗したＰＲＡＣＨ伝送がＣＥレベルｉに対するものである場合、ＣＥレベルｉ＋１に対して）ＰＲＡＣＨリソース設定を有する。総ＰＲＡＣＨ伝送カウント（初期伝送及び再伝送を含み）は、最大カウントを超えられない。最大カウントは、すべてのＣＥレベルに対して同一であり得又は各ＣＥレベルに対して個別的に（システム情報によって）設定されることができる。ＵＥ１１４は、ステップ１８０１で、伝送カウンターを１に設定し、ステップ１８０３で、ｅＮＢ１０２への経路損失を決定する。ＵＥ１１４は、ステップ１８０５で、ＳＩＢ-ＣＥを取得して（ステップ１８０１はステップ１８０３又は１８０５後にまた発生可能）、ステップ１８０７で、経路損失が＜表２＞又は＜表４＞とのようなカテゴリ１内にあるか否かを判定する。カテゴリ１内にある場合、ＵＥ１１４は、非ＣＥ ＵＥに対する電力設定規則により決定された電力を用いて、ステップ１８０９で、新たなＲＡプリアンブルを伝送する。ＵＥ１１４は、ステップ１８１１で、ＲＡＲが成功的に復号化されるか否かを判定し、ＲＡＲが時間内に（特定タイマの満了以前に）受信されるか否かを判定し、伝送されたＲＡプリアンブルを表示する。ＲＡＲ復号化が成功的である場合、ＵＥ１１４は、ステップ１８１３で、Ｍｓｇ３を送信し、そうでない場合には、ＲＡプリアンブルに対する送信電力がＰｃｍａｘであるか否かを判定する。そうでない場合、ＵＥ１１４は、ステップ１８１７で、電力ランピングを適用し、ステップ１８１９で、伝送カウンタを１だけ増加させる。伝送カウンタがＭａｘＣｏｕｎｔ＋１に到達する場合、ＭａｘＣｏｕｎｔは、ＵＥ１１４が取得する（例えば、ＳＩＢ-ＣＥを通じて又は所定の）パラメータであり、ステップ１８２３で、ランダムアクセスプロセスが失敗する。そうでない場合には、ＵＥ１１４は、ステップ１８０９で、電力ランピング及びランダムアクセスプロセスが反復された以後に送信電力を使用して新たなＲＡプリアンブルを選択及び伝送する。ステップ１８１３で、ＲＡプリアンブル送信電力が以前の伝送で、すなわちステップ１８０９で、Ｐｃｍａｘに到達する場合、ＵＥ１１４は、伝送カウンタを１だけ増加させる。伝送カウンタがＭａｘＣｏｕｎｔ＋１に到達した場合、ステップ１８２９でＲＡＣＨプロセスが失敗する。そうでない場合、ＵＥ１１４は、新たなＲＡプリアンブルを選択してＰCMAX，cを使用して伝送し、ここで、各伝送のために新たなＲＡプリアンブルが選択され、伝送カウンタは１だけ増加する。ランダムアクセスプロセスがいまだに失敗した場合、ＵＥ１１４は、ステップ１８５１で、次のＣＥレベルに対するＰＲＡＣＨリソース設定を使用できる（例えば、＜表３＞のようなＲ１反復）。次に、ＵＥ１１４は、ステップ１８５３で、ＲＡＲが成功的に復号化されたか否かを判定する。ＲＡＲが成功的に復号化される場合、ＵＥ１１４は、ステップ１８６３でＭｓｇ��を送信し、そうでない場合には、ステップ１８５５で、次のより高いＣＥレベルを有するＰＲＡＣＨリソース設定を決定する（例えば、＜表３＞のようなＲ２反復を使用）。次に、ＵＥ１１４は、伝送カウンタを１だけ増加させる。伝送カウンタがＭａｘＣｏｕｎｔ＋１に到達する場合、ステップ１８６１で、ＲＡＣＨプロセスは失敗する。そうでない場合、ＵＥ１１４は、ステップ１８５１で、次のＣＥレベル有する新たなＲＡプリアンブルを選択及び伝送し、（例えば、＜表３＞のようなＲ２反復で）ステップ１８５５及びその手順が反復される。ＣＥレベルがステップ１８５５で既に最高である場合、ＰＲＡＣＨリソース設定は、この最高レベルに対応するように維持される。ステップ１８０７で、経路損失が＜表２＞又は＜表４＞のようなカテゴリ１内にないとＵＥ１１４が決定する場合、ＵＥ１１４は、（例えば、＜表４＞のように）ＣＥレベルに基づいてＰＲＡＣＨリソース設定を決定し、ステップ１８５１で、この決定したＣＥレベル１８５１を有するＰＲＡＣＨリソース設定を使用して新たなＲＡプリアンブルを伝送する。後続動作は、ステップ１８５１で、カテゴリ１で経路損失を決定して到達するＵＥに対しては上述したようである。ステップ１８０３での動作は省略し、ステップ１８０７の動作は“ＵＥが正常カバレッジモードで動作するか？”に代替でき、この場合、Ｐ-ＢＣＨが予め定義された回数未満の回数により検出されるか否かのように、他の手段により、ＵＥが正常カバレッジモードで動作するか否かを判定され得る。
【０１９７】
図１９Ａは、本発明により、後述のように、いくつかの変形を有する図１８と類似した機能を含む。図１９Ａに示すように、ＵＥ１１４は、＜表４＞のようにカテゴリ１内に推定された経路損失がある場合にＳＩＢ２を取得し、そうでない場合にはＳＩＢ-ＣＥを取得する。ＵＥ１１４が、まずＳＩＢ２を取得する場合、ＵＥ１１４は、ＲＡプリアンブルを再送信するときに電力ランピングを実行することができる。ＵＥ１１４が最大送信電力に到達してランダムアクセスプロセスに失敗する場合、ＵＥ１１４は、ＳＩＢ-ＣＥを取得してＲＡプリアンブル再伝送のために、（例えば、＜表４＞でカテゴリ２のように）次のＣＥレベルを有するＰＲＡＣＨリソース設定を決定する。ＵＥ１１４は、ステップ１９０１で、伝送カウンタを１に設定し、ステップ１９０３で、経路損失を決定し、またステップ１９０５で、推定された経路損失が＜表４＞のようなカテゴリ１にあるか否かを判定する。カテゴリ１にある場合、ＵＥ１１４は、ステップ１９１１でＳＩＢ２を取得し、ステップ１９１３で、新たなＲＡプリアンブルを非ＣＥ ＵＥに対する電力設定規則により決定された電力を用いて再伝送する。ＵＥ１１４は、図１８のようにステップ１８１１乃至１８２９と同様に、ステップ１９１５乃至１９３５に従う。ステップ１９１７で、ＲＡプリアンブル送信電力が以前の伝送でのＰｃｍａｘに到達する場合、ＵＥ１１４は、伝送カウンタを１だけ増加させる。伝送カウンタがＭａｘＣｏｕｎｔ＋１に到達する場合、ＵＥ１１４は、ステップ１９３５で、ＰＲＡＣＨプロセスが失敗し、そうでない場合、ＳＩＢ-ＣＥをステップ１９５１で取得し、新たなＲＡプリアンブルを選択して次のＣＥレベルを有するＰＲＡＣＨリソース設定を使用してステップ１９５３に伝送し、この場合、これは＜表４＞のようにカテゴリ２に対応する。後続ステップ１９５５乃至１９６５は、図１８でのステップ１８５３乃至１８６３と同様である。ステップ１９０５で、推定された経路損失が＜表４＞のようにカテゴリ１内にないとＵＥ１１４が決定する場合、ＵＥ１１４は、ＳＩＢ-ＣＥをステップ１９５１で取得し、＜表４＞のように経路損失カテゴリに基づいて適合したＰＲＡＣＨリソース設定を決定し、新たなＲＡプリアンブルを、ステップ１９５３で、次のより高いＣＥレベルを有する決定されたＰＲＡＣＨリソース設定を使用して伝送する。ＣＥレベルがステップ１９５３で既に最高である場合、決定されたＰＲＡＣＨ設定は、この最高レベルに対応するように維持される。後続動作は、ＵＥ１１４が初期にカテゴリ１での経路損失を推定してステップ１９５１で到達する場合に上述したようである。ステップ１９０３での動作は省略でき、ステップ１９０５の動作は“ＵＥが正常カバレッジモードで動作するか？”に代替でき、ここで、ＵＥが正常カバレッジモードで動作するか否かは他の手段によって、例えば、Ｐ-ＢＣＨが所定回数未満の試み回数により検出されるか否かによって決定され得る。
【０１９８】
ＵＥ１１４は、ＰＲＡＣＨを実行する初期ＣＥレベルを決定できる。初期ＣＥレベルは、例えばｅＮＢ１０２により表示された初期ＣＥレベル（例えば、ＳＩＢ又はＳＩＢ-ＣＥに表示）であり、一つ以上の測定又は統計（例えば、推定された経路損失、チャンネル測定値、例えばＲＳＲＰ、ＰＳＳ/ＳＳＳを復号化するための試み回数、Ｐ-ＢＣＨ、又は反復されたＰ-ＢＣＨ（Ｐ-ＢＣＨ-ＣＥとして称される）又はＳＩＢ又はＳＩＢ-ＣＥを復号化するための試み回数など）により決定された初期ＣＥレベル、又は最低ＣＥレベル（例えば、一つ又は複数のＣＥレベルの設定がＳＩＢに又はＳＩＢ-ＣＥに表示され、あるいはシステムオペレーティングで予め定義される）、又はＰＲＡＣＨに対する最高ＣＥレベル（これは、最低のものに対して決定されることもある）、又はＰＲＡＣＨに対して設定されたすべてのＣＥレベルのうちランダムに選択されたＣＥレベル又はシステムオペレーティングで所定の最低ＣＥレベルであり得る。例えば、ＣＥモードでＵＥ１１４に対する経路損失測定値が十分に正確でないことがある場合、ＵＥ１１４は、ＲＡプリアンブル伝送を第１のＣＥレベルを用いて始めることができ、ランダムアクセスプロセスが成功的でない場合、次のより高いＣＥレベルに、最高ＣＥレベルに到達するまで、あるいはＲＡプロセスが成功的であるまで、継続して進行する。
【０１９９】
ＵＥ１１４は、まずＰＲＡＣＨを初期ＣＥレベルに対応するリソースのセットからのリソースを用いて伝送する。初期ＣＥレベルへのＰＲＡＣＨが失敗する場合、ＵＥ１１４は、次のより高いＣＥレベル（もしあれば）でＰＲＡＣＨを再伝送できる。ＵＥ１１４が最高ＣＥレベルに対応するリソースのセットからのリソースを用いてＰＲＡＣＨを送信する場合、同一のランダムアクセスプロセスに対する後続再伝送は、このようなリソースのセットからのリソースを使用する。（初期認知と関係ない）ＣＥレベルにおいて、ＵＥ１１４は、ＣＥレベルからＰＲＡＣＨリソースへのマッピングに基づいて各々のＰＲＡＣＨリソースを決定できる。このようなマッピングは、例えば、それぞれのＣＥレベルに対して設定されたＲＢのセット又はＳＦのセットであり得る。
【０２００】
初期ＣＥレベルが一つ以上のパラメータ（例えば、推定された経路損失、チャンネル測定値、例えばＲＳＲＰ、ＰＳＳ/ＳＳＳ復号化試み回数、通常のＰ-ＢＣＨ、又は反復されたＰ-ＢＣＨ-ＣＥ又はＳＩＢ又はＳＩＢ-ＣＥ復号化試み回数）により決定される場合、ＵＥ１１４は、所定の又は設定されたマッピング関数又はマッピング表を使用して初期ＣＥレベルを決定し、ここで、例えば、パラメータの各範囲がＣＥレベルでマッピングされ得る。他の例で、２個又はそれ以上のパラメータの範囲の組み合わせがＣＥレベルでマッピングされ得る。マッピング関数又はマッピング表の設定はＳＩＢに又はＳＩＢ-ＣＥに表示されるか、あるいはシステムオペレーションで予め定められ得る。システム情報による表示は、異なる個数の受信器アンテナのような異なるｅＮＢ受信器特性を捕捉し、これにより同一の経路損失に対する異なるＣＥレベルの要求に有利である（例えば、同一の経路損失において、より少ない受信器アンテナを有するｅＮＢはより多くの受信器アンテナを有するｅＮＢより、多くの反復を要求する）。例えば、推定された経路損失から初期ＣＥレベルへのマッピングが＜表４＞の一部に提供される。＜表１３＞は、セルｃのＲＳＲＰ（ＲＳＲＰｃ）から初期ＣＥレベルへの例示的なマッピングを提供し、ここで、ＲＳＲＰＴｈはしきい値であり、δＲＳＲＰ１はしきい値ＲＳＲＰＴｈに対するオフセットである。＜表１４＞は、セルｃでの復号化試み回数（Ｎｕｍ_ｄｅｃｃ）から初期ＣＥレベルへの例示的なマッピングを提供し、ここで、Ｎｕｍ_ｄｅｃＴｈはしきい値であり、δＮｕｍ_ｄｅｃ１はしきい値Ｎｕｍ_ｄｅｃＴｈに対するオフセットであり、ここで、復号化は、ＰＳＳ/ＳＳＳ、Ｐ-ＢＣＨ、又はＰ-ＢＣＨ-ＣＥ、又はＳＩＢ又はＳＩＢ-ＣＥに対することであり得る。＜表１５＞はセルｃでの２回の復号化試み（例えば、各回はチャンネルに対することである）（Ｎｕｍ_ｄｅｃ_ｃｈ１ｃは第１のチャンネル用、Ｎｕｍ_ｄｅｃ_ｃｈ２ｃは第２のチャンネル用）からの初期ＣＥレベルへの例示的なマッピングを提供し、ここで、Ｎｕｍ_ｄｅｃ_ｃｈ１Ｔｈ、Ｎｕｍ_ｄｅｃ_ｃｈ２Ｔｈは、それぞれのしきい値であり、δＮｕｍ_ｄｅｃ_ｃｈ１、δＮｕｍ_ｄｅｃ_ｃｈ２はしきい値Ｎｕｍ_ｄｅｃ_ｃｈ１Ｔｈ、Ｎｕｍ_ｄｅｃ_ｃｈ２Ｔｈに対するそれぞれのオフセットであり、ここで、復号化は、チャンネルＰＳＳ/ＳＳＳ、Ｐ-ＢＣＨ、又はＰ-ＢＣＨ-ＣＥ、又はＳＩＢ又はＳＩＢ-ＣＥに対することであリ得る。例えば、第１のチャンネルはＰ-ＢＣＨに対することであり、第２のチャンネルはＳＩＢ又はＳＩＢ-ＣＥに対することであり得る。復号化試み回数に対する条件の一つ以上のセットは、一つのＣＥレベルにマッピングされ、例えば、＜表１５＞のようにＣＥレベル１にマッピングされる一つのセットの条件が存在し、ＣＥレベル３でマッピングする２個のセットの条件が存在する。
【０２０１】
【表１３】
2019146261.tif 000023
【０２０２】
【表１４】
2019146261.tif 000024
【０２０３】
【表１５】
2019146261.tif 000025
【０２０４】
ＵＥ１１４は、ｅＮＢ１０２への初期アクセスに必要なＣＥレベルを決定し、決定したＣＥレベルに基づいて、ＳＩＢ-ＣＥ（又はＳＩＢ）を通じてｅＮＢ１０２により表示されるＰＲＡＣＨリソースのセットから、ＰＲＡＣＨリソースを選択することができる。ＲＲＣ_ＩＤＬＥからのアクセス及び他のアクセスイベントを含むｅＮＢ１０２への後続アクセスのために、ＵＥ１１４は、初期アクセスに対することと同一の手順を実行し、あるいはｅＮＢ１０２により設定されたＣＥレベルに従ってＰＲＡＣＨを伝送できる。
【０２０５】
ＵＥ１１４は、参照信号受信電力（ＲＳＲＰ）の測定値に基づき、ｅＮＢ１０２との通信を確立するために必要なＣＥレベルを決定できる。ＳＩＢ又はＳＩＢ-ＣＥを検出した後に、ｅＮＢ１０２により送信され、ＲＳＲＰ測定のために使用されるＣＲＳ又はＣＳＩ-ＲＳのようなＲＳに関する送信電力の情報が獲得され得る。ＲＳＲＰに基づき、ＵＥ１１４は、（表示されたＲＳ送信電力とＲＳＲＰとの間の差に基づいて）経路損失を推定でき、この経路損失に基づいて、例えば、＜数式１＞を使用してＰＲＡＣＨ  ＣＥレベルを決定でき、この＜数式１＞は（ＰＲＥＡＭＢＬＥ_ＲＥＣＥＩＶＥＤ_ＴＡＲＧＥＴ_ＰＯＷＥＲ＋ＰＬｃ）とＰCMAC,c(ｉ)との間の差を決定するためのものであり、この差は、追加に要求されるＣＥレベルを表示するために使用され得る。
【０２０６】
あるいは、ＵＥ１１４は、ＣＥレベルを推定するためのメトリックとして使用され、ＰＳＳ/ＳＳＳ、ＰＢＣＨ、ＰＢＣＨ-ＣＥ、又はＳＩＢ、又はＳＩＢ-ＣＥを検出するために要求される時間又は復号化試み回数を使用できる。例えば、ＰＳＳ/ＳＳＳを検出するための復号化試み回数が事前規定された数以下である場合、ＵＥ１１４は、正常カバレッジモードで動作すると仮定でき、ＰＳＳ/ＳＳＳを検出するための復号化試み回数が第１の所定数より大きく、第２の所定数以下である場合、ＵＥ１１４は、ＣＥモードで動作すると仮定できる。
【０２０７】
ＵＥ１１４は、所定の復号化試み回数後に通常的な信号（ＰＳＳ/ＳＳＳ）又はチャンネル（ＭＩＢ/ＳＩＢ）を検出しない場合、カバレッジ限定されると仮定する。例えば、ＵＥ１１４が所定回数のＭＡＸ_ＭＩＢ_Ａｔｔｅｍｐｔ復号化試み後に通常的なＰＢＣＨを検出されない場合、カバレッジが限定されると仮定する。ＵＥ１１４がＭＡＸ_ＭＩＢ_Ａｔｔｅｍｐｔより大きくない試み回数で通常的なＰＢＣＨを検出できるが、所定回数のＭＡＸ_ＳＩＢ_Ａｔｔｅｍｐｔ復号化試み後にＳＩＢ検出を失敗する場合、カバレッジ限定されると仮定する。一方、ＵＥ１１４は、チャンネル測定を実行し、チャンネル測定メトリック（例えば、ＲＳＲＰ）がＳＩＢで又はＳＩＢ-ＣＥで通知された所定のしきい値より低い場合（又は経路損失が他の所定のしきい値より大きい場合）、ＵＥ１１４は、カバレッジ限定されると仮定する。複数のＣＥレベルが定義でき、ＵＥ１１４は、ＰＳＳ/ＳＳＳ又はＭＩＢ又はＳＩＢ検出以前の復号化試み回数に基づいて又はチャンネル測定値メトリックに基づいて、後続動作に対するＣＥレベルを決定できる。
【０２０８】
上記した処理方式は、パワーオンされる初期アクセスのような初期アクセスに対するＣＥレベル又は初期カバレッジモードをＵＥ１１４が決定するために使用され得る。ＵＥ１１４が、後続アクセス、例えばＲＲＣ_ＩＤＬＥからのアクセス、他のイベント、例えば、セル再選択を選択するときのイベントなどでアクセス時に初期カバレッジモード又はＣＥレベルを決定するために使用され得る。アクセスは、競合ベースのＲＡＣＨ、例えば、ＲＲＣ_ＩＤＬＥからのアクセス、ＲＲＣ接続再確立手順、ＵＬ同期化が新たなセルに確立される必要があるときのハンドオーバー、ランダムアクセス手順を要求するＲＲＣ_ＣＯＮＮＥＣＴＥＤ間のＤＬデータ到達（例えば、ＵＬ同期化状態が“非同期化”された場合）、ランダムアクセス手順を要求するＲＲＣ_ＣＯＮＮＥＣＴＥＤ間のＵＬデータ到達（例えば、ＵＬ同期化状態が“非同期化”され、あるいはサービス要請の伝送のために使用可能ないかなるＰＵＣＣＨリソースも存在しない場合）、又は無競合ＲＡＣＨ、例えば、ＤＬデータ到達、ハンドオーバー、及びポジショニングに基づいてＵＬ同期化の再確立を含むことができる。
【０２０９】
後続アクセスの場合、最初にパワーオン以後の初期アクセスのためのアプローチ方式に対する代案として、ＵＥ１１４は、特定セルに対して、以前に使用された、又はキャッシングされた、又はネットワーク設定された、カバレッジモード（例えば、正常カバレッジモード又は改善されたカバレッジモード）又はＣＥレベル（ＰＲＡＣＨ反復の回数及びＴＸ電力を包含）を、ＵＥ１１４がセルへのアクセスを実行するための初期カバレッジモード又はＣＥレベルとして使用できる。ＵＥ１１４は、自身が以前に使用したカバレッジモード又はＣＥレベルをキャッシュできる。キャッシュされたカバレッジモード又はＣＥレベルは、例えば各々のセルに対する最近の成功的なアクセスを引き起こし、あるいは各々のセルに対するアクセスを試みた最近のものであり得る。ＵＥ１１４は、ネットワークにより以前に設定された特定セルにアクセスするためのカバレッジモード又はＣＥレベルを記憶でき、そのセルにアクセスするためにこのようなカバレッジモード及びＣＥレベルを使用する。
【０２１０】
ＵＥ１１４がネットワークに再進入する場合（例えば、所定のスリープ期間又はアイドル期間以後に）、初期ＣＥレベルは（これに限定されないが）、ネットワークに再進入する以前にＵＥ１１４に設定され、又はキャッシュされたＣＥレベルのうちいずれか一つであり得る。例えば、ＵＥ１１４がＲＲＣ_ＣＯＮＮＥＣＴＥＤからＲＲＣ_ＩＤＬＥへ遷移する以前に、ｅＮＢ１０２は、例えばＲＲＣ接続リリースメッセージを用いて、ＲＲＣ_ＩＤＬＥからのアクセスを実行する場合に、ＵＥ１１４がＣＥモードを適用するか又は正常モードを適用するか又は非ＣＥモードを適用するかに対してＵＥ１１４を設定でき、例えば、ＲＲＣ接続リリースメッセージを用いて、初期ＣＥレベルを使用するようにＵＥ１１４を設定できる。ＵＥ１１４は、設定されたカバレッジモード又はＣＥレベルを用いてｅＮＢ１０２にアクセスする。あるいは、ＵＥ１１４は、例えば、ＲＲＣシグナリングにより設定される値を有するタイマを使用してもよい。タイマ値は、移動性に関連される。例えば、高移動性の場合にタイマ値が低い反面、低移動性の場合にはタイマ値はより大きいことがある。タイマは、ＵＥ１１４がＣＥモードで設定される場合に始まることができる。ＲＲＣ_ＩＤＬＥからの初期アクセスである場合、タイマは、ＵＥ１１４がＲＲＣ_ＩＤＬＥに進入する場合に始まることができる。ＵＥ１１４が新たなアクセスを開始する以前にタイマが満了する場合、ＵＥ１１４は、ＵＥ１１４がパワーオンするときに初期アクセスに適用可能なアプローチ方式のうち一つを使用することができる。ＵＥ１１４が新たなアクセスを始める以前にタイマが満了しないと、ＵＥ１１４は、タイマを停止させ、後続アクセスに適用可能な上記した処理方式のうち一つを使用することができる。
【０２１１】
図１９Ｂは、ＵＥ１１４がタイマに従って初期ＣＥレベルを決定するための手順の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２１２】
図１９Ｂに示すように、ＵＥ１１４は、ステップ１９６６で、カバレッジモード又は初期ＣＥレベル決定のためにタイマを開始する。例えば、ＵＥ１１４は、ＵＥ１１４がＲＲＣ_ＩＤＬＥに進入するときにタイマを開始できる。ステップ１９６７で、ＵＥ１１４は、新たなアクセス時にタイマが満了するか否かを判定する。タイマが満了した場合、ステップ１９７１で、ＵＥ１１４は、最初のパワーオンの初期アクセスに適用可能なアプローチ方式のうち一つを使用して新たなアクセスを実行するためのカバレッジモード又は初期ＣＥレベルを決定する。そうでない場合、ステップ１９６９で、ＵＥ１１４は、後続アクセスに適用可能なアプローチ方式のうち一つを使用して、新たなアクセスを実行するためのカバレッジモード又は初期ＣＥレベルを決定する。
【０２１３】
上記のアプローチ方式の使用は、ｅＮＢ１０２によりＵＥ１１４に設定され、例えばＵＥ状態又は特性、例えばＵＥタイプ又は用途、ＵＥ移動性、又はＵＥ位置に基づく。例えば、後続アクセスに対する初期ＣＥレベルを決定するために、限定された移動性を有するＵＥは、後続アクセスに適用可能なアプローチ方式のうち一つに設定されてカバレッジモードを決定でき、移動性を有するＵＥは、最初のパワーオンの初期アクセスに適用可能なアプローチ方式のうち一つに設定されて後続アクセスのための初期ＣＥレベルを決定できる。その代案として、ＵＥは、ＵＥのタイプ又は特性と関係なく、存在する場合には、キャッシュされ、以前に設定された初期ＣＥレベルをアクセスのために常に最初に使用できる。
【０２１４】
図１９Ｃは、ＵＥが後続アクセスのために初期ＣＥレベルに従ってアクセスを実行するための手順の一例を示す。このフローチャートは、このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２１５】
図１９Ｃに示すように、後続アクセスのために、ＵＥ１１４は、ステップ１９７３で、特定タイマに基づいて、又はＵＥの状態（例えば、移動性）に基づいて、新たなアクセス以前にｅＮＢ１０２により設定されたこと又はキャッシュされたことから初期ＣＥレベルを決定する。ＵＥ１１４は、ステップ１９７５で、その決定されたＣＥレベルが正常カバレッジを表示するか否かを判定する。表示する場合、ＵＥ１１４は、ステップ１９８１で、通常的なアクセスを実行する。そうでない場合、ＵＥ１１４は、ステップ１９７７で、その決定されたＣＥレベルに従ってＰＲＡＣＨリソースを決定し、ＰＲＡＣＨをカバレッジ限定されたＵＥとして伝送し、ステップ１９７９でアクセス手順を継続する。現在のＣＥレベルを使用するアクセスが失敗する場合、ＵＥ１１４は、次のＣＥレベルを想定できる。
【０２１６】
ＰＲＡＣＨ伝送に対するそれぞれのリソース及びＣＥレベルとの間のマッピングを含むシステム情報が、新たなアクセス以前に（例えば、ＵＥがＲＲＣ_ＩＤＬＥに進入する以前に）ＲＲＣシグナリングを通じて指示できる。あるいは、ＵＥ１１４は、ＰＲＡＣＨ伝送のためにキャッシュされたリソースを使用することができる。その後、ＵＥ１１４は、ＳＩＢ-ＣＥの復号化をスキップする。
【０２１７】
後続アクセスにおいて、ＵＥ１１４がＣＥモード（例えば、非ゼロＣＥレベル）で動作する場合、ＵＥ１１４は、ＣＥモードによりＰＢＣＨを検出するように直接に試み、複数のＭＡＸ_ＭＩＢ_Ａｔｔｅｍｐｔ復号化試みのための通常的なＰＢＣＨを検出するために第１の試みよりはＰＢＣＨ反復の存在を考慮することができる。
【０２１８】
図１８又は図１９Ａに示す動作の代案として、ＵＥ１１４は、まずＣＥモードで動作する必要があるか否かを判定し、初期ＣＥレベルを決定できる。例えば、初期ランダムアクセスのために、第１のＣＥレベル、例えば、＜表２＞でＲ１反復を含むことがいつも使用することができる。また、ＵＥ１１４は、＜数式３＞のようにＰPRACHを決定する。ＰPRACHがＰCMAX,cより小さい場合、ＵＥ１１４は、上述したように、各再伝送のためにＲＡプリアンブルに対する同一の回数のＲ１反復を維持しつつ、ＲＡプリアンブルの再伝送のための通常的な電力ランピングを適用できる。他の代案では、＜数式３＞により決定された初期ＰPRACHは、初期ＰPRACHを見る低い値に設定するためのオフセットを有する。
【０２１９】
図１９Ｄは、本発明により、ＵＥ１１４によるＲＡプリアンブルの初期伝送及び再伝送のための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２２０】
図１９Ｄに示すように、ＵＥは、ステップ１９８３で、ＲＡプリアンブル伝送のためにＣＥモードで動作する必要があるか否かをまず判定する。例えば、ＵＥ１１４は、測定された経路損失がシステム情報により通知されるしきい値より大きい場合、初期ＲＡプリアンブルがＣＥモードを従う必要があると決定できる。ＵＥ１１４は、ステップ１９８５で、初期ＣＥレベルを決定する（例えば、上述したように、第１のＣＥレベルはいつも初期ＣＥレベルとして使用されるか、あるいは第１のＣＥレベルはＵＥ１１４及びＳＩＢ内の情報による経路損失測定により決定され得る）。ＵＥ１１４は、ステップ１９８７で、ＰPRACHを＜数式３＞のように決定する。ＰPRACHがＰCMAXより小さい場合、ＵＥ１１４は、ステップ１９８９で、第１のＲＡプリアンブル反復の回数に対応する決定された初期ＣＥレベルによるＲＡプリアンブル伝送のために、電力ランピングを適用できる。決定されたＣＥレベルに対応する第１のＲＡプリアンブル再伝送の回数（各ＲＡプリアンブル伝送のための第１のＲＡプリアンブル反復の回数）以後に、ＵＥがＲＡＲウィンドウ内にＲＡプリアンブル識別子を含むＲＡＲの受信に失敗する場合、ＵＥは、ステップ１９９１で、次のＣＥレベルに進行し、最大第２の伝送回数の間に第２の反復回数を有するＲＡプリアンブル伝送を継続する。
【０２２１】
＜ＣＥ ＵＥに対するランダムアクセス応答（ＲＡＲ）＞
特定の実施形態において、ＣＥモードで動作するＵＥ１１４へのＲＡＲの伝送が考慮される。ＲＡプリアンブルが送信される場合、可能な測定ギャップの発生と関係なく、ＵＥ１１４は、ＲＡプリアンブル伝送の端部及び３個のＳＦを含み、長さＲＡ-応答ウィンドウサイズＳＦを有するＳＦから始まるＲＡＲウィンドウ内のＲＡ-ＲＮＴＩにより識別されるＲＡＲに対してＰＤＣＣＨをモニタリングする。ＲＡプリアンブルが伝送されたＰＲＡＣＨに関連したＲＡ-ＲＮＴＩは、＜数式４＞のように計算される。
【０２２２】
【数９】
2019146261.tif 000026
【０２２３】
ここで、ｔ_ｉｄは、特定ＰＲＡＣＨの第１のＳＦのインデックスであり（０≦ｔ_ｉｄ＜１０）、ｆ_ｉｄは、周波数ドメインの昇順に該当ＳＦ内の特定ＰＲＡＣＨの周波数リソースインデックスである（０≦ｆ_ｉｄ＜６）。ＲＡプリアンブルの反復の伝送のためのＳＦ内での複数の周波数リソースインデックスである場合、ｆ_ｉｄは、ＳＦ内のＰＲＡＣＨの第１の周波数リソースインデックスであり得る。ＵＥ１１４は、伝送されたＲＡプリアンブルとマッチングされるＲＡプリアンブル識別子を含むＲＡＲの成功的な受信以後に、ＲＡＲをモニタリングすることを中断できる。
【０２２４】
（例えば、＜表４＞で経路損失カテゴリ２乃至４に対して）ＲＡ-プリアンブル伝送の反復を有するＵＥ１１４に対してＲＡ-ＲＮＴＩによりスクランブルされたＣＲＣを有するＤＣＩフォーマットを搬送するＰＤＣＣＨが反復され、あるいは一般的にはＣＥのために追加の信頼性に伝送され得る。しかしながら、上述したように、ＲＡ-ＲＮＴＩによりスクランブルされたＣＲＣを有するＤＣＩフォーマットを搬送するＰＤＣＣＨ伝送のための反復又はそれぞれのＲＡＲを搬送するＰＤＳＣＨ伝送のための反復は、ＲＡプリアンブル伝送のための反復と独立的であり、その理由は、ＵＥ１１４がＤＬカバレッジ限定されるが、ＵＬカバレッジ限定されないためであり、あるいはその反対も可能なためである。
【０２２５】
第１のアプローチ方式で、ＣＥ ＵＥ及び非ＣＥ ＵＥは、同一のＲＡ-ＲＮＴＩを有するが、関連したＰＤＣＣＨの伝送のために異なる設定を有することができる。例えば、ＣＥ ＵＥに対するＰＤＣＣＨ設定は、第１のＤＣＩフォーマット、又は第１のＣＣＥアグリゲーションレベル、又はＳＦにかける第１の反復回数を使用できる一方、非ＣＥ ＵＥに対するＰＤＣＣＨ設定は、第２のＤＣＩフォーマット、又は第２のＣＣＥアグリゲーションレベル、及び単一ＰＤＣＣＨ伝送を使用できる。例えば、同一のＤＣＩフォーマット、ＤＣＩフォーマット１Ｃは、ＣＥ ＵＥ又は非ＣＥ ＵＥのうちいずれか一つに対するＲＡＲをスケジューリングできるが、ＣＥ ＵＥに対する各々のＰＤＣＣＨは、１６ＣＣＥのアグリゲーションレベルを使用でき、単一のＳＦ又は複数のＳＦ又は第１のリソースで伝送され、非ＣＥ ＵＥに対するＰＤＣＣＨは、８ＣＣＥの最大アグリゲーションレベルを使用でき、単一ＳＦ又は第２のリソースで伝送され得る。
【０２２６】
第２のアプローチ方式では、ＣＥ ＵＥに対するＲＡＲをスケジューリングするＰＤＣＣＨが非ＣＥ ＵＥに対するＲＡ-ＲＮＴＩと異なり、所定のＲＡ-ＣＥ-ＲＮＴＩによりスクランブルされたＣＲＣを有するＤＣＩフォーマットを搬送できる。
【０２２７】
ＵＥ１１４は、それの経路損失カテゴリに従ってＲＡ-ＲＮＴＩによりスクランブルされたＣＲＣを有するＤＣＩフォーマットを搬送するＰＤＣＣＨをモニタリングでき、ｅＮＢからＲＡＲの伝送をスケジューリングするＰＤＣＣＨを検出するときに各々のＰＤＣＣＨ設定（例えば、ＣＣＥアグリゲーションレベル又は反復の回数）を想定できる。この経路損失のマッピングは、ＲＡプリアンブルに対することとＲＡＲに対すること異なり、その理由は、各々のＤＬカバレッジ及びＵＬカバレッジ要件が異なるためである。例えば、ＵＥ１１４による所定の経路損失測定において、サービングｅＮＢ１０２により伝送されたＳＩＢ内の表示は、ＲＡプリアンブルをＲ１反復で伝送するが、反復なしに各々のＲＡＲ（及びＲＡ-ＲＮＴＩによりスクランブルされたＣＲＣを有するＤＣＩフォーマットを搬送するＰＤＣＣＨ）の受信を示すことであり得る。
【０２２８】
ＲＡプリアンブル伝送のために、ＣＥモードで動作するＵＥ１１４がＲＡＲ受信のためにもＣＥモードで動作する場合、経路損失のマッピング又は、同様には、それぞれのＲＡＲをスケジューリングするＰＤＣＣＨの伝送のための設定へのＰＲＡＣＨリソース（時間、周波数、及びＺＣシーケンスでのＰＲＡＣＨリソース設定を包含）のマッピングが事前定義され、あるいはシステム情報によりＵＥ１１４に通知できる。＜表１６＞は、経路損失範囲及びＰＲＡＣＨリソースの関数としてＲＡ-ＲＮＴＩによりスクランブルされたＣＲＣを有するＤＣＩフォーマットを搬送するＰＤＣＣＨの伝送設定に対する例を提供する。＜表１６＞で、設定１、２、１ａ、２ａ、１ｂ、２ｂは相互に異なり、そうでないと、経路損失カテゴリに依存し、同一の経路損失カテゴリに対しては同一であり（例えば、設定１、２は同一であり、設定１ａ、２ａも同一であり、また設定１ｂ、２ｂも同一であり）、ここで、設定１、２、１ａ、２ａ、１ｂ、２ｂは、プリアンブルグループに依存せず、これを＜表１７＞に示す。
【０２２９】
＜表１７＞で、ＲＡ-ＲＮＴＩによりスクランブルされたＣＲＣを有するＤＣＩフォーマットを搬送するＰＤＣＣＨの伝送設定は、経路損失範囲及びＰＲＡＣＨリソースと関連するが、プリアンブルグループとは関連されない。ＲＡＲをスケジューリングするＰＤＣＣＨに対する反復の回数は、各ＲＡプリアンブルの伝送のために使用された反復回数から暗示的に決定されると仮定する。例えば、ＲＡプリアンブルがＲ１反復で送信される場合、ＲＡＲをスケジューリングするＰＤＣＣＨは２Ｒ１反復で伝送される。
【０２３０】
【表１６】
2019146261.tif 000027
【０２３１】
【表１７】
2019146261.tif 000028
【０２３２】
図２０は、本発明により、ＣＥ ＵＥがＲＡＲを取得するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２３３】
図２０に示すように、ＣＥ ＵＥは、ステップ２０１０でＲＡプリアンブルを伝送した後に、それぞれの経路損失範囲及びそれぞれのＰＲＡＣＨリソース（例えば、＜表６＞を使用）に対するＲＡ-ＲＮＴＩによりスクランブルされたＣＲＣを有するＤＣＩフォーマットを搬送し、（及びそれぞれのｅＮＢによる可能なＲＡプリアンブル検出に応答してＰＤＳＣＨ内のＲＡＦをスケジューリングする）ＰＤＣＣＨの伝送設定を決定する。ＰＤＣＣＨに対して決定された伝送設定を用いて、ＣＥ ＵＥは、ステップ２０２０で、各々の復号化動作を実行してＲＡＲをスケジューリングしたＤＣＩフォーマットを搬送するＰＤＣＣＨを検出する。ＲＡＲをスケジューリングするＰＤＣＣＨを成功的に検出した後に、ステップ２０３０で、ＣＥ ＵＥはＰＤＳＣＨでＲＡＲを受信する。
【０２３４】
第１の実施形態で説明するように、＜表４＞のようなカテゴリｉでの推定された経路損失から決定された反復パラメータによりＲＡプリアンブルを伝送した後に、ＵＥ１１４がｅＮＢ１０２からのＲＡＲ受信を失敗する場合、ＲＡプリアンブルの後続伝送のために、ＵＥは、カテゴリｉでカテゴリｉ＋１に設定を変更できる。
【０２３５】
ＲＡＲをスケジューリングするＰＤＣＣＨに対する設定は、ＲＡプリアンブル伝送のための反復の回数、又は同様には、各々のリソースに基づき、このようなリソースでＲＡプリアンブルが検出される。これは、特に競合ベースのＰＲＡＣＨ伝送に適用され、ここで、ｅＮＢ１０２は、ＵＥ１１４に対する経路損失推定値を知らず、ｅＮＢ１０２が各々のＲＡプリアンブルを検出したリソースから経路損失推定値を推論できるだけである。ＲＡＲをスケジューリングするＰＤＣＣＨに対する設定は、ＲＡプリアンブルの初期伝送と再伝送によって異なり、再伝送は、初期伝送と異なるリソースを使用し、これは、ＵＥ１１４が経験する実際の経路損失と関係ない。例えば、初期ＲＡプリアンブル伝送のために、ＵＥ１１４は、Ｒ１反復を使用し、設定１をＲＡＲをスケジューリングするＰＤＣＣＨに対する設定として想定する。ＲＡＲがＵＥ１１４により受信されない場合、ＵＥ１１４は、Ｒ２反復を使用してＲＡプリアンブルを再伝送し、ＲＡＲをスケジューリングするＰＤＣＣＨに対する設定１ａを想定できる。
【０２３６】
ＲＡＲ受信及び後続Ｍｓｇ３伝送がそれぞれのＰＤＣＣＨによりスケジューリングされないことも可能である。その代わりに、ＤＬカバレッジ限定されたＵＥに対するランダムアクセスプロセスがサービングｅＮＢからの任意の関連したＰＤＣＣＨ伝送なしに行なわれる。ＵＥ１１４がサービングｅＮＢ１０２への経路損失を推定した後に（又は上述した他の手段により）、上記したように、ＲＡプリアンブル伝送のためのＰＲＡＣＨリソース設定を決定できる。これは、（上述したように、関連したＰＤＣＣＨなしにＳＩＢ-ＣＥ受信することと同様に）ＲＡＲ受信に対するパラメータ及びリソースを決定し、競合解決のためにＭｓｇ３伝送及び後続Ｍｓｇ４受信のためのパラメータ及びリソースを決定するＵＥ１１４で拡張することができる。サービングｅＮＢ１０２がＲＡＲ伝送、Ｍｓｇ３受信、及びＭｓｇ４伝送のための以前のパラメータ及びリソースを自身が関連したＲＡプリアンブルを検出したリソースに基づいて決定できることに留意する（例えば、経路損失範囲の各カテゴリは、すべての４個のステップに対してランダムアクセスプロセスのための直交リソースに関連する）。
【０２３７】
ＲＡＲ伝送のためのＰＤＳＣＨリソースは、ＲＡプリアンブルに関連する。同一のＵＬ  ＣＥレベルに対しても、異なるＰＤＳＣＨ  ＲＡＲリソースは、ＲＡプリアンブルの異なるグループにも関連され、その理由は、同一のＰＤＳＣＨですべてのＲＡプリアンブルに対するＲＡＲを伝送できないこともあるためである。各々のＰＤＳＣＨリソースを有する同一のＵＬ  ＣＥレベルに対してＭ個のＲＡＲが存在でき、ＵＥ１１４は、ＰＤＳＣＨリソースを決定してＭグループからの一つのグループに従ってＲＡＲ受信の間に送信された、それが属したＲＡプリアンブルをモニタリングする（例えば、オーダーリング（orddring）は、増加するＲＡプリアンブル数に従う）。異なるＰＤＳＣＨ  ＲＡＲリソースが同一のＵＬ  ＣＥレベルに対するＲＡプリアンブルに対応させることが同一のＵＬ  ＣＥレベルを有するが、異なるＤＬ  ＣＥレベルを有するＵＥ、例えば、両側ＵＥが単一送信器アンテナを有するときに第１のＵＥは、２個の受信器アンテナを有し、第２のＵＥは、単一受信器アンテナを有する場合にも有利であり得る。＜表１６＞とともに、２個のＲＡプリアンブルグループが同一のＣＥレベルに対して使用でき、異なるグループが異なるＲＡＲ回数反復及びリソースに関連することができる。
【０２３８】
ＲＡプリアンブル反復の回数とＲＡＲ反復の回数との間の所定のマッピングを用いて、後者が異なるＵＬ  ＣＥモードにあり、それによって異なるＲＡプリアンブル反復の回数を要求するＵＥに関する情報を伝送することも可能である。
【０２３９】
あるいは、同一のＲＡＲがＲＡプリアンブル伝送のための異なるＣＥレベルを有するＵＥに対することでもある。より低いＤＬ  ＣＥレベルを有するＵＥは、より高いＤＬ  ＣＥレベルを有するＵＥより速く（より少ない数の反復回数で）ＲＡＲを復号化できる。ＲＡＲが同一のＲＡプリアンブル反復レベルでのＵＥに対することである必要はなく、あるいはＵＥが最大回数のＲＡＲ反復を待機する必要がない（又は、この最大回数が何であるかも知る必要もない）。この場合、ＲＡＲリソースのＵＥ-共通セットがシステム情報により設定され得る。
【０２４０】
ＵＥは、各々のＲＡＲモニタリングウィンドウサイズを用いてＲＡＲをモニタリングできる。相異なるＲＡＲモニタリングウィンドウサイズは異なるＲＡプリアンブル反復の回数からマッピングされ得る。サービングｅＮＢはＳＩＢを通して、ＲＡプリアンブルＣＥレベル及びそれぞれのＲＡＲＣＥレベルの間の関連（マッピング）、各ＲＡプリアンブルＣＥレベル（反復の回数）をＲＡＲＣＥレベル（反復の回数）に関連させることによって提供できる。異なるＲＡＲ  ＣＥレベルが同一のＣＥレベルに対する異なるＲＡプリアンブルグループに対して存在することで、同一のＵＬ  ＣＥレベルを有するが、２個の異なるＤＬ  ＣＥレベルを有するＵＥを区別できる。例えば、ＳＩＢは、＜表１８＞のようにＲＡＲに対するＣＥレベル及びＲＡプリアンブルに対するＣＥレベルと複数の経路損失範囲に関連される。
【０２４１】
ＵＥ１１４がＲＡプリアンブル伝送及びＲＡＲ伝送のためのＣＥレベルを決定した後に、他のＵＬチャンネル又はＤＬチャンネルに対するＣＥレベルが、サービングｅＮＢ１０２が上位レイヤシグナリングにより明示的にＣＥレベルを設定するまで、経路損失測定に対する所定のオフセットを提供できる各々のＢＬＥＲに基づいて固有に決定される。例えば、Ｍｓｇ３がそれぞれのターゲット信頼性を達成するためにＲＡプリアンブルより２ｄＢ小さいＳＩＮＲを要求する場合、ＵＥ１１４は、＜表１８＞により有効経路損失ＰＬｃ-２ｄＢに対するカテゴリを決定することによって、Ｍｓｇ３に対する反復回数を決定できる。
【０２４２】
【表１８】
2019146261.tif 000029
【０２４３】
図２１は、本発明によるＲＡプリアンブルの再伝送が存在する場合に、ＵＥがＲＡＲを取得するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２４４】
図２１に示すように、ＵＥ１１４は、サービングｅＮＢ１０２への経路損失をステップ２１０１で決定し、次に決定された経路損失を含む経路損失範囲に対応するＰＲＡＣＨ（ＲＡプリアンブル）リソース設定をステップ２１０５で決定する。ＵＥ１１４は、ステップ２１０７で、ＡＦｉｒｓｔＶａｌｕｅの値を有する伝送カウンタを有する（ＡＦｉｒｓｔＶａｌｕｅは、初期ＲＡプリアンブル伝送に対して１と同一であり、ＲＡプリアンブル再伝送の場合には１より大きい）。ＵＥ１１４は、ステップ２１１０で、ステップ２１０５で決定されたＰＲＡＣＨリソースを用いてＲＡプリアンブルを送信し、次にＲＡＲ受信のための伝送設定をステップ２１２０で決定し、ＲＡＲをステップ２１３０で受信し、またＲＡＲが成功的に復号化されるか否かをステップ２１４０で判定する。ＲＡＲ復号化が成功的であり、ＲＡＲメッセージが、転送されたＲＡプリアンブルを表示する場合、ＵＥ１１４は、ステップ２１６０でＭｓｇ３を伝送し、そうでない場合、ＵＥ１１４は、ステップ２１５０で、次のより高いレベルの信頼性（又は存在すると、次のより高いレベルのＣＥ）（例えば、＜表４＞のように以前に使用されたカテゴリがｉである場合、（ｉ＋１）番目のカテゴリ）を有するＰＲＡＣＨリソース設定を決定し（それが既に最高レベルのＣＥである場合、それはＣＥの最高レベルを有するＰＲＡＣＨリソース設定を使用する）、ステップ２１７０で伝送カウンタを１だけ増加させる。ステップ２１８０で伝送カウンタがＭａｘカウント＋１に到達する場合、ランダムアクセスプロセスは、ステップ２１９０で失敗するようになり、そうでない場合、ＵＥ１１４は、（ステップ２１５０のように）新たなＲＡプリアンブルを選択し、このＲＡプリアンブルを決定したＰＲＡＣＨリソース設定により伝送する。次に、ＵＥ１１４は、ステップ２１１０で、ＲＡプリアンブルをＵＥ１１４が送信するために使用したＰＲＡＣＨリソースに対応するＲＡＲ受信に対する伝送設定を決定する。その後、この手順を反復する。ステップ２１０１での機能は、‘ＣＥレベル決定’に代替でき、ステップ２１０５での機能は、‘ＰＲＡＣＨリソース設定を決定されたＣＥレベルに基づいて決定’に代替できることに留意する。
【０２４５】
反復なしに関連した第１のカテゴリとは異なるカテゴリ内の経路損失を有する、ＣＥ ＵＥに対するＲＡＲは、非ＣＥ ＵＥに対するものと異なるＭＡＣ  ＰＤＵに存在できる。このような方式で、ＣＥ ＵＥに対するＭＡＣ ＲＡＲは、異なるＣＥレベルで伝送できる。
【０２４６】
ＲＡ-ＲＮＴＩによりスクランブルされたＣＲＣを有するＤＣＩフォーマットは、ＰＤＳＣＨでＲＡＲを搬送するＭＡＣ  ＰＤＵの伝送のための設定を表示できる。例えば、ＤＣＩフォーマットは、それぞれのＰＤＳＣＨ周波数リソース以外に、ＳＦの個数を表示でき、ここで、ＲＡＲを搬送するＰＤＳＣＨが表示された周波数リソース内で伝送される。その後、ＵＥは、ＲＡＲを獲得するために復号化動作を実行する前に、複数のＰＤＳＣＨ伝送を複数のＳＦ各々にかけて結合できる。
【０２４７】
あるいは、特にＤＬカバレッジ限定されたＵＥに対して、ＲＡＲを搬送するＰＤＳＣＨをスケジューリングするＰＤＣＣＨは、（例えば、予め定められた又は設定された伝送パラメータを用いて、そして（ＰＤＣＣＨによりＲＡＲがスケジューリングされる場合に）ＲＡＲをスケジューリングするＰＤＣＣＨの設定を決定するために上述した第２のアプローチ方式と同様に関連したＲＡプリアンブルの伝送に対して使用されるそれぞれの設定によって決定された複数のＳＦにかけて）省略され、ＲＡＲを伝達するＰＤＳＣＨのみが伝送される。
【０２４８】
ＣＥ ＵＥに対するＲＡＲは、ＣＥ ＵＥによるＭｓｇ３の伝送のための情報を含むことができる。例えば、ＣＥ ＵＥがＭｓｇ３を伝送したＳＦの個数がそれぞれのＲＡプリアンブルのＣＥレベルにより決定されない場合、ＲＡＲは、ＣＥ ＵＥがＭｓｇ３を伝送するＳＦの個数を通知できる。例えば、ＣＥ ＵＥ（＜表４＞でカテゴリ１と異なるカテゴリ内の経路損失）が最大電力（ＰCMAX,ｃ）でＭｓｇ３を伝送すると想定できるため、Ｍｓｇ３を搬送するＰＵＳＣＨをスケジューリングするＤＣＩフォーマット内のＴＰＣ命令（ＲＥＦ２を参照）がその代わりに使用されてバンドリングされるＳＦの個数を表示できる。あるいは、ＲＡＲに対するコンテンツが、例えば、Ｍｓｇ３に対する多重バンドリングのための新たな情報を含むように拡張することができる。
【０２４９】
あるいは、Ｍｓｇ３の伝送は、各々のＲＡプリアンブルを伝送するために使用されるリソース設定及びＭｓｇ３リソースのマッピングに基づいて、対応するＲＡプリアンブルに関連した事前決定されたリソース内の事前決定されたパラメータを使用できる。ＣＥ ＵＥは、Ｍｓｇ３をそれぞれのＲＡプリアンブルリソース設定のマッピングから決定されるようなＰＵＳＣＨで伝送する。
【０２５０】
ＰＨＩＣＨ伝送がＵＥに対してＣＥモードでサポートされる場合、Ｍｓｇ３再伝送は、ＮＡＣＫを伝送するＰＨＩＣＨによりトリガされ得る。ＰＨＩＣＨがＵＥに対してＣＥモードでサポートされない場合、Ｍｓｇ３再伝送がＰＤＣＣＨによりスケジューリングされない場合、ランダムアクセスプロセスを反復する確率を減少させるために、初期Ｍｓｇ３伝送のためのより小さな誤り率（より高い検出信頼性）をターゲットとすることが必要である。その理由は、Ｍｓｇ３を再伝送する必要があることを決定することにおいて、ＵＥに提供されるいかなる手段も存在しないためである。次に、ネットワークは、ＣＥモードで動作しないＵＥよりは、より高い受信信頼性を有するようにＣＥモードで動作するＵＥからのＭｓｇ３伝送を設定でき、その理由は、ＣＥモードで動作しないＵＥは、ＰＨＩＣＨ又はＰＤＣＣＨによりトリガされたＭｓｇ３再伝送を有することができるためである。
【０２５１】
図２２は、本発明によるＭｓｇ３に対する伝送設定をＵＥが決定するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２５２】
図２２に示すように、ステップは、ステップ２１６０と関連したステップ２２６０及び２２６５を除けば、図２１のステップと同様である。成功的なＲＡＲ検出後に、ＵＥ１１４は、Ｍｓｇ３に対する伝送設定、例えば、ＳＦ個数を含む情報をステップ２２６０で決定する。Ｍｓｇ３伝送がＲＡ-ＲＮＴＩによりスクランブルされたＣＲＣを有するＤＣＩフォーマットを搬送するＰＤＣＣＨによりスケジューリングされる場合、Ｍｓｇ３伝送に関する情報がＤＣＩフォーマットにより提供され、それぞれのＲＡプリアンブルが反復なしに送信される場合、Ｍｓｇ３の伝送を制御するために使用されるフィールドが、ＲＡプリアンブルが反復で送信される場合、（Ｍｓｇ３の送信電力は最大になると想定できるため）ＳＦの個数を表示するためにその代わりに使用され得る。Ｍｓｇ３伝送が各々マッピングに基づいて対応するＲＡプリアンブルに関連したリソース及び事前決定されたパラメータを使用する場合、ＵＥ１１４は、各々のＲＡプリアンブルリソース設定のマッピングから決定されたＰＵＳＣＨでＭｓｇ３を伝送する。ステップ２２０１での機能は、‘ＣＥレベル決定’に代替でき、ステップ２２０５での機能は、‘決定されたＣＥレベルに基づいてＰＲＡＣＨリソース設定を決定’に代替できることに留意する。
【０２５３】
図２３は、本発明により、Ｍｓｇ３に対する伝送設定をｅＮＢが決定するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２５４】
図２３に示すように、ｅＮＢ１０２は、ステップ２３１０でＲＡプリアンブル伝送のためのそれぞれのリソースでＲＡプリアンブルを検出し、またＲＡプリアンブルを伝送したＵＥ１１４に対して要求されるＣＥを、経路損失範囲及びＲＡプリアンブルリソースの間のマッピングに基づいてステップ２３２０で決定する。ＲＡＲ伝送がＰＤＣＣＨによりスケジューリングされ、ＲＡＲを搬送するＰＤＳＣＨに対する伝送設定及び各々のＲＡプリアンブルリソース設定に対して事前決定されたパラメータを使用しない場合、ｅＮＢ１０２は、ステップ２３３０で、ＲＡＲをスケジューリングするＰＤＣＣＨに対する伝送設定をＲＡプリアンブルリソース（ステップ２３１０）に従って決定する。ｅＮＢ１０２は、ＵＥ１１４によるＭｓｇ３に対する伝送設定、例えばＭｓｇ３が伝送されたＳＦの個数を決定する。ｅＮＢ１０２は、ステップ２３４０で、決定された伝送設定をＲＡＲメッセージ内に含めるか、あるいはこの伝送設定をＲＡプリアンブルリソース設定からそれぞれのマッピングを通じて決定することもできる。ＲＡＲを搬送するＰＤＳＣＨがＰＤＣＣＨによりスケジューリングされる場合、ｅＮＢ１０２は、ステップ２３５０でＲＡＲをスケジューリングするＰＤＣＣＨを決定された伝送設定（ステップ２３３０）を用いて伝送し、Ｍｓｇ３に対する伝送設定（ステップ２３４０）を含むＲＡＲをステップ２３６０で伝送する。
【０２５５】
また、ＵＥに対するＲＡＲは、ｅＮＢからの後続ＰＤＣＣＨ伝送の情報、例えば、ＰＲＡＣＨ競合解決のためにＰＤＣＣＨを伝送するためにｅＮＢが使用できるＰＤＣＣＨ伝送設定（＜表１６＞、＜表１７＞と類似）を含む。このような情報は、ＲＡＲ内の既存のフィールドを使用するか、ＲＡＲを搬送するＰＤＳＣＨの設定により暗示的に決定されるか、又は追加的に含まれることができる。
＜Ｍｓｇ３伝送及び競合解決＞
ＲＡＲ受信後のＵＥ伝送タイミングは、次のようである。
【０２５６】
-伝送されたＲＡプリアンブルに対するＲＡＲを含むＰＤＳＣＨ内のデータ伝送ブロックがＳＦｎで検出される場合、ｎは、データ伝送ブロックの送信に使用される複数のＳＦが存在する場合に、ＵＥがデータ伝送ブロックを検出する最終ＳＦであり、ＵＥはＲＡＲ内の情報に従って、ＲＡＲ内のＵＬ遅延フィールドがゼロに設定されると、データ伝送ブロックを第１のＳＦｎ＋ｋ１、ｋ１≧６で送信する。ここで、ｎ＋ｋ１は、ＰＵＳＣＨ伝送のための第１の使用可能なＳＦである。ＵＥは、ＵＬ遅延フィールドが１に設定される場合、ｎ＋ｋ１後にＰＵＳＣＨ伝送を次のＳＦに延期させ得る。
【０２５７】
-ＲＡＲがＳＦｎで受信される場合、ｎは、ＲＡＲ伝送のための複数のＳＦが存在する場合に、ＵＥがＲＡＲを受信する最後のＳＦであり、対応するデータ伝送ブロックが伝送されたプリアンブルシーケンスに対する応答を含まない場合、ＵＥは、上位レイヤにより要請される場合に、新たなＲＡプリアンブルシーケンスをＳＦｎ＋５より遅れることなく伝送するはずである。
【０２５８】
ランダムアクセス手順がＳＦｎで、‘ＰＤＣＣＨオーダー’によって開始される場合、ｎは、ＰＣＤＤＨオーダーを伝送する複数のＳＦが存在する場合に、ＵＥがＰＣＤＤＨオーダーを検出する最後のＳＦであり、ＵＥは、上位レイヤにより要請される場合に、ＲＡプリアンブルを第１のＳＦｎ＋ｋ２、ｋ２≧６で伝送し、ここで、ＰＲＡＣＨリソースが使用可能である。したがって、ｎのインデックスは、ＲＡＲに関連した制御又はデータが複数のＳＦにかけて伝送されるときに再定義される。
【０２５９】
ＵＥ１１４は、Ｍｓｇ３内にチャンネル測定値報告を含めることができる。例えば、測定値報告、参照信号受信された電力（ＲＳＲＰ）報告がある。あるいは、ＵＥ１１４は、ＣＥレベルに関する情報（例えば、＜表４＞に示すような経路損失のカテゴリ）を含んでもよい。ｅＮＢがＭｓｇ３をＵＥ１１４から受信した後に、ｅＮＢ１０２は、ＵＥ１１４に対する経路損失推定値を獲得できる。ＵＥ１１４及びｅＮＢ１０２の両方ともは、後続通信がＭｓｇ３内の測定値報告により表示されたＣＥレベルに従うと仮定できる。ＵＥ１１４が測定値報告をＭｓｇ３内に含めない場合、ＵＥ１１４は、測定値報告をＭｓｇ４後の後続シグナリング（例えば、ＲＲＣシグナリング）内に含めることができる。次に、ｅＮＢ１０２は、後続通信に対するリソース、例えば、ＰＤＣＣＨ/ＰＤＳＣＨ/ＰＵＣＣＨ/ＰＵＳＣＨに対するリソースを設定し、ＵＥ１１４に通知するか、ｅＮＢ１０２及びＵＥ１１４は、後続通信がＵＥ１１４によってｅＮＢ１０２に提供された測定値報告に対応する反復の回数になると仮定する。
【０２６０】
図２４は、本発明により、ＵＥが伝送設定を、チャンネル測定報告を含むシグナリング後に決定するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２６１】
図２４に示すように、ＵＥ１１４は、ステップ２４１０で、チャンネル測定を実行し、ＣＥレベルを決定する。ＵＥ１１４は、ステップ２４２０で、チャンネル測定値報告（又は、ＣＥレベルに対する経路損失カテゴリの表示）をｅＮＢ１０２に対するシグナリング内に（例えば、Ｍｓｇ３又はＲＲＣシグナリング内に）含め、このシグナリングを伝送する。次に、ＵＥ１１４は、ステップ２４３０で、後続通信が測定値報告により表示されたＣＥレベルに従うと仮定する。ＵＥ１１４がＣＥレベル及び通信設定間のマッピング（例えば、ＰＤＣＣＨ設定に対しては＜表１６＞、＜表１７＞を参照）を知っている場合、ＵＥ１１４は、ＣＥレベルによる設定を想定できる。ＵＥ１１４が（例えば、ＰＤＣＣＨ/ＰＵＣＣＨ/ＰＤＳＣＨ/ＰＵＳＣＨに対する）後続通信リソースの設定をｅＮＢ１０２からさらに受信する場合、ＵＥ１１４は、ステップ２４４０で、ｅＮＢ１０２により表示された設定を使用し、（ｅＮＢ１０２による設定と異なる場合には）ＣＥレベルから決定された設定をさらに使用することを中止する。
【０２６２】
図２５は、本発明により、ｅＮＢがチャンネル測定報告を含むシグナリングをＵＥから受信した後に伝送設定を決定するための動作の一例を示す。このフローチャートは、一連の順次的なステップを示すが、明示的に言及されない限り、特定順序の実行、同時に又は重複する方式よりは順次のステップ又はその一部分の実行、あるいは介在又は中間ステップの発生なしに制限的に示されているステップの実行に関するシーケンスから推論が引き出されてはならない。説明された例のプロセスは、例えば、ＵＥ内の送信器チェーンにより実現される。
【０２６３】
図２５に示すように、ｅＮＢ１０２は、ステップ２５１０で、シグナリング包含のチャンネル測定報告（又は、ＣＥレベルに対する経路損失カテゴリの指示）をＵＥ１１４から受信する。ステップ２５２０において、ｅＮＢ１０２は、ＵＥ１１４が、後続通信が表示されたＣＥレベルに従うと仮定することを考慮する。必要であれば、ｅＮＢ１０２は、ステップ２５３０で、ＵＥ１１４に対する後続通信用リソースを個別的に設定して（例えば、ｅＮＢ１０２がＣＥレベルにより決定されたように一部チャンネルのリソース設定をオーバーライド（override）することを所望する場合）、ＵＥ１１４に通知する。
【０２６４】
ＵＥ１１４に対する競合解決メッセージ（Ｍｓｇ４）は、ＵＥ１１４に対する後続ＰＤＣＣＨのｅＮＢ１０２による伝送用情報を含むことができる。例えば、（＜表１６＞又は＜表１７＞のように）競合解決メッセージは、データ情報の後続スケジューリングのためにＰＤＣＣＨを伝送し、ｅＮＢ１０２が使用するＰＤＣＣＨ伝送設定を含むことができる。あるいは、又は追加的に、競合解決メッセージは、ＵＥ１１４からのＰＵＳＣＨ伝送又はＵＥ１１４への後続ＰＤＳＣＨ伝送のためのリソース割り当てを含むことができる。リソース割り当ては、伝送帯域幅内の一つ以上のＲＢ及びＰＤＳＣＨ又はＰＵＳＣＨ伝送のための特定ＳＦを含むことができる。このような方式で、それぞれのＰＤＳＣＨ又はＰＵＳＣＨ伝送をスケジューリングするためのＵＥ１１４へのＰＤＣＣＨ伝送を避けることができる。通常のＰＤＳＣＨ又はＰＵＳＣＨ伝送に関連したリソース割り当てとは異なるパラメータ、例えば、変調及び符号化方式（ＭＣＳ）が競合解決メッセージにより提供でき、これらがｅＮＢ１０２からのＲＲＣメッセージにより再設定されない限り、（割り当てられたリソースと類似に）一定に維持される。例えば、ｅＮＢ１０２は、ＰＤＳＣＨ又はＰＵＳＣＨ伝送に対する初期ＭＣＳ割り当てをランダムアクセスプロセスの一部として決定でき、最低ＭＣＳが各々ＤＬカバレッジ又はＵＬカバレッジ限定されたＵＥに割り当てられ得る。他のパラメータ、例えば、ＨＡＲＱプロセス数又は増分冗長に基づいたＨＡＲＱ再伝送のための冗長バージョンがそれぞれ単一ＨＡＲＱプロセス又はチェース結合（chase combining）として使用できず、カバレッジ限定されたＵＥに対しては十分であり得る。同様に、他の通常的な機能、例えば、空間的多重化、電力制御などのサポートは、カバレッジ限定されたＵＥには提供できない。
【０２６５】
第２の実施形態及び第３の実施形態がランダムアクセスプロセスに焦点を置くが、これらは単にランダムアクセスプロセスに限定されず、一般的にＣＥを要求するＵＥにおいて制御又はデータ伝送に適用することができる。
【０２６６】
ＵＥがＲＲＣ_ＣＯＮＮＥＣＴＥＤである場合、ｅＮＢは、ＵＥ、例えばＲＲＣシグナリングにより設定してカバレッジモードを正常又はＣＥモードからＣＥ又は正常モードにそれぞれスイッチングできる。例えば、ｅＮＢ１０２は、ＵＥ１１４から報告されたチャンネル測定値、例えば、ＲＳＲＰ又は経路損失に基づいて又は統計、例えば（ＵＥ１１４からの後続確認シグナリングを通じてｅＮＢ１０２により獲得されるように）ｅＮＢ１０２又はＵＥ１１４でデータ伝送ブロックの受信の（正しい又は正しくない）結果に基づいてこのように決定できる。ＵＥ１１４のカバレッジモードの再設定は、効果的になるために新たなカバレッジモードに対する時間（例えば、複数のフレーム後に又は表示されたシステムフレーム数を有するフレームの開始時に）をさらに含み、これによって、ＵＥ１１４に遷移時間を許可し、新たなモードが効果を有する場合にはｅＮＢ１０２及びＵＥ１１４が共通理解を有するように保証することができる。ＲＲＣシグナリングは、また、新たなカバレッジモードでのＳＩＢが現在のカバレッジモードと異なる場合、新たなカバレッジモードでＵＥ１０２が使用するように要求される一部ＳＩＢを含む。
【０２６７】
図２６は、本発明により、ＵＥカバレッジモードスイッチングの例示的な手順を示す。このフローチャートは、一連の順次的なステップを示すが、明示的に言及されない限り、特定順序の実行、同時に又は重複する方式よりは順次のステップ又はその一部分の実行、あるいは介在又は中間信号の発生なしに制限的に示されている信号の実行に関するシーケンスから推論が引き出されてはならない。説明された例に図示されたプロセスは、例えば、ＵＥ内の送信器チェーンにより実現される。特定の実施形態において、ＵＥ２６０１は、ＵＥ１１１乃至１１６のうちいずれか一つと同一であり、ｅＮＢ２６０２は、ｅＮＢ１０１乃至１０３のうちいずれか一つと同一である。
【０２６８】
図２６に示すように、ＵＥ２６０１は、ステップ２６１０で、ｅＮＢ２６０２により送信されたＲＳに基づいてチャンネル測定を実行し、ステップ２６２０で、このチャンネル測定値をｅＮＢに報告する。チャンネル測定値報告に基づき、ｅＮＢ２６０２は、ステップ２６３０で、ＵＥ２６０１に対するカバレッジモードをスイッチングするか否かを判定し、ここで、カバレッジモードは、正常カバレッジモード及びＣＥモードを含むことができる。あるいは、上述したように、ｅＮＢ２６０２は、ＵＥ２６０１に対するカバレッジモードを他の測定又は統計に従って決定できる。ｅＮＢ２６０２は、ステップ２６４０で、例えば、ＲＲＣシグナリングによりモード再設定をＵＥ２６０１にシグナリングする。このシグナリングは、新たなカバレッジモードに対する有効時間をさらに含んでもよい。ＵＥ２６０１は、ステップ２６５０で、有効時間に新たなカバレッジモードで動作する。
【０２６９】
以上、本発明の詳細な説明においては具体的な実施形態に関して説明したが、特許請求の範囲の記載及びこれと均等なものに基づいて定められる本発明の範囲及び精神(趣旨)を逸脱することなく、形式や細部の様々な変更が可能であることは、当該技術分野における通常の知識を持つ者には明らかである。
【符号の説明】
【０２７０】
１００  無線ネットワーク
１０１、１０２、１０３  ｅＮＢ
ＵＥ用ネットワーク１３０
１１１、１１２、１１３、１１４、１１５、１１６  ＵＥ
２０５  アンテナ
２１０  無線周波数（ＲＦ）送受信器
２１５  送信（ＴＸ）処理回路
２２０  マイクロフォン
２２５  受信（ＲＸ）処理回路
２３０  スピーカ
２４０  メインプロセッサ
２４５  入力/出力（Ｉ/Ｏ）インターフェース（ＩＦ）
２５０  キーパッド
２５５  ディスプレイ
２６０  メモリ
２６１  基本オペレーティングシステム（ＯＳ）プログラム
２６２  アプリケーション
３０５ａ−３０５ｎ  アンテナ
３１０ａ−３１０ｎ  ＲＦ送受信器
３１５  送信（ＴＸ）処理回路
３２０  受信（ＲＸ）処理回路
３２５  制御器/プロセッサ
３３０  メモリ
３３５  バックホール又はネットワークインターフェース
【図１】
2019146261.tif 000030
【図２】
2019146261.tif 000031
【図３】
2019146261.tif 000032
【図４】
2019146261.tif 000033
【図５】
2019146261.tif 000034
【図６】
2019146261.tif 000035
【図７】
2019146261.tif 000036
【図８】
2019146261.tif 000037
【図９】
2019146261.tif 000038
【図１０Ａ】
2019146261.tif 000039
【図１０Ｂ】
2019146261.tif 000040
【図１０Ｃ】
2019146261.tif 000041
【図１１Ａ】
2019146261.tif 000042
【図１１Ｂ】
2019146261.tif 000043
【図１１Ｃ】
2019146261.tif 000044
【図１２】
2019146261.tif 000045
【図１３Ａ】
2019146261.tif 000046
【図１３Ｂ】
2019146261.tif 000047
【図１３Ｃ】
2019146261.tif 000048
【図１３Ｄ】
2019146261.tif 000049
【図１３Ｅ】
2019146261.tif 000050
【図１４】
2019146261.tif 000051
【図１５】
2019146261.tif 000052
【図１６】
2019146261.tif 000053
【図１７】
2019146261.tif 000054
【図１８】
2019146261.tif 000055
【図１９Ａ】
2019146261.tif 000056
【図１９Ｂ】
2019146261.tif 000057
【図１９Ｃ】
2019146261.tif 000058
【図１９Ｄ】
2019146261.tif 000059
【図２０】
2019146261.tif 000060
【図２１】
2019146261.tif 000061
【図２２】
2019146261.tif 000062
【図２３】
2019146261.tif 000063
【図２４】
2019146261.tif 000064
【図２５】
2019146261.tif 000065
【図２６】
2019146261.tif 000066